(57)【要約】【課題】情報送信方法、基地局、及び、ユーザ機器が提供される。【解決手段】情報送信方法、基地局、及び、ユーザ機器が開示される。方法は、第1の情報を受信するステップであって、第1の情報は、第2の情報を送信するようにUEに指示するために使用される、ステップと、第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、時間領域における第2の時間領域リソースの持続時間が1サブフレームよりも長くなく、第2の時間領域リソースと第1の時間領域リソースとの間の間隔が4サブフレームよりも短い、ステップと、第1のパラメータ値に基づいて第2の時間領域リソースを決定して、第2の時間領域リソースに関する第2の情報を送信するステップとを含む。【選択図】図１
2020162178.tif 000002
【特許請求の範囲】
【請求項１】
情報送信方法であって、前記方法は、
第1の情報を受信するステップであって、前記第1の情報は、第2の情報を送信するようにユーザ機器UEに指示するために使用される、ステップと、
第1のパラメータ値を取得するステップであって、前記第1のパラメータ値は、第1の時間領域リソースと第2の時間領域リソースとの間の位置関係を示すために使用され、前記第1の時間領域リソースは、前記第1の情報が位置される時間領域リソースであり、前記第2の時間領域リソースは、前記第2の情報が位置される時間領域リソースであり、前記第2の時間領域リソースの持続時間が1サブフレームよりも長くなく、前記第2の時間領域リソースと前記第1の時間領域リソースとの間の間隔が4サブフレームよりも短い、ステップと、
前記第1のパラメータ値に基づいて前記第2の時間領域リソースを決定して、前記第2の時間領域リソースに関する前記第2の情報を送信するステップと、
を含む、方法。
【請求項２】
前記第1のパラメータ値は、前記第1の時間領域リソースと前記第2の時間領域リソースとの間の第1の時間領域間隔であり、前記第1のパラメータ値に基づいて前記第2の時間領域リソースを決定する前記ステップは、
前記第1の時間領域間隔と前記第1の時間領域リソースとに基づいて前記第2の時間領域リソースを決定するステップを含む、請求項1に記載の方法。
【請求項３】
前記第1のパラメータ値は、前記第1のパラメータ値に対応するマッピング関係のインデックスであり、又は、
前記第1のパラメータ値は、前記第1のパラメータ値に対応する所定のマッピング関係における最小時間領域間隔であり、
前記マッピング関係は、前記第1の時間領域リソースの位置と第1の時間領域間隔との間の対応関係を含み、前記第1の時間領域間隔は、前記第1の時間領域リソースと前記第2の時間領域リソースとの間の時間領域間隔である、
請求項1に記載の方法。
【請求項４】
前記第1のパラメータ値に基づいて前記第2の時間領域リソースを決定する前記ステップは、
前記第1のパラメータ値に対応する前記マッピング関係を決定するステップと、
前記マッピング関係にしたがって、前記第1の時間領域リソースに対応する前記第1の時間領域間隔を決定するステップと、
前記第1の時間領域間隔と前記第1の時間領域リソースとに基づいて前記第2の時間領域リソースを決定するステップと、
を含む、請求項3に記載の方法。
【請求項５】
前記第2の情報を送信するために前記UEによって使用されるキャリアが時分割複信TDDキャリアであるとき、前記マッピング関係にしたがって前記第1の時間領域リソースに対応する前記第1の時間領域間隔を決定する前記ステップは、前記マッピング関係にしたがって、前記第1の時間領域リソースと、前記UEのTDDアップリンク−ダウンリンク構成に対応する第1の時間領域間隔とを決定するステップを含み、
前記所定のマッピング関係は、複数のTDDアップリンク−ダウンリンク構成における各TDDアップリンク−ダウンリンク構成内の前記第1の時間領域リソースに対応する第1の時間領域間隔を含む、
請求項4に記載の方法。
【請求項６】
前記第1の時間領域リソースの持続時間及び前記第2の時間領域リソースの前記持続時間は、前記第1の時間領域間隔の時間領域単位の持続時間に等しいとともに、
時間領域における1つのサブフレームの持続時間、又は、
時間領域における1つのタイムスロットの持続時間、又は、
時間領域における2つのシンボルの持続時間、又は、
時間領域における4つのシンボルの持続時間、
のうちのいずれか1つに等しい、
請求項2から5のいずれか一項に記載の方法。
【請求項７】
前記第2の時間領域リソースの前記持続時間は、前記第1の時間領域間隔の時間領域単位の持続時間よりも短い又は該持続時間に等しい、
請求項2から5のいずれか一項に記載の方法。
【請求項８】
前記第1の時間領域間隔の前記時間領域単位がサブフレームであり、
前記方法は、第2のパラメータ値を取得するステップであって、前記第2のパラメータ値は、第2のサブフレーム内の前記第2の時間領域リソースの位置を示すために使用され、前記第2のサブフレームは、前記第2の時間領域リソースが位置されるサブフレームである、ステップを更に含み、
前記第1の時間領域間隔と前記第1の時間領域リソースとに基づいて前記第2の時間領域リソースを決定する前記ステップは、前記第1の時間領域間隔と第1のサブフレームとに基づいて前記第2のサブフレームを決定するステップであって、前記第1のサブフレームは、前記第1の時間領域リソースが位置されるサブフレームである、ステップと、前記第2のパラメータ値に基づいて前記第2のサブフレーム内の前記第2の時間領域リソースの前記位置を決定するステップとを含む、
請求項7に記載の方法。
【請求項９】
前記第1の時間領域間隔の前記時間領域単位がサブフレームであり、第1のサブフレーム内の前記第1の時間領域リソースの位置と第2のサブフレーム内の前記第2の時間領域リソースの位置との間の関係が予め規定され、前記第2のサブフレームは、前記第2の時間領域リソースが位置されるサブフレームであり、前記第1のサブフレームは、前記第1の時間領域リソースが位置されるサブフレームであり、
前記第1の時間領域間隔と前記第1の時間領域リソースとに基づいて前記第2の時間領域リソースを決定する前記ステップは、前記第1の時間領域間隔と前記第1のサブフレームとに基づいて前記第2のサブフレームを決定するステップと、前記第1のサブフレーム内の前記第1の時間領域リソースの前記位置と前記第2のサブフレーム内の前記第2の時間領域リソースの前記位置との間の前記関係にしたがって前記第2のサブフレーム内の前記第2の時間領域リソースの前記位置を決定するステップとを含む、
請求項7に記載の方法。
【請求項１０】
前記第1の時間領域間隔と前記第1の時間領域リソースとに基づいて前記第2の時間領域リソースを決定する前記ステップは、
第3の時間領域リソースを決定するステップであって、前記第3の時間領域リソースは、前記第1の時間領域リソースの後であって前記第1の時間領域リソースから前記第1の時間領域間隔だけ隔てられる時間領域リソースである、ステップと、
前記第3の時間領域リソースが利用可能なアップリンク時間領域リソースであれば、前記第3の時間領域リソースを前記第2の時間領域リソースとして決定するステップ、或いは、
前記第3の時間領域リソースがダウンリンク時間領域リソース又は利用不可能な時間領域リソースであれば、前記第3の時間領域リソースの後の第1の利用可能なアップリンク時間領域リソースを前記第2の時間領域リソースとして決定するステップと、
を含む、
請求項2から9のいずれか一項に記載の方法。
【請求項１１】
前記第1のパラメータ値を取得する前記ステップは、
指示情報を取得するステップであって、前記指示情報が前記第1のパラメータ値に対応する、ステップと、
前記指示情報にしたがって前記第1のパラメータ値を決定するステップと
を含み、
前記指示情報は、
前記UEの最大送信遅延アドバンスTA値、前記UEの最大トランスポートブロックサイズTBS値、前記UEの送信モード情報、前記UEの能力情報、又は、前記第2の時間領域リソースの持続時間タイプ
のうちのいずれか1つである、
請求項1から10のいずれか一項に記載の方法。
【請求項１２】
情報送信方法であって、前記方法は、
第1の情報を送信するステップであって、前記第1の情報は、第2の情報を送信するようにユーザ機器UEに指示するために使用される、ステップと、
第1のパラメータ値を送信するステップであって、前記第1のパラメータ値は、第1の時間領域リソースと第2の時間領域リソースとの間の位置関係を示すために使用され、前記第1の時間領域リソースは、前記第1の情報が位置される時間領域リソースであり、前記第2の時間領域リソースは、前記第2の情報が位置される時間領域リソースであり、前記第2の時間領域リソースの持続時間が1サブフレームよりも長くなく、前記第2の時間領域リソースと前記第1の時間領域リソースとの間の間隔が4サブフレームよりも短い、ステップと、
前記第2の時間領域リソースを決定して、前記第2の時間領域リソースに関する前記第2の情報を受信するステップと、
を含む、方法。
【請求項１３】
前記第1のパラメータ値は、前記第1の時間領域リソースと前記第2の時間領域リソースとの間の第1の時間領域間隔であり、前記第2の時間領域リソースを決定する前記ステップは、
前記第1の時間領域間隔と前記第1の時間領域リソースとに基づいて前記第2の時間領域リソースを決定するステップ
を含む、
請求項12に記載の方法。
【請求項１４】
前記第1のパラメータ値は、前記第1のパラメータ値に対応するマッピング関係のインデックスであり、又は、
前記第1のパラメータ値は、前記第1のパラメータ値に対応する所定のマッピング関係における最小時間領域間隔であり、
前記マッピング関係は、前記第1の時間領域リソースの位置と第1の時間領域間隔との間の対応関係を含み、前記第1の時間領域間隔は、前記第1の時間領域リソースと前記第2の時間領域リソースとの間の時間領域間隔である、
請求項12に記載の方法。
【請求項１５】
前記第2の時間領域リソースを決定する前記ステップは、
前記第1のパラメータ値に対応する前記マッピング関係を決定するステップと、
前記マッピング関係にしたがって、前記第1の時間領域リソースに対応する前記第1の時間領域間隔を決定するステップと、
前記第1の時間領域間隔と前記第1の時間領域リソースとに基づいて前記第2の時間領域リソースを決定するステップと、
を含む、
請求項14に記載の方法。
【請求項１６】
前記第2の情報を送信するために前記UEによって使用されるキャリアが時分割複信TDDキャリアであるとき、前記マッピング関係にしたがって前記第1の時間領域リソースに対応する前記第1の時間領域間隔を決定する前記ステップは、前記マッピング関係にしたがって、前記第1の時間領域リソースと、前記UEのTDDアップリンク−ダウンリンク構成に対応する第1の時間領域間隔とを決定するステップを含み、
前記所定のマッピング関係は、複数のTDDアップリンク−ダウンリンク構成における各TDDアップリンク−ダウンリンク構成内の前記第1の時間領域リソースに対応する第1の時間領域間隔を含む、
請求項15に記載の方法。
【請求項１７】
前記第1の時間領域リソースの持続時間及び前記第2の時間領域リソースの前記持続時間は、前記第1の時間領域間隔の時間領域単位の持続時間に等しいとともに、
時間領域における1つのサブフレームの持続時間、又は、
時間領域における1つのタイムスロットの持続時間、又は、
時間領域における2つのシンボルの持続時間、又は、
時間領域における4つのシンボルの持続時間、
のうちのいずれか1つに等しい、
請求項13から16のいずれか一項に記載の方法。
【請求項１８】
前記第2の時間領域リソースの前記持続時間は、前記第1の時間領域間隔の時間領域単位の持続時間よりも短い、
請求項13から16のいずれか一項に記載の方法。
【請求項１９】
前記第1の時間領域間隔の前記時間領域単位がサブフレームであり、
前記方法は、第2のパラメータ値を送信するステップであって、前記第2のパラメータ値は、第2のサブフレーム内の前記第2の時間領域リソースの位置を示すために使用され、前記第2のサブフレームは、前記第2の時間領域リソースが位置されるサブフレームである、ステップを更に含み、
前記第1の時間領域間隔と前記第1の時間領域リソースとに基づいて前記第2の時間領域リソースを決定する前記ステップは、前記第1の時間領域間隔と第1のサブフレームとに基づいて前記第2のサブフレームを決定するステップであって、前記第1のサブフレームは、前記第1の時間領域リソースが位置されるサブフレームである、ステップと、前記第2のパラメータ値に基づいて前記第2のサブフレーム内の前記第2の時間領域リソースの前記位置を決定するステップとを含む、
請求項18に記載の方法。
【請求項２０】
前記第1の時間領域間隔の前記時間領域単位がサブフレームであり、第1のサブフレーム内の前記第1の時間領域リソースの位置と第2のサブフレーム内の前記第2の時間領域リソースの位置との間の関係が予め規定され、前記第2のサブフレームは、前記第2の時間領域リソースが位置されるサブフレームであり、前記第1のサブフレームは、前記第1の時間領域リソースが位置されるサブフレームであり、
前記第1の時間領域間隔と前記第1の時間領域リソースとに基づいて前記第2の時間領域リソースを決定する前記ステップは、前記第1の時間領域間隔と前記第1のサブフレームとに基づいて前記第2のサブフレームを決定するステップと、前記第1のサブフレーム内の前記第1の時間領域リソースの前記位置と前記第2のサブフレーム内の前記第2の時間領域リソースの前記位置との間の前記関係にしたがって前記第2のサブフレーム内の前記第2の時間領域リソースの前記位置を決定するステップとを含む、
請求項18に記載の方法。
【請求項２１】
前記第1の時間領域間隔と前記第1の時間領域リソースとに基づいて前記第2の時間領域リソースを決定する前記ステップは、
前記第3の時間領域リソースを決定するステップであって、前記第3の時間領域リソースは、前記第1の時間領域リソースの後であって前記第1の時間領域リソースから前記第1の時間領域間隔だけ隔てられる時間領域リソースである、ステップと、
前記第3の時間領域リソースが利用可能なアップリンク時間領域リソースであれば、前記第3の時間領域リソースを前記第2の時間領域リソースとして決定する、或いは、
前記第3の時間領域リソースがダウンリンク時間領域リソース又は利用不可能な時間領域リソースであれば、前記第3の時間領域リソースの後の第1の利用可能なアップリンク時間領域リソースを前記第2の時間領域リソースとして決定するステップと、
含む、
請求項13から20のいずれか一項に記載の方法。
【請求項２２】
前記第1のパラメータ値を送信する前記ステップは、
指示情報を送信するステップであって、前記指示情報が前記第1のパラメータ値に対応する、ステップと、
前記指示情報にしたがって前記第1のパラメータ値を決定するステップと
を含み、
前記指示情報は、
前記UEの最大送信遅延アドバンスTA値、前記UEの最大トランスポートブロックサイズTBS値、前記UEの送信モード情報、前記UEの能力情報、又は、前記第2の時間領域リソースの持続時間タイプ
のうちのいずれか1つである、
請求項12から21のいずれか一項に記載の方法。
【請求項２３】
制御情報送信方法であって、
構成インデックスを受信するステップであって、前記構成インデックスは、制御情報の送信周期及び第1の時間領域リソースオフセットを示すために使用され、前記第1の時間領域リソースの持続時間が1サブフレームよりも短い、ステップと、
システムフレーム番号と前記構成インデックスとに基づいて前記制御情報のための時間領域リソースを決定するステップと、
前記時間領域リソースに関する前記制御情報を送信するステップと、
を含む方法。
【請求項２４】
前記制御情報は、チャネル状態情報CSI、スケジューリング要求SR、又は、ハイブリッド自動再送要求HARQ確認情報を含む、請求項23に記載の方法。
【請求項２５】
前記構成インデックスによって示される前記送信周期及び前記時間領域リソースオフセットのうちの少なくとも一方の時間領域単位の持続時間は、時間領域における前記時間領域リソースの持続時間と同じである、請求項23又は24に記載の方法。
【請求項２６】
システムフレーム番号と前記構成インデックスとに基づいて前記制御情報のための時間領域リソースを決定する前記ステップは、
前記構成インデックスにしたがって前記送信周期び前記第1の時間領域リソースオフセットを決定するステップと、
前記システムフレーム番号、前記送信周期、前記第1の時間領域リソースオフセット、及び、第2の時間領域リソースオフセットに基づいて前記時間領域リソースを決定するステップと、
を含み、
前記第1の時間領域オフセットは、前記制御情報のタイプと関連付けられるオフセットであり、前記第1の時間領域オフセットは、前記送信周期における前記制御情報のオフセットを示すために使用され、前記第2の時間領域オフセットの持続時間が前記時間領域リソースのうちの1つ以上の持続時間に等しく、又は、前記第2のオフセットの持続時間が1サブフレームの持続時間に等しい、
請求項23又は24に記載の方法。
【請求項２７】
システムフレーム番号と前記構成インデックスとに基づいて前記制御情報のための時間領域リソースを決定する前記ステップは、
システムフレーム番号nfとMとの積M＊nf及び前記構成インデックスにしたがって前記時間領域リソースの位置を決定するステップ、又は、
システムフレーム番号nfとMとの積M＊10＊nf及び前記構成インデックスにしたがって前記時間領域リソースの位置を決定するステップ、
を含み、
Mは、前記サブフレームの持続時間と前記時間領域リソースの持続時間とにしたがって決定され、Mが正の整数である、
請求項23又は24に記載の方法。
【請求項２８】
システムフレーム番号と前記構成インデックスとに基づいて前記制御情報のための時間領域リソースを決定する前記ステップは、
前記システムフレーム番号と前記構成インデックスとに基づいて候補時間領域リソースを決定するステップと、
前記候補時間領域リソースが利用可能なアップリンク時間領域リソースであれば、前記候補時間領域リソースを前記制御情報のための前記時間領域リソースとして決定するステップ、又は、
前記候補時間領域リソースがダウンリンク時間領域リソース又は利用不可能な時間領域リソースであれば、前記時間領域リソースの後の第1の利用可能なアップリンク時間領域リソースを前記制御情報のための前記時間領域リソースとして決定するステップと、
を含む、
請求項23から27のいずれか一項に記載の方法。
【請求項２９】
送信モジュール、受信モジュール、及び、処理モジュールを備えるユーザ機器であって、
前記受信モジュールは第1の情報を受信するように構成され、前記第1の情報は、第2の情報を送信するように前記ユーザ機器UEに指示するために使用され、
前記処理モジュールは第1のパラメータ値を取得するように構成され、前記第1のパラメータ値は、第1の時間領域リソースと第2の時間領域リソースとの間の位置関係を示すために使用され、前記第1の時間領域リソースは、前記第1の情報が位置される時間領域リソースであり、前記第2の時間領域リソースは、前記第2の情報が位置される時間領域リソースであり、前記第2の時間領域リソースの持続時間が1サブフレームよりも長くなく、前記第2の時間領域リソースと前記第1の時間領域リソースとの間の間隔が4サブフレームよりも短く、
前記処理モジュールは、前記第1のパラメータ値に基づいて前記第2の時間領域リソースを決定するように更に構成され、
前記送信モジュールは、前記第2の時間領域リソースに関する前記第2の情報を送信するように構成される、
ユーザ機器。
【請求項３０】
前記第1のパラメータ値は、前記第1の時間領域リソースと前記第2の時間領域リソースとの間の第1の時間領域間隔であり、前記処理モジュールは、前記第1の時間領域間隔と前記第1の時間領域リソースとに基づいて前記第2の時間領域リソースを決定するように特に構成される、請求項29に記載のユーザ機器。
【請求項３１】
前記第1のパラメータ値が第1の時間領域リソースと第2の時間領域リソースとの間の位置関係を示すために使用されることは、前記第1のパラメータ値が所定のマッピング関係に対応することを含み、前記マッピング関係は、前記第1の時間領域リソースの位置と第1の時間領域間隔との間の対応関係を含み、前記第1の時間領域間隔は、前記第1の時間領域リソースと前記第2の時間領域リソースとの間の時間領域間隔である、
請求項29に記載のユーザ機器。
【請求項３２】
前記第1のパラメータ値は、前記第1のパラメータ値に対応する前記マッピング関係のインデックスであり、又は、
前記第1のパラメータ値は、前記第1のパラメータ値に対応する前記所定のマッピング関係における最小時間領域間隔であり、
前記処理モジュールは、
前記第1のパラメータ値に対応する前記マッピング関係を決定し、
前記マッピング関係にしたがって、前記第1の時間領域リソースに対応する前記第1の時間領域間隔を決定し、
前記第1の時間領域間隔と前記第1の時間領域リソースとに基づいて前記第2の時間領域リソースを決定する、
ように特に構成される、
請求項31に記載のユーザ機器。
【請求項３３】
前記第2の情報を送信するために前記ユーザ機器によって使用されるキャリアが時分割複信TDDキャリアであるとき、前記処理モジュールは、前記マッピング関係にしたがって、前記第1の時間領域リソースと、前記ユーザ機器のTDDアップリンク−ダウンリンク構成に対応する第1の時間領域間隔とを決定するように特に構成され、
前記所定のマッピング関係は、複数のTDDアップリンク−ダウンリンク構成における各TDDアップリンク−ダウンリンク構成内の前記第1の時間領域リソースに対応する第1の時間領域間隔を含む、
請求項32に記載のユーザ機器。
【請求項３４】
前記第1の時間領域リソースの持続時間及び前記第2の時間領域リソースの前記持続時間は、前記第1の時間領域間隔の時間領域単位の持続時間に等しいとともに、
時間領域における1つのサブフレームの持続時間、又は、
時間領域における1つのタイムスロットの持続時間、又は、
時間領域における2つのシンボルの持続時間、又は、
時間領域における4つのシンボルの持続時間、
のうちのいずれか1つに等しい、
請求項30から33のいずれか一項に記載のユーザ機器。
【請求項３５】
前記第2の時間領域リソースの前記持続時間は、前記第1の時間領域間隔の時間領域単位の持続時間よりも短い又は該持続時間に等しい、
請求項30から34のいずれか一項に記載のユーザ機器。
【請求項３６】
前記第1の時間領域間隔の前記時間領域単位がサブフレームであり、
前記処理モジュールは、第2のパラメータ値を取得するように更に構成され、前記第2のパラメータ値は、第2のサブフレーム内の前記第2の時間領域リソースの位置を示すために使用され、前記第2のサブフレームは、前記第2の時間領域リソースが位置されるサブフレームであり、
前記処理モジュールは、
前記第1の時間領域間隔と第1のサブフレームとに基づいて前記第2のサブフレームを決定し、前記第1のサブフレームは、前記第1の時間領域リソースが位置されるサブフレームであり、
前記第2のパラメータ値に基づいて前記第2のサブフレーム内の第2の時間領域リソースの位置を決定する
ように特に構成される、
請求項35に記載のユーザ機器。
【請求項３７】
前記第1の時間領域間隔の前記時間領域単位がサブフレームであり、第1のサブフレーム内の前記第1の時間領域リソースの位置と第2のサブフレーム内の前記第2の時間領域リソースの位置との間の関係が予め規定され、前記第2のサブフレームは、前記第2の時間領域リソースが位置されるサブフレームであり、前記第1のサブフレームは、前記第1の時間領域リソースが位置されるサブフレームであり、
前記処理モジュールは、
前記第1の時間領域間隔と前記第1のサブフレームとに基づいて前記第2のサブフレームを決定し、
前記第1のサブフレーム内の前記第1の時間領域リソースの前記位置と前記第2のサブフレーム内の前記第2の時間領域リソースの前記位置との間の前記関係にしたがって前記第2のサブフレーム内の前記第2の時間領域リソースの前記位置を決定する、
ように特に構成される、
請求項36に記載のユーザ機器。
【請求項３８】
前記処理モジュールは、
第3の時間領域リソースを決定し、前記第3の時間領域リソースは、前記第1の時間領域リソースの後であって前記第1の時間領域リソースから前記第1の時間領域間隔だけ隔てられる時間領域リソースであり、
前記第3の時間領域リソースが利用可能なアップリンク時間領域リソースであれば、前記第3の時間領域リソースを前記第2の時間領域リソースとして決定する、或いは、
前記第3の時間領域リソースがダウンリンク時間領域リソース又は利用不可能な時間領域リソースであれば、前記第3の時間領域リソースの後の第1の利用可能なアップリンク時間領域リソースを前記第2の時間領域リソースとして決定する
ように特に構成される、
請求項30から37のいずれか一項に記載のユーザ機器。
【請求項３９】
前記処理モジュールは、
指示情報を取得し、前記指示情報が前記第1のパラメータ値に対応し、
前記指示情報にしたがって前記第1のパラメータ値を決定する
ように特に構成され、
前記指示情報は、
前記ユーザ機器の最大送信遅延アドバンスTA値、前記ユーザ機器の最大トランスポートブロックサイズTBS値、前記ユーザ機器の送信モード情報、前記ユーザ機器の能力情報、又は、前記第2の時間領域リソースの持続時間タイプ
のうちのいずれか1つである、
請求項29から38のいずれか一項に記載のユーザ機器。
【請求項４０】
送信モジュール、受信モジュール、及び、処理モジュールを備える基地局であって、
前記送信モジュールは第1の情報を送信するように構成され、前記第1の情報は、第2の情報を送信するようにユーザ機器UEに指示するために使用され、
前記送信モジュールは、第1のパラメータ値を送信するように更に構成され、前記第1のパラメータ値は、第1の時間領域リソースと第2の時間領域リソースとの間の位置関係を示すために使用され、前記第1の時間領域リソースは、前記第1の情報が位置される時間領域リソースであり、前記第2の時間領域リソースは、前記第2の情報が位置される時間領域リソースであり、前記第2の時間領域リソースの持続時間が1サブフレームよりも長くなく、前記第2の時間領域リソースと前記第1の時間領域リソースとの間の間隔が4サブフレームよりも短く、
前記処理モジュールは、前記第2の時間領域リソースを決定するように構成され、
前記受信モジュールは、前記第2の時間領域リソースに関する前記第2の情報を受信するように構成される、
基地局。
【請求項４１】
前記第1のパラメータ値は、前記第1の時間領域リソースと前記第2の時間領域リソースとの間の第1の時間領域間隔であり、前記処理モジュールは、
前記第1の時間領域間隔と前記第1の時間領域リソースとに基づいて前記第2の時間領域リソースを決定する
ように特に構成される、請求項40に記載の基地局。
【請求項４２】
前記第1のパラメータ値が第1の時間領域リソースと第2の時間領域リソースとの間の位置関係を示すために使用されることは、前記第1のパラメータ値が所定のマッピング関係に対応することを含み、前記マッピング関係は、前記第1の時間領域リソースの位置と第1の時間領域間隔との間の対応関係を含み、前記第1の時間領域間隔は、前記第1の時間領域リソースと前記第2の時間領域リソースとの間の時間領域間隔である、
請求項40に記載の基地局。
【請求項４３】
前記第1のパラメータ値は、前記第1のパラメータ値に対応する前記マッピング関係のインデックスであり、又は、
前記第1のパラメータ値は、前記第1のパラメータ値に対応する前記所定のマッピング関係における最小時間領域間隔であり、
前記処理モジュールは、
前記第1のパラメータ値に対応する前記マッピング関係を決定し、
前記マッピング関係にしたがって、前記第1の時間領域リソースに対応する前記第1の時間領域間隔を決定し、
前記第1の時間領域間隔と前記第1の時間領域リソースとに基づいて前記第2の時間領域リソースを決定する、
ように特に構成される、
請求項42に記載の基地局。
【請求項４４】
前記第2の情報を送信するために前記UEによって使用されるキャリアが時分割複信TDDキャリアであるとき、前記処理モジュールは、前記マッピング関係にしたがって、前記第1の時間領域リソースと、前記UEのTDDアップリンク−ダウンリンク構成に対応する第1の時間領域間隔とを決定するように特に構成され、
前記所定のマッピング関係は、複数のTDDアップリンク−ダウンリンク構成における各TDDアップリンク−ダウンリンク構成内の前記第1の時間領域リソースに対応する第1の時間領域間隔を含む、
請求項43に記載の基地局。
【請求項４５】
前記第1の時間領域リソースの持続時間及び前記第2の時間領域リソースの前記持続時間は、前記第1の時間領域間隔の時間領域単位の持続時間に等しいとともに、
時間領域における1つのサブフレームの持続時間、又は、
時間領域における1つのタイムスロットの持続時間、又は、
時間領域における2つのシンボルの持続時間、又は、
時間領域における4つのシンボルの持続時間、
のうちのいずれか1つに等しい、
請求項41から44のいずれか一項に記載の基地局。
【請求項４６】
前記第2の時間領域リソースの前記持続時間は、前記第1の時間領域間隔の時間領域単位の持続時間よりも短い又は該持続時間に等しい、
請求項41から44のいずれか一項に記載の基地局。
【請求項４７】
前記第1の時間領域間隔の前記時間領域単位がサブフレームであり、
前記送信モジュールは、第2のパラメータ値を送信するように更に構成され、前記第2のパラメータ値は、第2のサブフレーム内の前記第2の時間領域リソースの位置を示すために使用され、前記第2のサブフレームは、前記第2の時間領域リソースが位置されるサブフレームであり、
前記処理モジュールは、
前記第1の時間領域間隔と第1のサブフレームとに基づいて前記第2のサブフレームを決定し、前記第1のサブフレームは、前記第1の時間領域リソースが位置されるサブフレームであり、
前記第2のパラメータ値に基づいて前記第2のサブフレーム内の第2の時間領域リソースの位置を決定する
ように特に構成される、
請求項46に記載の基地局。
【請求項４８】
前記第1の時間領域間隔の前記時間領域単位がサブフレームであり、第1のサブフレーム内の前記第1の時間領域リソースの位置と第2のサブフレーム内の前記第2の時間領域リソースの位置との間の関係が予め規定され、前記第2のサブフレームは、前記第2の時間領域リソースが位置されるサブフレームであり、前記第1のサブフレームは、前記第1の時間領域リソースが位置されるサブフレームであり、
前記処理モジュールは、
前記第1の時間領域間隔と前記第1のサブフレームとに基づいて前記第2のサブフレームを決定し、
前記第1のサブフレーム内の前記第1の時間領域リソースの前記位置と前記第2のサブフレーム内の前記第2の時間領域リソースの前記位置との間の前記関係にしたがって前記第2のサブフレーム内の前記第2の時間領域リソースの前記位置を決定する、
ように特に構成される、
請求項47に記載の基地局。
【請求項４９】
前記処理モジュールは、
第3の時間領域リソースを決定するように特に構成され、前記第3の時間領域リソースは、前記第1の時間領域リソースの後であって前記第1の時間領域リソースから前記第1の時間領域間隔だけ隔てられる時間領域リソースであり、
前記第3の時間領域リソースが利用可能なアップリンク時間領域リソースであれば、前記第3の時間領域リソースを前記第2の時間領域リソースとして決定する、或いは、
前記第3の時間領域リソースがダウンリンク時間領域リソース又は利用不可能な時間領域リソースであれば、前記第3の時間領域リソースの後の第1の利用可能なアップリンク時間領域リソースを前記第2の時間領域リソースとして決定する
ように特に構成される、
請求項41から48のいずれか一項に記載の基地局。
【請求項５０】
前記送信モジュールは、
指示情報を送信し、前記指示情報が前記第1のパラメータ値に対応し、前記指示情報にしたがって前記第1のパラメータ値を決定する
ように特に構成され、
前記指示情報は、
前記UEの最大送信遅延アドバンスTA値、前記UEの最大トランスポートブロックサイズTBS値、前記UEの送信モード情報、前記UEの能力情報、又は、前記第2の時間領域リソースの持続時間タイプ
のうちのいずれか1つである、
請求項40から49のいずれか一項に記載の基地局。
【請求項５１】
送信モジュール、受信モジュール、及び、処理モジュールを備えるユーザ機器であって、
前記受信モジュールは、構成インデックスを受信するように構成され、前記構成インデックスは、制御情報の送信周期及び第1の時間領域リソースオフセットを示すために使用され、前記第1の時間領域リソースの持続時間が1サブフレームよりも短く、
前記処理モジュールは、システムフレーム番号と前記構成インデックスとに基づいて前記制御情報のための時間領域リソースを決定するように構成され、
前記送信モジュールは、前記時間領域リソースに関する前記制御情報を送信するように構成される、
ユーザ機器。
【発明の詳細な説明】
【技術分野】
【０００１】
本発明は、通信分野に関し、特に情報送信方法、基地局、及び、ユーザ機器に関する。
【背景技術】
【０００２】
社会の発展に伴って、ユーザは無線通信技術に対してより高い要求を有する。無線通信において、送信速度及び送信遅延は重要な指標である。所定のサイズのデータパケットの送信中、送信によって占められる時間がより短い場合、通信システムは、より多くのユーザをサポートでき、又は、より多くのデータの同時送信をサポートできる。更に、ユーザ経験の観点から、より短い遅延は、より高い送信速度、より大きいユーザ容量、及び、より良好なユーザ経験をもたらす。
【０００３】
物理的には、ロング・ターム・エボリューション（Long Term Evolution，LTE）システムにおける遅延の減少は、2つの送信間の時間間隔の短縮、又は、各送信によって占有される時間の減少と見なされる。例えば、LTEでの送信中、時間領域リソースの基本単位は1ミリ秒（millisecond，ms）であり、2つの送信間の間隔は4msよりも短くない。
【０００４】
送信遅延が減少された後、緊急に解決されるべき技術的課題は、通信システムの送信効率を向上させるためにデータ送信をどのように実行するかである。
【発明の概要】
【０００５】
本発明の実施形態は、送信遅延を減らしつつ通信システムの送信効率を向上させるためのフィードバック方法、基地局、及び、ユーザ機器を提供する。
【課題を解決するための手段】
【０００６】
第1の態様によれば、情報送信方法が提供され、この方法は、第1の情報を受信するステップであって、第1の情報は、第2の情報を送信するようにUEに指示するために使用される、ステップと、第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、第1のパラメータ値に基づいて第2の時間領域リソースを決定して、第2の時間領域リソースに関する第2の情報を送信するステップとを含む。
【０００７】
第1の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０００８】
第1の態様及び前述の実施と関連して、第1の態様の第2の想定し得る実施において、第1のパラメータ値に基づいて第2の時間領域リソースを決定することの具体的な実施は、第1の時間領域間隔と第1の時間領域リソースとに基づいて第2の時間領域リソースを決定することである。
【０００９】
第1の態様及び前述の実施と関連して、第1の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００１０】
第1の態様及び前述の実施と関連して、第1の態様の第4の想定し得る実施において、具体的な実施は、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【００１１】
第1の態様及び前述の実施と関連して、第1の態様の第5の想定し得る実施において、第1のパラメータ値に基づいて第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００１２】
第1の態様及び前述の実施と関連して、第1の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００１３】
第1の態様及び前述の実施と関連して、第1の態様の第7の想定し得る実施において、具体的な実施は、第1の時間領域リソースの持続時間及び第2の時間領域リソースの持続時間が第1の時間領域間隔の時間領域単位の持続時間に等しいことである。
【００１４】
第1の態様及び前述の実施と関連して、第1の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００１５】
第1の態様及び前述の実施と関連して、第1の態様の第9の想定し得る実施において、具体的な実施は、第2の時間領域リソースの持続時間が第1の時間領域間隔の時間領域単位の持続時間よりも短い又は該持続時間に等しいことである。
【００１６】
第1の態様及び前述の実施と関連して、第1の態様の第10の想定し得る実施では、第1の時間領域間隔の時間領域単位がサブフレームであり、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【００１７】
第1の態様及び前述の実施と関連して、第1の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【００１８】
第1の態様及び前述の実施と関連して、第1の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【００１９】
第1の態様及び前述の実施と関連して、第1の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【００２０】
第1の態様及び前述の実施と関連して、第1の態様の第13の想定し得る実施において、第1のパラメータ値を取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【００２１】
第1の態様及び前述の実施と関連して、第1の態様の第14の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【００２２】
第2の態様によれば、ユーザ機器が提供され、ユーザ機器は、送信モジュール、受信モジュール、及び、処理モジュールを含み、
受信モジュールは第1の情報を受信するように構成され、第1の情報は、第2の情報を送信するようにUEに指示するために使用され、処理モジュールは第1のパラメータ値を取得するように構成され、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短く、処理モジュールは、第1のパラメータ値に基づいて第2の時間領域リソースを決定するように更に構成され、送信モジュールは、第2の時間領域リソースに関する第2の情報を送信するように構成される。
【００２３】
第2の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【００２４】
第2の態様及び前述の実施と関連して、第2の態様の第2の想定し得る実施において、第1のパラメータ値に基づいて第2の時間領域リソースを処理モジュールにより決定することの具体的な実施は、第1の時間領域間隔と第1の時間領域リソースとに基づいて第2の時間領域リソースを決定することである。
【００２５】
第2の態様及び前述の実施と関連して、第2の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００２６】
第2の態様及び前述の実施と関連して、第2の態様の第4の想定し得る実施において、具体的な実施は、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【００２７】
第2の態様及び前述の実施と関連して、第2の態様の第5の想定し得る実施において、第1のパラメータ値に基づいて第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００２８】
第2の態様及び前述の実施と関連して、第2の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００２９】
第2の態様及び前述の実施と関連して、第2の態様の第7の想定し得る実施において、具体的な実施は、第1の時間領域リソースの持続時間及び第2の時間領域リソースの持続時間が第1の時間領域間隔の時間領域単位の持続時間に等しいことである。
【００３０】
第2の態様及び前述の実施と関連して、第2の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００３１】
第2の態様及び前述の実施と関連して、第2の態様の第9の想定し得る実施において、具体的な実施は、第2の時間領域リソースの持続時間が第1の時間領域間隔の時間領域単位の持続時間よりも短い又は該持続時間に等しいことである。
【００３２】
第2の態様及び前述の実施と関連して、第2の態様の第10の想定し得る実施では、第1の時間領域間隔の時間領域単位がサブフレームであり、処理モジュールは、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて処理モジュールにより第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【００３３】
第2の態様及び前述の実施と関連して、第2の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【００３４】
第2の態様及び前述の実施と関連して、第2の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【００３５】
第2の態様及び前述の実施と関連して、第2の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【００３６】
第2の態様及び前述の実施と関連して、第2の態様の第13の想定し得る実施において、第1のパラメータ値を処理モジュールにより取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【００３７】
第2の態様及び前述の実施と関連して、第2の態様の第14の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【００３８】
第3の態様によれば、他のユーザ機器が提供され、このユーザ機器は、プロセッサ、送信機、及び、受信機を含み、プロセッサは、送信機及び受信機を使用することにより第1の態様又は第1の態様の想定し得る実施のうちのいずれか1つにおいて方法を実行するように構成される。
【００３９】
第4の態様によれば、コンピュータ可読記憶媒体が提供され、このコンピュータ可読記憶媒体はコンピュータプログラムを記憶するように構成され、コンピュータプログラムは、第1の態様又は第1の態様の想定し得る実施のいずれか1つにおいて方法を実行するために使用される命令を含む。
【００４０】
第5の態様によれば、情報送信方法が提供され、この方法は、第1の情報を送信するステップであって、第1の情報は、第2の情報を送信するようにUEに指示するために使用される、ステップと、第1のパラメータ値を送信するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、第2の時間領域リソースを決定して、第2の時間領域リソースに関する第2の情報を受信するステップとを含む。
【００４１】
第5の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【００４２】
第5の態様及び前述の実施と関連して、第5の態様の第2の想定し得る実施において、第2の時間領域リソースを決定することの具体的な実施は、第1の時間領域間隔と第1の時間領域リソースとに基づいて第2の時間領域リソースを決定することである。
【００４３】
第5の態様及び前述の実施と関連して、第5の態様の第3の想定し得る実施において、具体的な実施は、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００４４】
第5の態様及び前述の実施と関連して、第5の態様の第4の想定し得る実施において、具体的な実施は、第1のパラメータ値が第1のパラメータ値に対応するマッピング関係のインデックスであり、又は、第1のパラメータ値が第1のパラメータ値に対応する所定のマッピング関係における最小時間領域間隔である。
【００４５】
第5の態様及び前述の実施と関連して、第5の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００４６】
第5の態様及び前述の実施と関連して、第5の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００４７】
第5の態様及び前述の実施と関連して、第5の態様の第7の想定し得る実施において、具体的な実施は、第1の時間領域リソースの持続時間及び第2の時間領域リソースの持続時間が第1の時間領域間隔の時間領域単位の持続時間に等しいことである。
【００４８】
第5の態様及び前述の実施と関連して、第5の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００４９】
第5の態様及び前述の実施と関連して、第5の態様の第9の想定し得る実施において、具体的な実施は、第2の時間領域リソースの持続時間が第1の時間領域間隔の時間領域単位の持続時間よりも短い又は該持続時間に等しいことである。
【００５０】
第5の態様及び前述の実施と関連して、第5の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【００５１】
第5の態様及び前述の実施と関連して、第5の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【００５２】
第5の態様及び前述の実施と関連して、第5の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【００５３】
第5の態様及び前述の実施と関連して、第5の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【００５４】
第5の態様及び前述の実施と関連して、第5の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【００５５】
第5の態様及び前述の実施と関連して、第5の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【００５６】
第6の態様によれば、基地局が提供され、該基地局は、送信モジュール、受信モジュール、及び、処理モジュールを備え、
送信モジュールは第1の情報を送信するように構成され、第1の情報は、第2の情報を送信するようにUEに指示するために使用され、送信モジュールは、第1のパラメータ値を送信するように更に構成され、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと前記第1の時間領域リソースとの間の間隔が4サブフレームよりも短く、処理モジュールは、第2の時間領域リソースを決定するように更に構成され、受信モジュールは、第2の時間領域リソースに関する第2の情報を受信するように構成される。
【００５７】
第6の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【００５８】
第6の態様及び前述の実施と関連して、第6の態様の第2の想定し得る実施において、第2の時間領域リソースを処理モジュールにより決定することの具体的な実施は、第1の時間領域間隔と第1の時間領域リソースとに基づいて第2の時間領域リソースを決定することである。
【００５９】
第6の態様及び前述の実施と関連して、第6の態様の第3の想定し得る実施において、具体的な実施は、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００６０】
第6の態様及び前述の実施と関連して、第6の態様の第4の想定し得る実施において、具体的な実施は、第1のパラメータ値が第1のパラメータ値に対応するマッピング関係のインデックスであり、又は、第1のパラメータ値が第1のパラメータ値に対応する所定のマッピング関係における最小時間領域間隔である。
【００６１】
第6の態様及び前述の実施と関連して、第6の態様の第5の想定し得る実施において、第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００６２】
第6の態様及び前述の実施と関連して、第6の態様の第6の想定し得る実施において、第2の情報を送信するためにUEによって使用されるキャリアがTDDキャリアであるとき、マッピング関係にしたがって第1の時間領域リソースに対応する第1の時間領域間隔を処理モジュールにより決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００６３】
第6の態様及び前述の実施と関連して、第6の態様の第7の想定し得る実施において、具体的な実施は、第1の時間領域リソースの持続時間及び第2の時間領域リソースの持続時間が第1の時間領域間隔の時間領域単位の持続時間に等しいことである。
【００６４】
第6の態様及び前述の実施と関連して、第6の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００６５】
第6の態様及び前述の実施と関連して、第6の態様の第9の想定し得る実施において、具体的な実施は、第2の時間領域リソースの持続時間が第1の時間領域間隔の時間領域単位の持続時間よりも短い又は該持続時間に等しいことである。
【００６６】
第6の態様及び前述の実施と関連して、第6の態様の第10の想定し得る実施では、第1の時間領域間隔の時間領域単位がサブフレームであり、送信モジュールは、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【００６７】
第6の態様及び前述の実施と関連して、第6の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【００６８】
第6の態様及び前述の実施と関連して、第6の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【００６９】
第6の態様及び前述の実施と関連して、第6の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【００７０】
第6の態様及び前述の実施と関連して、第6の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【００７１】
第6の態様及び前述の実施と関連して、第6の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【００７２】
第7の態様によれば、他のユーザ機器が提供され、このユーザ機器は、プロセッサ、送信機、及び、受信機を含み、プロセッサは、送信機及び受信機を使用することにより第5の態様又は第5の態様の想定し得る実施のうちのいずれか1つにおいて方法を実行するように構成される。
【００７３】
第8の態様によれば、コンピュータ可読記憶媒体が提供され、このコンピュータ可読記憶媒体はコンピュータプログラムを記憶するように構成され、コンピュータプログラムは、第5の態様又は第5の態様の想定し得る実施のいずれか1つにおいて方法を実行するために使用される命令を含む。
【００７４】
第9の態様によれば、情報送信方法が提供され、この方法は、第1の情報を送信するステップであって、第1の情報がデータ情報である、ステップと、第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は第1の情報に関する確認情報であり、第2の時間領域リソースの持続時間が1サブフレームよりも長くなく、第2の時間領域リソースと第1の時間領域リソースとの間の間隔が4サブフレームよりも短い、ステップと、第1のパラメータ値に基づいて第2の時間領域リソースを決定して、第2の時間領域リソースに関する第2の情報を受信するステップとを含む。
【００７５】
第9の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【００７６】
第9の態様及び前述の実施と関連して、第9の態様の第2の想定し得る実施において、第1のパラメータ値に基づいて第2の時間領域リソースを決定することの具体的な実施は、第1の時間領域間隔と第1の時間領域リソースとに基づいて第2の時間領域リソースを決定することである。
【００７７】
第9の態様及び前述の実施と関連して、第9の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００７８】
第9の態様及び前述の実施と関連して、第9の態様の第4の想定し得る実施において、具体的な実施は、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【００７９】
第9の態様及び前述の実施と関連して、第9の態様の第5の想定し得る実施において、第1のパラメータ値に基づいて第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００８０】
第9の態様及び前述の実施と関連して、第9の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００８１】
第9の態様及び前述の実施と関連して、第9の態様の第7の想定し得る実施において、具体的な実施は、第1の時間領域リソースの持続時間及び第2の時間領域リソースの持続時間が第1の時間領域間隔の時間領域単位の持続時間に等しいことである。
【００８２】
第9の態様及び前述の実施と関連して、第9の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００８３】
第9の態様及び前述の実施と関連して、第9の態様の第9の想定し得る実施において、具体的な実施は、第2の時間領域リソースの持続時間が第1の時間領域間隔の時間領域単位の持続時間よりも短い又は該持続時間に等しいことである。
【００８４】
第9の態様及び前述の実施と関連して、第9の態様の第10の想定し得る実施では、第1の時間領域間隔の時間領域単位がサブフレームであり、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【００８５】
第9の態様及び前述の実施と関連して、第9の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【００８６】
第9の態様及び前述の実施と関連して、第9の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【００８７】
第9の態様及び前述の実施と関連して、第9の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【００８８】
第9の態様及び前述の実施と関連して、第9の態様の第13の想定し得る実施において、第1のパラメータ値を取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【００８９】
第10の態様によれば、ユーザ機器が提供され、ユーザ機器は、送信モジュール、受信モジュール、及び、処理モジュールを含み、
送信モジュールは第1の情報を送信するように構成され、第1の情報はデータ情報であり、処理モジュールは第1のパラメータ値を取得するように構成され、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報が第1の情報に関する確認情報であり、第2の時間領域リソースの持続時間が1サブフレームよりも長くなく、第2の時間領域リソースと第1の時間領域リソースとの間の間隔が4サブフレームよりも短く、処理モジュールは、第1のパラメータ値に基づいて第2の時間領域リソースを決定するように更に構成され、受信モジュールは、第2の時間領域リソースに関する第2の情報を受信するように構成される。
【００９０】
第10の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【００９１】
第10の態様及び前述の実施と関連して、第10の態様の第2の想定し得る実施において、第1のパラメータ値に基づいて第2の時間領域リソースを処理モジュールにより決定することの具体的な実施は、第1の時間領域間隔と第1の時間領域リソースとに基づいて第2の時間領域リソースを決定することである。
【００９２】
第10の態様及び前述の実施と関連して、第10の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【００９３】
第10の態様及び前述の実施と関連して、第10の態様の第4の想定し得る実施において、具体的な実施は、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【００９４】
第10の態様及び前述の実施と関連して、第10の態様の第5の想定し得る実施において、第1のパラメータ値に基づいて第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【００９５】
第10の態様及び前述の実施と関連して、第10の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【００９６】
第10の態様及び前述の実施と関連して、第10の態様の第7の想定し得る実施において、具体的な実施は、第1の時間領域リソースの持続時間及び第2の時間領域リソースの持続時間が第1の時間領域間隔の時間領域単位の持続時間に等しいことである。
【００９７】
第10の態様及び前述の実施と関連して、第10の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【００９８】
第10の態様及び前述の実施と関連して、第10の態様の第9の想定し得る実施において、具体的な実施は、第2の時間領域リソースの持続時間が第1の時間領域間隔の時間領域単位の持続時間よりも短い又は該持続時間に等しいことである。
【００９９】
第10の態様及び前述の実施と関連して、第10の態様の第10の想定し得る実施では、第1の時間領域間隔の時間領域単位がサブフレームであり、処理モジュールは、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて処理モジュールにより第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０１００】
第10の態様及び前述の実施と関連して、第10の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０１０１】
第10の態様及び前述の実施と関連して、第10の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【０１０２】
第10の態様及び前述の実施と関連して、第10の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【０１０３】
第10の態様及び前述の実施と関連して、第10の態様の第13の想定し得る実施において、第1のパラメータ値を処理モジュールにより取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【０１０４】
第11の態様によれば、他のユーザ機器が提供され、このユーザ機器は、プロセッサ、送信機、及び、受信機を含み、プロセッサは、送信機及び受信機を使用することにより第9の態様又は第9の態様の想定し得る実施のうちのいずれか1つにおいて方法を実行するように構成される。
【０１０５】
第12の態様によれば、コンピュータ可読記憶媒体が提供され、このコンピュータ可読記憶媒体はコンピュータプログラムを記憶するように構成され、コンピュータプログラムは、第9の態様又は第9の態様の想定し得る実施のいずれか1つにおいて方法を実行するために使用される命令を含む。
【０１０６】
第13の態様によれば、情報送信方法が提供され、この方法は、第1の情報を受信するステップであって、第1の情報がデータ情報である、ステップと、第1のパラメータ値を送信するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は第1の情報に関する確認情報であり、第2の時間領域リソースの持続時間が1サブフレームよりも長くなく、第2の時間領域リソースと第1の時間領域リソースとの間の間隔が4サブフレームよりも短い、ステップと、第2の時間領域リソースを決定して、第2の時間領域リソースに関する第2の情報を送信するステップとを含む。
【０１０７】
第13の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０１０８】
第13の態様及び前述の実施と関連して、第13の態様の第2の想定し得る実施において、第2の時間領域リソースを決定することの具体的な実施は、第1の時間領域間隔と第1の時間領域リソースとに基づいて第2の時間領域リソースを決定することである。
【０１０９】
第13の態様及び前述の実施と関連して、第13の態様の第3の想定し得る実施において、具体的な実施は、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【０１１０】
第13の態様及び前述の実施と関連して、第13の態様の第4の想定し得る実施において、具体的な実施は、第1のパラメータ値が第1のパラメータ値に対応するマッピング関係のインデックスであり、又は、第1のパラメータ値が第1のパラメータ値に対応する所定のマッピング関係における最小時間領域間隔である。
【０１１１】
第13の態様及び前述の実施と関連して、第13の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０１１２】
第13の態様及び前述の実施と関連して、第13の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【０１１３】
第13の態様及び前述の実施と関連して、第13の態様の第7の想定し得る実施において、具体的な実施は、第1の時間領域リソースの持続時間及び第2の時間領域リソースの持続時間が第1の時間領域間隔の時間領域単位の持続時間に等しいことである。
【０１１４】
第13の態様及び前述の実施と関連して、第13の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【０１１５】
第13の態様及び前述の実施と関連して、第13の態様の第9の想定し得る実施において、具体的な実施は、第2の時間領域リソースの持続時間が第1の時間領域間隔の時間領域単位の持続時間よりも短い又は該持続時間に等しいことである。
【０１１６】
第13の態様及び前述の実施と関連して、第13の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０１１７】
第13の態様及び前述の実施と関連して、第13の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０１１８】
第13の態様及び前述の実施と関連して、第13の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【０１１９】
第13の態様及び前述の実施と関連して、第13の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【０１２０】
第13の態様及び前述の実施と関連して、第13の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【０１２１】
第14の態様によれば、基地局が提供され、該基地局は、送信モジュール、受信モジュール、及び、処理モジュールを備え、
受信モジュールは第1の情報を受信するように構成され、第1の情報はデータ情報であり、送信モジュールは、第1のパラメータ値を送信するように更に構成され、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報が第1の情報に関する確認情報であり、第2の時間領域リソースの持続時間が1サブフレームよりも長くなく、第2の時間領域リソースと前記第1の時間領域リソースとの間の間隔が4サブフレームよりも短く、処理モジュールは、第2の時間領域リソースを決定するように更に構成され、送信モジュールは、第2の時間領域リソースに関する第2の情報を送信するように構成される。
【０１２２】
第14の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０１２３】
第14の態様及び前述の実施と関連して、第14の態様の第2の想定し得る実施において、第2の時間領域リソースを処理モジュールにより決定することの具体的な実施は、第1の時間領域間隔と第1の時間領域リソースとに基づいて第2の時間領域リソースを決定することである。
【０１２４】
第14の態様及び前述の実施と関連して、第14の態様の第3の想定し得る実施において、具体的な実施は、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【０１２５】
第14の態様及び前述の実施と関連して、第14の態様の第4の想定し得る実施において、具体的な実施は、第1のパラメータ値が第1のパラメータ値に対応するマッピング関係のインデックスであり、又は、第1のパラメータ値が第1のパラメータ値に対応する所定のマッピング関係における最小時間領域間隔である。
【０１２６】
第14の態様及び前述の実施と関連して、第14の態様の第5の想定し得る実施において、第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０１２７】
第14の態様及び前述の実施と関連して、第14の態様の第6の想定し得る実施において、第2の情報を送信するためにUEによって使用されるキャリアがTDDキャリアであるとき、マッピング関係にしたがって第1の時間領域リソースに対応する第1の時間領域間隔を処理モジュールにより決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【０１２８】
第14の態様及び前述の実施と関連して、第14の態様の第7の想定し得る実施において、具体的な実施は、第1の時間領域リソースの持続時間及び第2の時間領域リソースの持続時間が第1の時間領域間隔の時間領域単位の持続時間に等しいことである。
【０１２９】
第14の態様及び前述の実施と関連して、第14の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【０１３０】
第14の態様及び前述の実施と関連して、第14の態様の第9の想定し得る実施において、具体的な実施は、第2の時間領域リソースの持続時間が第1の時間領域間隔の時間領域単位の持続時間よりも短い又は該持続時間に等しいことである。
【０１３１】
第14の態様及び前述の実施と関連して、第14の態様の第10の想定し得る実施では、第1の時間領域間隔の時間領域単位がサブフレームであり、送信モジュールは、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０１３２】
第14の態様及び前述の実施と関連して、第14の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０１３３】
第14の態様及び前述の実施と関連して、第14の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【０１３４】
第14の態様及び前述の実施と関連して、第14の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【０１３５】
第14の態様及び前述の実施と関連して、第14の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【０１３６】
第15の態様によれば、他のユーザ機器が提供され、このユーザ機器は、プロセッサ、送信機、及び、受信機を含み、プロセッサは、送信機及び受信機を使用することにより第13の態様又は第13の態様の想定し得る実施のうちのいずれか1つにおいて方法を実行するように構成される。
【０１３７】
第16の態様によれば、コンピュータ可読記憶媒体が提供され、このコンピュータ可読記憶媒体はコンピュータプログラムを記憶するように構成され、コンピュータプログラムは、第13の態様又は第13の態様の想定し得る実施のいずれか1つにおいて方法を実行するために使用される命令を含む。
【０１３８】
第17の態様によれば、情報送信方法が提供され、方法は、構成インデックスを受信するステップであって、構成インデックスは、制御情報の送信周期及び第1の時間領域リソースオフセットを示すために使用され、第1の時間領域リソースの持続時間が1サブフレームよりも短い、ステップと、システムフレーム番号と構成インデックスとに基づいて制御情報のための時間領域リソースを決定するステップと、時間領域リソースに関する制御情報を送信するステップとを含む。
【０１３９】
第17の態様と関連して、第1の想定し得る実施において、具体的な実施は、制御情報がCSI、SR、又は、HARQ確認情報を含むことである。
【０１４０】
第17の態様又は第17の態様の第1の想定し得る実施と関連して、第2の想定し得る実施において、具体的な実施は、構成インデックスにより示される送信周期及び時間領域リソースオフセットのうちの少なくとも一方の時間領域単位の持続時間が時間領域における時間領域リソースの持続時間と同じであることである。
【０１４１】
第17の態様又は第17の態様の第1の想定し得る実施或いは第17の態様の第2の想定し得る実施と関連して、第3の想定し得る実施において、システムフレーム番号と構成インデックスとに基づいて制御情報のための時間領域リソースを決定することの具体的な実施は、構成インデックスにしたがって送信周期び第1の時間領域リソースオフセットを決定するステップ、並びに、システムフレーム番号、送信周期、第1の時間領域リソースオフセット、及び、第2の時間領域リソースオフセットに基づいて時間領域リソースを決定するステップであり、第1の時間領域オフセットは、制御情報のタイプと関連付けられるオフセットであり、第1の時間領域オフセットは、送信周期における制御情報のオフセットを示すために使用され、第2の時間領域オフセットの持続時間が時間領域リソースのうちの1つ以上の持続時間に等しく、又は、第2のオフセットの持続時間が1サブフレームの持続時間に等しい。
【０１４２】
第17の態様又は第17の態様の第1の想定し得る実施から第17の態様の第3の想定し得る実施までのいずれか1つと関連して、第4の想定し得る実施において、具体的な実施は、第2の時間領域リソースオフセットが予め規定され、又は、第2の時間領域リソースオフセットが基地局によってUEに送信されることである。
【０１４３】
第17の態様又は第17の態様の第1の想定し得る実施から第17の態様の第4の想定し得る実施までのいずれか1つと関連して、第5の想定し得る実施において、システムフレーム番号と構成インデックスとに基づいて制御情報のための時間領域リソースを決定することの具体的な実施は、システムフレーム番号nfとMとの積M＊nf及び構成インデックスにしたがって時間領域リソースの位置を決定するステップ、又は、システムフレーム番号nfとMとの積M＊10＊nf及び構成インデックスにしたがって時間領域リソースの位置を決定するステップであり、ここで、Mは、サブフレームの持続時間と時間領域リソースの持続時間とにしたがって決定され、Mが正の整数である。
【０１４４】
第17の態様又は第17の態様の第1の想定し得る実施から第17の態様の第5の想定し得る実施までのいずれか1つと関連して、第6の想定し得る実施において、システムフレーム番号と構成インデックスとに基づいて制御情報のための時間領域リソースを決定することの具体的な実施は、システムフレーム番号と構成インデックスとに基づいて候補時間領域リソースを決定するステップ、及び、候補時間領域リソースが利用可能なアップリンク時間領域リソースであれば、候補時間領域リソースを制御情報のための時間領域リソースとして決定するステップ、又は、候補時間領域リソースがダウンリンク時間領域リソース又は利用不可能な時間領域リソースであれば、時間領域リソースの後の第1の利用可能なアップリンク時間領域リソースを制御情報のための時間領域リソースとして決定するステップである。
【０１４５】
第18の態様によれば、ユーザ機器が提供され、このユーザ機器は、第17の態様又は第17の態様の想定し得る実施のうちのいずれか1つにおいて方法を実行するように構成される。
【０１４６】
具体的には、装置は、第17の態様又は第17の態様の想定し得る実施のうちのいずれか1つにおいて方法を実行するように構成されるユニットを含んでもよい。
【０１４７】
第19の態様によれば、他のユーザ機器が提供され、このユーザ機器は、プロセッサ、送信機、及び、受信機を含み、プロセッサは、送信機及び受信機を使用することにより第17の態様又は第17の態様の想定し得る実施のうちのいずれか1つにおいて方法を実行するように構成される。
【０１４８】
第20の態様によれば、コンピュータ可読記憶媒体が提供され、このコンピュータ可読記憶媒体はコンピュータプログラムを記憶するように構成され、コンピュータプログラムは、第17の態様又は第17の態様の想定し得る実施のいずれか1つにおいて方法を実行するために使用される命令を含む。
【０１４９】
第21の態様によれば、情報送信方法が提供され、この方法は、第1の情報を受信するステップであって、第1の情報が第2の情報に関する確認情報であり、第2の情報がデータ情報である、ステップと、第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、第1のパラメータ値に基づいて第2の時間領域リソースを決定するステップとを含む。
【０１５０】
第21の態様に関連して、第1の想定し得る実施において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０１５１】
第21の態様及び前述の実施と関連して、第21の態様の第2の想定し得る実施において、第2の時間領域リソースを決定することの具体的な実施は、第1の時間領域間隔と第1の時間領域リソースとに基づいて第2の時間領域リソースを決定することである。
【０１５２】
第21の態様及び前述の実施と関連して、第21の態様の第3の想定し得る実施において、具体的な実施は、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【０１５３】
第21の態様及び前述の実施と関連して、第21の態様の第4の想定し得る実施において、具体的な実施は、第1のパラメータ値が第1のパラメータ値に対応するマッピング関係のインデックスであり、又は、第1のパラメータ値が第1のパラメータ値に対応する所定のマッピング関係における最小時間領域間隔である。
【０１５４】
第21の態様及び前述の実施と関連して、第21の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０１５５】
第21の態様及び前述の実施と関連して、第21の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【０１５６】
第21の態様及び前述の実施と関連して、第21の態様の第7の想定し得る実施において、具体的な実施は、第1の時間領域リソースの持続時間及び第2の時間領域リソースの持続時間が第1の時間領域間隔の時間領域単位の持続時間に等しいことである。
【０１５７】
第21の態様及び前述の実施と関連して、第21の態様の第8の想定し得る実施において、具体的な実施は、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【０１５８】
第21の態様及び前述の実施と関連して、第21の態様の第9の想定し得る実施において、具体的な実施は、第2の時間領域リソースの持続時間が第1の時間領域間隔の時間領域単位の持続時間よりも短い又は該持続時間に等しいことである。
【０１５９】
第21の態様及び前述の実施と関連して、第21の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０１６０】
第21の態様及び前述の実施と関連して、第21の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０１６１】
第21の態様及び前述の実施と関連して、第21の態様の第12の想定し得る実施において、第1の時間領域間隔と第1の時間領域リソースとに基づいて第2の時間領域リソースを決定することの具体的な実施は、第1の時間領域リソースの前であって第1の時間領域リソースから第1の時間領域間隔だけ隔てられる時間領域リソースを第2の時間領域リソースとして決定することである。
【０１６２】
第21の態様及び前述の実施と関連して、第21の態様の第13の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信遅延アドバンスTA値、UEの最大トランスポートブロックサイズTBS値、UEの送信モード情報、UEの能力情報、又は、第2の時間領域リソースの持続時間タイプのうちのいずれか1つである。
【０１６３】
第22の態様によれば、ユーザ機器が提供され、このユーザ機器は、第21の態様又は第21の態様の想定し得る実施のうちのいずれか1つにおいて方法を実行するように構成される。
【０１６４】
具体的には、装置は、第21の態様又は第21の態様の想定し得る実施のうちのいずれか1つにおいて方法を実行するように構成されるユニットを含んでもよい。
【０１６５】
第23の態様によれば、他のユーザ機器が提供され、このユーザ機器は、プロセッサ、送信機、及び、受信機を含み、プロセッサは、送信機及び受信機を使用することにより第21の態様又は第21の態様の想定し得る実施のうちのいずれか1つにおいて方法を実行するように構成される。
【０１６６】
第24の態様によれば、コンピュータ可読記憶媒体が提供され、このコンピュータ可読記憶媒体はコンピュータプログラムを記憶するように構成され、コンピュータプログラムは、第21の態様又は第21の態様の想定し得る実施のいずれか1つにおいて方法を実行するために使用される命令を含む。
【０１６７】
本発明の実施の形態における情報送信方法、基地局、及び、ユーザ機器によれば、送信遅延が減少されると、第1のパラメータ値に基づいて第2の時間領域リソースが決定される。これにより、第1の情報を受信する第1の時間領域リソースと第2の情報を送信する第2の時間領域リソースとの間の間隔を短くすることができ、それにより、データの送信する又は制御情報をフィードバックするための間隔がより短くなる。したがって、遅延減少の性能向上を得ることができ、送信効率及びネットワークスループットが向上されるとともに、通信システムの送信効率が向上される。
【０１６８】
本発明の実施形態における技術的解決策をより明確に説明するために、以下は、実施形態又は従来技術を説明するために必要とされる添付図面について簡単に説明する。明らかに、以下の説明における添付図面は、本発明の幾つかの実施形態を単に示すにすぎず、また、当業者は、創作的努力を伴うことなくこれらの添付図面から他の図面を導き出すことができる。
【図面の簡単な説明】
【０１６９】
【図１】本発明の一実施形態に係る情報送信方法の概略図である。
【図２】本発明の一実施形態に係る第1の時間領域リソースと第2の時間領域リソースとの間のタイムスロット関係の概略図である。
【図３】本発明の他の実施形態に係る情報送信方法の概略図である。
【図４】本発明の更なる他の実施形態に係る情報送信方法の概略図である。
【図５】本発明の更なる他の実施形態に係る情報送信方法の概略図である。
【図６】本発明の更なる他の実施形態に係る情報送信方法の概略図である。
【図７】本発明の更なる他の実施形態に係る情報送信方法の概略図である。
【図８】本発明の一実施形態に係るユーザ機器の概略構造図である。
【図９】本発明の一実施形態に係る基地局の概略構造図である。
【図１０】本発明の他の実施形態に係るユーザ機器の概略構造図である。
【図１１】本発明の他の実施形態に係る基地局の概略構造図である。
【図１２】本発明の更なる他の実施形態に係るユーザ機器の概略構造図である。
【図１３】本発明の更なる他の実施形態に係るユーザ機器の概略構造図である。
【図１４】本発明の更なる他の実施形態に係るユーザ機器の概略構造図である。
【図１５】本発明の更なる他の実施形態に係る基地局の概略構造図である。
【図１６】本発明の更なる他の実施形態に係るユーザ機器の概略構造図である。
【図１７】本発明の更なる他の実施形態に係る基地局の概略構造図である。
【図１８】本発明の更なる他の実施形態に係るユーザ機器の概略構造図である。
【図１９】本発明の更なる他の実施形態に係るユーザ機器の概略構造図である。
【発明を実施するための形態】
【０１７０】
以下は、本発明の実施形態における添付図面に関連して、本発明の実施形態における技術的解決策を明確且つ完全に説明する。明らかに、説明される実施形態は、本発明の実施形態の一部であって、全てではない。創作的努力を伴うことなく本発明の実施形態に基づいて当業者により得られる他の全ての実施形態は、本発明の保護範囲内に含まれるものとする。
【０１７１】
本発明の技術的解決策は、GSM（登録商標、Global System of Mobile communication、モバイル通信用グローバルシステム）、CDMA（Code Division Multiple Access、符号分割多重アクセス）システム、WCDMA（登録商標、Wideband Code Division Multiple Access Wireless、広帯域符号分割多重アクセス）、GPRS（General Packet Radio Service、汎用パケット無線サービス）、及び、LTE（Long Term Evolution、ロング・ターム・エボリューション）などの様々な通信システムに適用されてもよい。
【０１７２】
ユーザ機器（UE、User Equipment）は、移動端末（Mobile Terminal）、アクセス端末、加入者ユニット、加入者局、移動局、モバイルコンソール、遠隔局、遠隔端末、モバイル機器、ユーザ端末、端末、無線通信機器、ユーザエージェント、ユーザ装置などと称されてもよい。アクセス端末は、携帯電話、符号レス電話、SIP（Session Initiation Protocol、セッション・イニシエーション・プロトコル）電話、WLL（Wireless Local Loop、無線ローカルループ）局、PDA（Personal Digital Assistant、パーソナル・デジタル・アシスタント）、無線通信機能を有する携帯機器、コンピュータデバイス、無線モデムに接続される他の処理デバイス、車載デバイス、装着型デバイス、次世代5Gネットワークにおける端末機器、又は、次世代発展型PLMN（Public Land Mobile Network、パブリック・ランド・モバイル・ネットワーク）における端末機器であってもよい。
【０１７３】
ネットワークデバイスは、モバイル機器と通信するために使用されるデバイスであってもよく、ネットワークデバイスは、GSM（登録商標、Global System for Mobile communication、グローバル・システム・フォー・モバイル・コミュニケーションズ）又はCDMA（Code Division Multiple Access、符号分割多重アクセス）におけるBTS（Base Transceiver Station、ベース・トランシーバ・ステーション）であってもよく、或いは、WCDMA（登録商標、Wideband Code Division Multiple Access、広帯域符号分割多重アクセス）におけるNB（NodeB、基地局）であってもよく、或いは、LTE（Long Term Evolution、ロング・ターム・エボリューション）におけるeNB又はeNodeB（Evolutional Node B，発展型NodeB）、アクセスポイント、車載デバイス、装着型デバイス、次世代5Gネットワークにおけるネットワーク側デバイス、次世代発展型PLMN（Public Land Mobile Network、パブリック・ランド・モバイル・ネットワーク）におけるネットワークデバイスなどであってもよい。
【０１７４】
本発明を適用できるシステムは、FDD（Frequency Division Duplex、周波数分割複信）システム、TDD（Time Division Duplex、時分割複信）システム、又は、2つの複信スモードFDD，TDDが使用のために組み込まれるシステムであってもよい。これは本発明において限定されない。
【０１７５】
図1は、本発明の一実施形態に係る情報送信方法の概略図である。図1の方法はユーザ機器によって実行される。
【０１７６】
S110。第1の情報を受信し、この場合、第1の情報は、第2の情報を送信するようにUEに指示するために使用される。
【０１７７】
S120。第1のパラメータ値を取得し、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間は1サブフレームよりも長くなく、第2の時間領域リソースと第1の時間領域リソースとの間の間隔は4サブフレームよりも短い。
【０１７８】
本発明において言及される第1の時間領域リソースは、第1の情報が位置される時間領域リソースであり、第1の情報を送信するために占有されるリソースは、全ての又は一部の周波数領域リソース、符号領域リソース、及び、空間領域リソースを第1の時間領域リソース上に含んでもよいことが理解されるべきである。同様に、本発明において言及される第2の時間領域リソースは、第2の情報が位置される時間領域リソースであり、第2の情報を送信するために占有されるリソースは、全ての又は一部の周波数領域リソース、符号領域リソース、及び、空間領域リソースを第2の時間領域リソース上に含んでもよい。UEによって取得される第1のパラメータ値が時間領域リソースに関する情報を示すために使用されることが理解されるべきである。更に、UEは、時間領域リソースにおける特定の周波数領域リソース、符号領域リソース、空間領域リソースなどに関する情報を取得してもよい。これは、本発明のこの実施形態において限定されない。
【０１７９】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０１８０】
UEによって取得される第1のパラメータ値は、基地局などのネットワーク側デバイスによってUEに送信されてもよく、或いは、プロトコルによって指定されてもよいことが理解されるべきである。
【０１８１】
ステップS110とステップS120との間に厳密な時系列が存在しないことが理解されるべきである。ステップS120は、ステップS110の前に、ステップS110の後に、又は、ステップS110と同時に実行されてもよい。本明細書中において、これは、本発明のこの実施形態で限定されない。特に、第1の情報及び第1のパラメータ値は、同じメッセージを使用することによって送信されてもよい。具体的には、UEによって受信されて第1の情報を含むメッセージは、第1のパラメータ値を更に含んでもよい。
【０１８２】
UEによって取得される第1のパラメータ値が時間領域リソースに関する情報を示すために使用されることが理解されるべきである。更に、UEは、時間領域リソースにおける特定の周波数領域リソース、符号領域リソース、空間領域リソースなどに関する情報を取得してもよい。これは、本発明のこの実施形態において限定されない。
【０１８３】
S130。第1のパラメータ値に基づいて第2の時間領域リソースを決定し、第2の時間領域リソースに関する第2の情報を送信する。
【０１８４】
本発明のこの実施形態では、送信遅延が減少されると、UEは、第1のパラメータ値に基づいて第2の時間領域リソースを決定する。これにより、第1の情報を受信する第1の時間領域リソースと第2の情報を送信する第2の時間領域リソースとの間の間隔を短くすることができ、それにより、データの送信する又は制御情報をフィードバックするための間隔がより短くなる。したがって、遅延減少の性能向上を得ることができ、送信効率及びネットワークスループットが向上されるとともに、通信システムの送信効率が向上される。
【０１８５】
随意的に、一実施形態では、第1の情報がスケジューリング情報であり、第2の情報がスケジューリング情報にしたがってスケジューリングされるアップリンクデータ情報である。本発明のこの実施形態において、UEは、アップリンクデータ送信効率及びネットワークスループットを向上させるために、スケジューリング情報とアップリンクデータとの間の間隔を短くしてもよい。
【０１８６】
或いは、随意的に、一実施形態では、第1の情報がスケジューリング情報であり、第2の情報がスケジューリング情報にしたがってスケジューリングされるアップリンク制御情報である。例えば、制御情報は非周期的CSIであり、スケジューリング情報がCSIトリガ情報である。
【０１８７】
或いは、随意的に、一実施形態では、第1の情報がダウンリンク制御情報であり、第2の情報がダウンリンク制御情報に関するフィードバック情報である。本発明のこの実施形態において、UEは、ダウンリンク制御情報フィードバック効率を向上させるために、ダウンリンク制御情報とフィードバック情報との間の送信間隔を短くしてもよい。
【０１８８】
或いは、随意的に、一実施形態では、第1の情報がダウンリンクデータ情報であり、第2の情報がダウンリンクデータ情報に関する確認情報である。ここで、確認情報は、肯定確認情報（Acknowledgement，ACK）又は否定確認応答（Negative Acknowledgement，NACK）情報を含んでもよいことが理解されるべきである。本発明のこの実施形態において、UEは、確認情報フィードバック効率を向上させるために、ダウンリンクデータ情報と確認情報との間の送信間隔を短くしてもよい。
【０１８９】
第1のパラメータ値は、第1の時間領域リソースと第2の時間領域リソースとの間の位置関係を複数の態様で示してもよいことが理解されるべきである。
【０１９０】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０１９１】
第1の時間領域リソースの持続時間及び第2の時間領域リソースの持続時間の両方が第1の時間領域間隔の持続時間単位に等しい場合には、第1の時間領域間隔が第1の時間領域リソースと第2の時間領域リソースとの間の時間領域間隔に等しく、或いは、第1の時間領域リソースの持続時間又は第2の時間領域リソースの持続時間が第1の時間領域間隔の持続時間単位に等しくない場合には、第1の時間領域間隔が、第1の時間領域リソースの時間領域単位と第2の時間領域リソースの時間領域単位との間の間隔を示し、この場合、時間領域単位の持続時間は、第1の時間領域リソースの持続時間又は第2の時間領域リソースの持続時間より短くないことが理解されるべきである。
【０１９２】
本発明のこの実施形態において、第1のパラメータ値の単位持続時間は、1サブフレームの持続時間、1タイムスロットの持続時間、2つのシンボルの持続時間、4つのシンボルの持続時間などであってもよいことを理解されるべきである。
【０１９３】
例えば、基地局が第1のパラメータ値をUEに送信してもよく、ここで、値は2であり、単位がサブフレームであり、この場合、第1のパラメータ値は、第1の時間領域リソースが位置されるサブフレームと第2の時間領域リソースが位置されるサブフレームとの間の時間領域間隔が2サブフレームであることを示す。
【０１９４】
更に、この実施形態の想定し得る実施において、第1のパラメータ値に基づいて第2の時間領域リソースを決定することの具体的な実施は、第1の時間領域間隔及び第1の時間領域リソースに基づいて第2の時間領域リソースを決定することであってもよい。
【０１９５】
第1の時間領域間隔及び第1の時間領域リソースに基づいて第2の時間領域リソースを決定することが複数の実施を含んでもよいことが理解されるべきである。
【０１９６】
随意的に、第1の時間領域間隔及び第1の時間領域リソースに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することであってもよい。
【０１９７】
例えば、第1の時間領域リソースがサブフレームnであり、第1の時間領域間隔がk個のサブフレームを示すkであり、サブフレームn＋kが第2の時間領域リソースとして決定されてもよいと仮定する。第2の情報を送信するためのサブキャリアがFDDサブキャリアであるとき、一般に、UEはこの態様を使用する。
【０１９８】
本発明のこの実施形態では、第1の時間領域リソースと第2の時間領域リソースとの間の第1の時間領域間隔が第1のパラメータ値に基づいて決定され、また、更に、第2の時間領域リソースが第1の時間領域リソースと第1の時間領域間隔とに基づいて決定される。したがって、データを送信する又は制御情報をフィードバックするための間隔が短くなり、遅延減少の性能向上を得ることができるとともに、送信効率及びネットワークスループットが向上される。
【０１９９】
或いは、随意的に、第1の時間領域間隔及び第1の時間領域リソースに基づいて第2の時間領域リソースを決定することの具体的な実施は、第1の時間領域間隔及び第1の時間領域リソースに基づいて第3の時間領域リソースを決定するステップ、並びに、第3の時間領域リソースが利用可能なアップリンク時間領域リソースであれば、第3の時間領域リソースを第2の時間領域リソースとして決定するステップであってもよい。具体的には、例えば、第3の時間領域リソースは、第1の時間領域リソースの後であって第1の時間領域リソースから第1の時間領域間隔だけ隔てられる時間領域リソースであってもよい。
【０２００】
本発明のこの実施形態では、第3の時間領域リソースが第1の時間領域間隔及び第1の時間領域リソースに基づいて決定された後、第3の時間領域リソースが利用可能なアップリンク時間領域リソースであるかどうかが決定され、また、第3の時間領域リソースが利用可能なアップリンク時間領域リソースである場合には、第3の時間領域リソースが第2の時間領域リソースとして決定される。したがって、UEは、ダウンリンク時間領域リソース又は利用不可能な時間領域リソースに関する第2の情報を送信することが防止される。
【０２０１】
表1は、異なるTDDアップリンク−ダウンリンク構成における送信周期及びフレーム構造を示し、ここで、Dはダウンリンクサブフレームを表わし、Uはアップリンクサブフレームを表わし、また、Sは特別なサブフレームを表わす。
【０２０２】
【表１】
2020162178.tif 000003
【０２０３】
一例として表1を用いて、第2の情報を送信するためにUEにより使用される周波数領域リソースがTDDサブキャリアであり、UEのTDDアップリンク−ダウンリンク構成が1であり、第1の時間領域リソースのサブフレームnの値が4であり、第1の時間領域間隔kの値が3サブフレームであると仮定すると、UEは、サブフレームn＋kを第3の時間領域リソースとして決定し、すなわち、サブフレーム7を第3の時間領域リソースとして決定してもよい。サブフレーム7は利用可能なアップリンクサブフレームであるため、UEはサブフレーム7において第2の情報を送信してもよい。
【０２０４】
或いは、随意的に、第1の時間領域間隔及び第1の時間領域リソースに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソース又は利用不可能な時間領域リソースであれば、第3の時間領域リソース後の第1の利用可能なアップリンク時間領域リソースを第2の時間領域リソースとして決定するステップであってもよい。
【０２０５】
一例として表1を依然として用いて、UEのTDDアップリンク−ダウンリンク構成が1であり、第1の時間領域リソースのサブフレームnの値が4であり、サブフレーム間隔kの値が2であると仮定すると、サブフレームn＋kがサブフレーム6であると決定されてもよく、更に、サブフレーム6が特別なサブフレームであると決定されてもよい。UEは、サブフレーム6の後の第1の利用可能なアップリンクサブフレームを第2の時間領域リソースとして選択してもよく、すなわち、サブフレーム7を第2の時間領域リソースとして選択してサブフレーム7において第2の情報を送信してもよい。
【０２０６】
確かに、第3の時間領域リソースがダウンリンク時間領域リソース又は利用不可能な時間領域リソースであれば、UEが第2の情報を送信しないことを選択してもよいことが理解されるべきである。一例として表1を依然として用いて、UEのTDDアップリンク−ダウンリンク構成が1であり、第1の時間領域リソースのサブフレームnの値が4であり、サブフレーム間隔kの値が2であると仮定すると、UEは、サブフレーム6を決定するとともに、サブフレーム6が利用可能なアップリンクサブフレームではないと決定した後に第2の情報を送信することを放棄してもよい。
【０２０７】
確かに、第1の時間領域間隔の持続時間単位も、1つのタイムスロット、又は、2つのシンボル、又は、4つのシンボルなどであってもよいことが理解されるべきである。
【０２０８】
システムフレームが20個のタイムスロットに分割されると仮定すると、20個のタイムスロットに分割されるTDDシステムフレームのフレーム構造が表2に示されてもよい。
【０２０９】
【表２】
2020162178.tif 000004
【０２１０】
ここで、Dは、タイムスロットがダウンリンクデータを送信するために使用されることを示し、Uは、タイムスロットがアップリンクデータを送信するために使用されることを示し、Sは、タイムスロットが特別なタイムスロットであることを示す。
【０２１１】
一例として表2を使用して、UEがTDDアップリンク−ダウンリンク構成2を使用し、第1の時間領域リソースのタイムスロット番号が1であり、タイムスロット間隔が2であると仮定すると、UEは最初にタイムスロット1＋2＝タイムスロット3を決定する。タイムスロット3が位置されるサブフレームは特別なサブフレームであってアップリンクデータを送信するために使用することができないため、UEは、タイムスロット3の後の第1の利用可能なアップリンクサブフレームの第1のタイムスロットを第2の時間領域リソースとして決定してもよい。具体的には、UEは、タイムスロット4を第2の時間領域リソースとして決定してもよい。
【０２１２】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【０２１３】
具体的には、この実施形態において、第1のパラメータ値に基づいて第2の時間領域リソースを決定することの具体的な実施は、第1のパラメータ値に対応するマッピング関係を決定するステップ、マッピング関係にしたがって、第1の時間領域リソースに対応する前記第1の時間領域間隔を決定するステップ、及び、第1の時間領域間隔と第1の時間領域リソースとに基づいて第2の時間領域リソースを決定するステップである。
【０２１４】
本発明のこの実施形態では、第1のパラメータ値に基づいて所定のマッピング関係が決定され、その後、第1の時間領域リソースと第2の時間領域リソースとの間の第1の時間領域間隔が所定のマッピング関係にしたがって決定され、更に、第2の時間領域リソースが第1の時間領域リソースと第1の時間領域間隔とに基づいて決定される。したがって、データを送信する又は制御情報をフィードバックするための間隔が短くなり、遅延減少の性能向上を得ることができるとともに、送信効率及びネットワークスループットが向上される。
【０２１５】
本発明のこの実施形態における第1の時間領域間隔の定義は、第1のパラメータ値が第1の時間領域間隔である前述の実施形態における第1の時間領域間隔の定義と同様である。したがって、本発明のこの実施形態では、詳細についてここで再び説明しない。
【０２１６】
更に、第2の情報を送信するためにUEによって使用されるキャリアがTDDキャリアであるとき、マッピング関係にしたがって第1の時間領域リソースに対応する第1の時間領域間隔を決定するステップは、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０２１７】
所定のマッピング関係は、プロトコルによって指定されるマッピング関係表などであってもよいことが理解されるべきである。表3、表4、及び、表5はそれぞれ、TDDの想定し得るマッピング関係表を示し、この場合、マッピング関係表における時間領域間隔の測定の単位はサブフレームである。
【０２１８】
【表３】
2020162178.tif 000005
【０２１９】
【表４】
2020162178.tif 000006
【０２２０】
【表５】
2020162178.tif 000007
【０２２１】
先の表3〜表5において、2番目の横列はサブフレーム番号を示し、1番目の縦列は異なるTDDアップリンク−ダウンリンク構成を示す。表中の横列は、対応するTDDアップリンク−ダウンリンク構成内の各サブフレームに対応するサブフレーム間隔を示す。
【０２２２】
例えば、表3において、UEのTDDキャリアのTDDアップリンク−ダウンリンク構成が1であり、第1の時間領域リソースのサブフレームが4である場合、第1の時間領域リソースに対応するサブフレーム間隔は3である。他の例に関し、表5において、UEのTDDキャリアのTDDアップリンク−ダウンリンク構成が2であり、第1の時間領域リソースのサブフレームが1であるとき、第1の時間領域リソースに対応するサブフレーム間隔は1である。
【０２２３】
確かに、本発明のこの実施形態では、マッピング関係が複数の方法で示されてもよいことが理解されるべきである。
【０２２４】
随意的に、この実施形態の想定し得る実施において、第1のパラメータ値は、第1のパラメータ値に対応するマッピング関係のインデックスであってもよい。一例として先の表3〜表5に示されるマッピング関係表を使用して、第3の情報で運ばれる第1のパラメータ値が1であるときに、表3〜表5に示されるマッピング関係表のインデックスがそれぞれ1、2、3であると仮定すると、それは表3に示されるマッピング関係表が選択されたことを示す。
【０２２５】
随意的に、この実施形態の他の想定し得る実施において、第1のパラメータ値は、第1のパラメータ値に対応する所定のマッピング関係における最小時間領域間隔である。1つの最小時間領域間隔は1つの所定のマッピング関係に対応し、また、異なるマッピング関係における最小時間領域間隔は異なる。先の表3〜表5に示されるマッピング関係表を依然として一例として使用すると、第1のパラメータ値は1であることは、第1のパラメータ値に対応するマッピング関係が表5に示されるマッピング関係表であることを示す。
【０２２６】
なお、先の表3〜表5の構成は一例にすぎない。実際の適用では、他の構成モードが存在し得る。例えば、マッピング関係表内の最小時間領域間隔が2である場合、マッピング関係表が更に表6に示されてもよい。
【０２２７】
【表６】
2020162178.tif 000008
【０２２８】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０２２９】
随意的に、他の実施形態において、第2の時間領域リソースの持続時間は、第1の時間領域間隔の時間領域単位の持続時間よりも短い又は該持続時間に等しい。
【０２３０】
この実施形態では、第2の時間領域リソースの持続時間が第1の時間領域間隔の時間領域単位の持続時間よりも短いため、第2の時間領域リソースを第1の時間領域間隔と第2の時間領域リソースとに完全に基づいて決定できず、また、第2の時間領域リソースの時間領域単位内の第2の時間領域リソースの位置も示される必要があり、この場合、時間領域単位は第1の時間領域間隔の時間領域単位である。
【０２３１】
随意的に、この実施形態の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、また、第1のサブフレームは、第1の時間領域リソースが位置されるサブフレームである。
【０２３２】
具体的には、第1の時間領域間隔の時間領域単位がサブフレームであり、第1の時間領域リソースの持続時間及び第2の時間領域リソースの持続時間が1タイムスロット（slot）である場合、第1の時間領域単位内の第1の時間領域リソースの位置インデックスと第2の時間領域単位内の第2の時間領域リソースの位置インデックスとの間の関係は、以下のうちの1つであってもよい。すなわち、
第1の時間領域リソースが第1のサブフレームの奇数タイムスロットを使用するとき、第2の時間領域リソースは第2のサブフレームの奇数タイムスロットを使用し、又は、
第1の時間領域リソースが第1のサブフレームの奇数タイムスロットを使用するとき、第2の時間領域リソースは第2のサブフレームの偶数タイムスロットを使用し、又は、
第1の時間領域リソースが第1のサブフレームの偶数タイムスロットを使用するとき、第2の時間領域リソースは第2のサブフレームの奇数タイムスロットを使用し、又は、
第1の時間領域リソースが第1のサブフレームの偶数タイムスロットを使用するとき、第2の時間領域リソースは第2のサブフレームの偶数タイムスロットを使用し、この場合、第1のサブフレームは、第1の時間領域リソースが位置されるサブフレームであり、第2のサブフレームは、第2の時間領域リソースが位置されるサブフレームである。
【０２３３】
この場合、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2時間領域リソースの位置を決定するステップである。
【０２３４】
図2は、本発明の一実施形態に係る第1の時間領域リソースと第2の時間領域リソースとの間のタイムスロット関係の概略図である。例えば、第1の時間領域リソースが第1のサブフレームの奇数タイムスロットを使用するときに第2の時間領域リソースが第2のサブフレームの奇数タイムスロットを使用することが事前に合意されていると仮定する。図に示されるシナリオにおいて、UEは、UE grantを使用することによりサブフレームnの奇数タイムスロットでスケジューリング情報を取得し、また、サブフレーム間隔はkサブフレームである。具体的には、UEの第1の時間領域リソースはサブフレームnの奇数タイムスロットであり、第1の時間領域間隔はkである。この場合、UEは、第1の時間領域リソースと第1の時間領域間隔とに基づいてサブフレームn＋kを決定するとともに、第1のサブフレーム内の第1の時間領域リソースの位置と第2のサブフレーム内の第2時間領域リソースの位置との間の関係にしたがってサブフレームn＋k内の第2の時間領域リソースのタイムスロット位置を決定、すなわち、サブフレームn＋kの奇数タイムスロットを第2時間領域リソースとして決定してもよい。
【０２３５】
随意的に、サブフレーム内の第2の時間領域リソース及び第1の時間領域リソースによって使用されるシンボルの位置等も指定され得る。例えば、第2の時間領域リソース及び第1の時間領域リソースがサブフレーム内のシンボル0及びシンボル1を使用することが定められてもよい。例えば、具体的には、第1の時間領域間隔の時間領域単位がサブフレームであり、第1の時間領域リソースの持続時間及び第2の時間領域リソースの持続時間が2シンボルである場合、第1の時間領域単位における第1の時間領域リソースの位置インデックス及び第2の時間領域単位における第2の時間領域リソースの位置インデックスは、サブフレーム内の同じ位置又は異なる位置に現れる。
【０２３６】
本発明のこの実施形態では、第1の時間領域間隔の時間領域単位がサブフレームであり、第2の時間領域リソースの持続時間が1サブフレームの持続時間よりも短い場合には、第2の時間領域リソースが位置されるサブフレーム内の第2の時間領域リソースの位置が予め定められ、それにより、UEが第2の時間領域リソースの位置を正確に決定することができる。
【０２３７】
随意的に、この実施形態の他の想定し得る実施では、第1の時間領域間隔の時間領域単位がサブフレームであり、また、方法は、第2のパラメータ値を取得するステップを更に含み、この場合、第2のパラメータ値は、第2のサブフレーム内の第2の時間領域リソースの位置を示すために使用され、第2のサブフレームは、第2の時間領域リソースが位置されるサブフレームである。
【０２３８】
この場合、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームが、第1の時間領域リソースが位置されるサブフレームである、ステップと、第2のパラメータ値に基づいて第2のサブフレーム内の第2の時間領域リソースの位置を決定するステップであってもよい。
【０２３９】
一例として図2に示されるシナリオを依然として使用すると、第1の時間領域リソースが位置されるサブフレームがサブフレームnである場合、第1の時間領域間隔がkであること及びUEによって取得される第2のパラメータ値の値が奇数タイムスロットを示す0であることをUEによって取得される第1のパラメータ値が示すと仮定すると、UEは、最初に、第1の時間領域リソースと第1の時間領域間隔とに基づいて、サブフレームn＋kを、第2の時間領域リソースが位置されるサブフレームとして決定し、その後、第2のパラメータ値に基づいて、サブフレームn＋k内の奇数のタイムスロットを第2の時間領域リソースとして決定してもよい。
【０２４０】
第1のパラメータ値が基地局によって送信され又はプロトコルによって指定されてもよいことが理解されるべきである。
【０２４１】
第1のパラメータ値が基地局によって送信されるとき、基地局は、第1のパラメータ値を直接送信してもよく、又は、他の情報を使用することによって第1のパラメータ値を暗黙的に示してもよい。
【０２４２】
基地局が他の情報を使用することによって暗黙的に第1のパラメータ値を示すとき、随意的に、第1のパラメータ値を取得する具体的な実施は、
指示情報を取得するステップであって、指示情報が第1のパラメータ値に対応する、ステップ、及び、
指示情報にしたがって第1のパラメータ値を決定するステップであってもよく、この場合、
指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０２４３】
例えば、プロトコルは最大サポートTA値を規定してもよい。異なるTA値は異なる第1のパラメータ値に対応する。UEは、基地局によって送信される最大TA値を使用することによって第1のパラメータ値を決定する。例えば、4つの異なる第1のパラメータ値に対応する4つの異なるTA値がある。一般に、TA値が大きければ、TA値に対応する第1のパラメータ値もまた大きい。或いは、例えば、M個のTA値とN個の第1のパラメータ値があり、M及びNはいずれもゼロでない整数であり、M＜Nである。具体的には、1つのTA値は1つ以上の第1のパラメータ値に対応し得る。
【０２４４】
本発明のこの実施形態において、TA値は、基地局によって送信される信号を使用することによって取得されてもよく、この場合、信号はブロードキャストメッセージ又はマルチキャストメッセージを使用することによって送信されてもよいことが理解されるべきである。
【０２４５】
他の例において、プロトコルは最大サポートTBS値を規定してもよく、また、異なるTBS値は異なる第1のパラメータ値に対応する。UEは、基地局によって送信される最大TBS値を使用することによって第1のパラメータ値を決定する。TA値と同様に、1つのTBS値はただ1つの第1のパラメータ値に対応する、又は、1つのTBS値は1つ以上の第1のパラメータ値に対応する。
【０２４６】
他の例において、送信モードは、モード0、モード1、モード2、又は、モード3であってもよく、また、異なる送信モードは異なる第1のパラメータ値に対応する。ここで、送信モードは、異なるマルチアンテナ送信モード（例えば、シングルアンテナ又はマルチアンテナ、送信ダイバーシティ又は空間多重化、シングルユーザMIMO（Multiple Input Multiple Output）又はマルチユーザMIMO、及び、シングルストリーム又はマルチストリーム）；協調送信モード（協調マルチポイント送信モード又は非協調送信モード）が使用されるかどうか；及び、異なる送信持続時間に対応する送信モード（例えば、1ms持続時間に対応する送信モード、1タイムスロットに対応する送信モード、2シンボルに対応する送信モード、又は、4シンボルに対応する送信モード）のうちのいずれか1つであってもよい。UEは、基地局によって送信される送信モード情報を使用することによって第1のパラメータ値を決定する。TA値と同様に、送信モード情報の1つの断片は、ただ1つの第1のパラメータ値に対応し、或いは、送信モード情報の1つの断片は、1つ以上の第1のパラメータ値に対応する。例えば、異なる送信持続時間の送信モードの場合、1msの持続時間の送信モードにおける第1のパラメータ値は3又は4であってもく、また、2シンボル持続時間の送信モードにおける第1のパラメータ値は4〜8であってもよい。送信モードが一意的でない複数の第1のパラメータ値に対応する場合、第1のパラメータ値は、他の情報を使用することによって更に決定されてもよい。情報は、各送信中に対応する第1のパラメータの特定の値を示すために使用される。情報は、基地局によって予め規定され又は示されてもよい。
【０２４７】
他の例において、UEの異なる能力情報は異なる第1のパラメータ値に対応し、また、UEは、UEの能力情報にしたがって第1のパラメータ値を決定する。UEの処理能力が高い場合、対応する第1のパラメータ値はより小さくなる場合があり、そのことは、UEがサービスの送信処理又は受信処理をより短い時間内で完了できることを示す。
【０２４８】
他の例において、UEは、第2の時間領域リソースの持続時間タイプにしたがって第1のパラメータ値を決定してもよい。例えば、1msの持続時間に対応する第1のパラメータ値は3であり、0．5msの持続時間に対応する第1のパラメータ値は2である。
【０２４９】
本発明のこの実施形態では、第1のパラメータ値が暗黙的に示されるため、指示の信号を減らすことができる。更に、第1のパラメータ値が暗黙的に示されるため、送信遅延を減らすための重要なパラメータを更に関連付けることができる。これは、システム通信中の重要なパラメータの一貫性を確保し、設定されたパラメータの不整合によって引き起こされる潜在的な競合を減らす。
【０２５０】
図3は、本発明の他の実施形態に係る情報送信方法の概略図である。図3の方法は、ネットワーク側デバイス、例えば基地局によって実行される、又は、D2Dデバイスによって実行される。方法は以下のステップを含む。
【０２５１】
S310。第1の情報を受信し、この場合、第1の情報は、第2の情報を送信するようにUEに指示するために使用される。
【０２５２】
S320。第1のパラメータ値を送信し、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間は1サブフレームよりも長くなく、第2の時間領域リソースと第1の時間領域リソースとの間の間隔は4サブフレームよりも短い。
【０２５３】
本発明において言及される第1の時間領域リソースは、第1の情報が位置される時間領域リソースであり、第1の情報を送信するために占有されるリソースは、全ての又は一部の周波数領域リソース、符号領域リソース、及び、空間領域リソースを第1の時間領域リソース上に含んでもよいことが理解されるべきである。同様に、本発明において言及される第2の時間領域リソースは、第2の情報が位置される時間領域リソースであり、第2の情報を送信するために占有されるリソースは、全ての又は一部の周波数領域リソース、符号領域リソース、及び、空間領域リソースを第2の時間領域リソース上に含んでもよい。基地局によって送信される第1のパラメータ値は、時間領域リソースに関する情報を示すために使用されることが理解されるべきである。更に、基地局は、時間領域リソースにおける特定の周波数領域リソース、符号領域リソース、及び、空間領域リソースなどに関する情報をUEに送信してもよい。これは、本発明のこの実施形態において限定されない。
【０２５４】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０２５５】
ステップS310とステップS320との間に厳密な時系列が存在しないことが理解されるべきである。ステップS320は、ステップS310の前、又は、ステップS310の後、又は、ステップS310と同時に実行されてもよい。本明細書中において、これは、本発明のこの実施形態で限定されない。例えば、第1のパラメータ値は、同じメッセージ内で第1の情報と共に送信されてもよく、又は、第1の情報の前に送信されてもよく、又は、第1の情報の後に送信されてもよい。
【０２５６】
S330。第2の時間領域リソースを決定し、第2の時間領域リソースに関する第2の情報を受信する。
【０２５７】
本発明のこの実施形態では、送信遅延が減少されると、基地局は第1のパラメータ値をUEに送信し、それにより、UEは、第1のパラメータ値に基づいて第2の時間領域リソースを決定する。これにより、第1の情報を送信するための第1の時間領域リソースと第2の情報を受信するための第2の時間領域リソースとの間の間隔を短くすることができ、それにより、データを受信する又はフィードバックの制御情報を受信するための間隔がより短くなる。したがって、遅延減少の性能向上を得ることができ、送信効率及びネットワークスループットが向上されるとともに、通信システムの送信効率が向上される。
【０２５８】
随意的に、一実施形態では、第1の情報がスケジューリング情報であり、第2の情報がスケジューリング情報にしたがってスケジューリングされるアップリンクデータ情報である。本発明のこの実施形態では、基地局が第1の基準値をUEに送信し、それにより、UEは、第1の基準値にしたがってスケジューリング情報とアップリンクデータとの間の送信間隔を短縮して、アップリンクデータ送信効率及びネットワークスループットを向上させることができる。
【０２５９】
或いは、随意的に、一実施形態では、第1の情報がスケジューリング情報であり、第2の情報がスケジューリング情報にしたがってスケジューリングされるアップリンク制御情報である。例えば、制御情報は非周期的CSIであり、スケジューリング情報がCSIトリガ情報である。
【０２６０】
或いは、随意的に、一実施形態では、第1の情報がダウンリンク制御情報であり、第2の情報がダウンリンク制御情報に関するフィードバック情報である。本発明のこの実施形態では、基地局が第1の基準値をUEに送信し、それにより、UEは、第1の基準値にしたがってダウンリンク制御情報とフィードバック情報との間の送信間隔を短縮して、ダウンリンク制御情報フィードバック効率を向上させることができる。
【０２６１】
或いは、随意的に、一実施形態では、第1の情報がダウンリンクデータ情報であり、第2の情報がダウンリンクデータ情報に関する確認情報である。本明細書では、確認情報がACK情報又はNACK情報を含んでもよいことが理解されるべきである。本発明のこの実施形態では、基地局が第1の基準値をUEに送信するので、UEは、第1の基準値にしたがってダウンリンクデータ情報と確認情報との間の送信間隔を短縮して確認情報フィードバック効率を改善することができる。
【０２６２】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０２６３】
更に、この実施形態の想定し得る実施において、第1のパラメータ値に基づいて第2の時間領域リソースを決定することの具体的な実施は、第1の時間領域間隔及び第1の時間領域リソースに基づいて第2の時間領域リソースを決定することであってもよい。
【０２６４】
本発明のこの実施形態では、第1のパラメータ値が第1の時間領域リソースと第2の時間領域リソースとの間の第1の時間領域間隔である特定の実施形態については、以下の説明を参照することができる。図1に示す実施形態。
【０２６５】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０２６６】
更に、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて前記第2の時間領域リソースを決定するステップであってもよい。
【０２６７】
更にまた、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０２６８】
本発明のこの実施形態では、第1のパラメータ値が所定の表に対応する具体的な実施において、図1に示される実施形態に関する説明が参照されてもよいことが理解されるべきである。したがって、本発明のこの実施形態では、詳細についてここで再び説明しない。
【０２６９】
随意的に、第1の時間領域間隔及び第1の時間領域リソースに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することであってもよい。
【０２７０】
或いは、随意的に、第1の時間領域間隔及び第1の時間領域リソースに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０２７１】
或いは、随意的に、第1の時間領域間隔と第1の時間領域リソースとに基づいて第2の時間領域リソースを決定することの具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０２７２】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０２７３】
随意的に、他の実施形態において、第2の時間領域リソースの持続時間は、第1の時間領域間隔の時間領域単位の持続時間よりも短い又は該持続時間に等しい。
【０２７４】
随意的に、この実施形態の実施では、第1の時間領域間隔の時間領域単位がサブフレームであり、また、第1の時間領域間隔と第1の時間領域リソースとに基づいて第2の時間領域リソースを決定する前に、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、
第1の時間領域間隔と第1の時間領域リソースとに基づいて第2の時間領域リソースを決定するステップは、第1の時間領域間隔と第1のサブフレームとに基づいて第2のサブフレームを決定するステップであって、第1のサブフレームは、第1の時間領域リソースが位置されるサブフレームである、ステップと、第2のパラメータ値に基づいて第2のサブフレーム内の第2の時間領域リソースの位置を決定するステップとを含む。
【０２７５】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０２７６】
本発明のこの実施形態では、第1の時間領域間隔と第1の時間領域リソースとに基づいて第2の時間領域リソースを決定することの具体的な実施において、図1に示される実施形態に関する説明が参照されてもよいことが理解されるべきである。したがって、本発明のこの実施形態では、詳細についてここで再び説明しない。
【０２７７】
基地局が第1のパラメータ値を複数の態様で送信してもよいことが理解されるべきである。
【０２７８】
随意的に、一実施形態において、第1のパラメータ値を送信することの具体的な実施は、指示情報を送信することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０２７９】
或いは、随意的に、第1のパラメータ値を送信することの具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０２８０】
本発明のこの実施形態では、基地局により送信される第1のパラメータ値の具体的な実施において、図1に示される実施形態においてUEにより取得される第1のパラメータ値の実施が参照されてもよいことが理解されるべきである。したがって、本発明のこの実施形態では、詳細についてここで再び説明しない。
【０２８１】
図4は、本発明の更なる他の実施形態に係る情報送信方法の概略図である。図4の方法はユーザ機器によって実行される。方法は以下のステップを含む。
【０２８２】
S410。第1の情報を受信し、この場合、第1の情報はデータ情報である。
【０２８３】
S420。第1のパラメータ値を取得し、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は第1の情報に関する確認情報であり、第2の時間領域リソースの持続時間は1サブフレームよりも長くなく、第2の時間領域リソースと第1の時間領域リソースとの間の間隔は4サブフレームよりも短い。
【０２８４】
本発明において言及される第1の時間領域リソースは、第1の情報が位置される時間領域リソースであり、第1の情報を送信するために占有されるリソースは、全ての又は一部の周波数領域リソース、符号領域リソース、及び、空間領域リソースを第1の時間領域リソース上に含んでもよいことが理解されるべきである。同様に、本発明において言及される第2の時間領域リソースは、第2の情報が位置される時間領域リソースであり、第2の情報を送信するために占有されるリソースは、全ての又は一部の周波数領域リソース、符号領域リソース、及び、空間領域リソースを第2の時間領域リソース上に含んでもよい。第1のパラメータ値が時間領域リソースに関する情報を示すために使用されることが理解されるべきである。更に、UEは、時間領域リソースにおける特定の周波数領域リソース、符号領域リソース、空間領域リソースなどに関する情報を取得してもよい。これは、本発明のこの実施形態において限定されない。
【０２８５】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０２８６】
UEによって取得される第1のパラメータ値は、基地局などのネットワーク側デバイスによってUEに送信されてもよく、或いは、プロトコルによって指定されてもよいことが理解されるべきである。
【０２８７】
ステップS410とステップS420との間に厳密な時系列が存在しないことが理解されるべきである。ステップS420は、ステップS410の前、ステップS410の後、又は、ステップS410と同時に実行されてもよい。本明細書中において、これは、本発明のこの実施形態で限定されない。特に、第1の情報及び第1のパラメータ値は、同じメッセージを使用することによって送信されてもよい。具体的には、UEによって受信されて第1の情報を含むメッセージは、第1のパラメータ値を更に含んでもよい。
【０２８８】
S430。第1のパラメータ値に基づいて第2の時間領域リソースを決定して、第2の時間領域リソースに関する第2の情報を受信する。
【０２８９】
本発明のこの実施形態では、送信遅延が減少されると、UEは、第1のパラメータ値に基づいて第2の時間領域リソースを決定する。これにより、第1の情報を送信するための第1の時間領域リソースと第2の情報を受信するための第2の時間領域リソースとの間の間隔を短くすることができ、それにより、データを受信するための間隔がより短くなる。したがって、遅延減少の性能向上を得ることができ、送信効率及びネットワークスループットが向上されるとともに、通信システムの送信効率が向上される。
【０２９０】
随意的に、一実施形態において、第1のパラメータ値は、第2の時間領域リソースを含む複数の候補時間領域リソースであり、第1のパラメータ値に基づいて及び第2の時間領域リソースに基づいて第2の時間領域リソースを決定することの具体的な実施は、第2の時間領域リソースを決定するために複数の候補時間領域リソースに関してブラインド検出を実行することである。
【０２９１】
例えば、第1のパラメータ値は、第2の時間領域リソースが位置されるダウンリンクサブフレームのセットX＝｛xi｝であってもよく、また、UEは、セット内でブラインド検出を実行して、第2の時間領域リソースを決定する。
【０２９２】
随意的に、他の実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０２９３】
更に、この実施形態の想定し得る実施において、第1のパラメータ値に基づいて第2の時間領域リソースを決定することの具体的な実施は、第1の時間領域間隔及び第1の時間領域リソースに基づいて第2の時間領域リソースを決定することであってもよい。
【０２９４】
本発明のこの実施形態では、第1のパラメータ値が第1の時間領域リソースと第2の時間領域リソースとの間の第1の時間領域間隔である特定の実施形態については、以下の説明を参照することができる。図1に示す実施形態。
【０２９５】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０２９６】
更に、第2の時間領域リソースを決定することの具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０２９７】
更にまた、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０２９８】
本発明のこの実施形態では、第1のパラメータ値が所定の表に対応する具体的な実施において、図1に示される実施形態に関する説明が参照されてもよいことが理解されるべきである。したがって、本発明のこの実施形態では、詳細についてここで再び説明しない。
【０２９９】
随意的に、第1の時間領域間隔及び第1の時間領域リソースに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することであってもよい。
【０３００】
或いは、随意的に、第1の時間領域間隔及び第1の時間領域リソースに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０３０１】
或いは、随意的に、第1の時間領域間隔と第1の時間領域リソースとに基づいて第2の時間領域リソースを決定することの具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０３０２】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０３０３】
随意的に、他の実施形態において、第2の時間領域リソースの持続時間は、第1の時間領域間隔の時間領域単位の持続時間よりも短い又は該持続時間に等しい。
【０３０４】
随意的に、この実施形態の実施では、第1の時間領域間隔の時間領域単位がサブフレームであり、また、第1の時間領域間隔と第1の時間領域リソースとに基づいて第2の時間領域リソースを決定する前に、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、
第1の時間領域間隔と第1の時間領域リソースとに基づいて第2の時間領域リソースを決定するステップは、第1の時間領域間隔と第1のサブフレームとに基づいて第2のサブフレームを決定するステップであって、第1のサブフレームは、第1の時間領域リソースが位置されるサブフレームである、ステップと、第2のパラメータ値に基づいて第2のサブフレーム内の第2の時間領域リソースの位置を決定するステップとを含む。
【０３０５】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０３０６】
本発明のこの実施形態では、第1の時間領域間隔と第1の時間領域リソースとに基づいて第2の時間領域リソースを決定することの具体的な実施において、図1に示される実施形態に関する説明が参照されてもよいことが理解されるべきである。したがって、本発明のこの実施形態では、詳細についてここで再び説明しない。
【０３０７】
UEが複数の態様で第1のパラメータ値を取得してもよいことが理解されるべきである。第1のパラメータ値は、予め規定されてもよく、又は、基地局によってUEに送信されてもよい。
【０３０８】
随意的に、一実施形態において、第1のパラメータ値を取得することの具体的な実施は、指示情報を取得することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０３０９】
或いは、随意的に、第1のパラメータ値を取得することの具体的な実施は、指示情報を取得するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０３１０】
本発明のこの実施形態では、UEによって取得される第1のパラメータ値の実施において、図1に示される実施形態についての説明が参照されてもよいことが理解されるべきである。したがって、本発明のこの実施形態では、詳細についてここで再び説明しない。
【０３１１】
図5は、本発明の更なる他の実施形態に係る情報送信方法の概略図である。図5の方法は基地局によって実行される。方法は以下のステップを含む。
【０３１２】
S510。第1の情報を受信し、この場合、第1の情報はデータ情報である。
【０３１３】
S520。第1のパラメータ値を送信し、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は第1の情報に関する確認情報であり、第2の時間領域リソースの持続時間は1サブフレームよりも長くなく、第2の時間領域リソースと第1の時間領域リソースとの間の間隔は4サブフレームよりも短い。
【０３１４】
本発明において言及される第1の時間領域リソースは、第1の情報が位置される時間領域リソースであり、第1の情報を送信するために占有されるリソースは、全ての又は一部の周波数領域リソース、符号領域リソース、及び、空間領域リソースを第1の時間領域リソース上に含んでもよいことが理解されるべきである。同様に、本発明において言及される第2の時間領域リソースは、第2の情報が位置される時間領域リソースであり、第2の情報を送信するために占有されるリソースは、全ての又は一部の周波数領域リソース、符号領域リソース、及び、空間領域リソースを第2の時間領域リソース上に含んでもよい。基地局によって送信される第1のパラメータ値は、時間領域リソースに関する情報を示すために使用されることが理解されるべきである。更に、基地局は、時間領域リソースにおける特定の周波数領域リソース、符号領域リソース、及び、空間領域リソースなどに関する情報をUEに送信してもよい。これは、本発明のこの実施形態において限定されない。
【０３１５】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０３１６】
ステップS510とステップS520との間に厳密な時系列が存在しないことが理解されるべきである。ステップS520は、ステップS510の前、ステップS510の後、又は、ステップS510と同時に実行されてもよい。本明細書中において、これは、本発明のこの実施形態で限定されない。例えば、第1のパラメータ値は、同じメッセージ内で第1の情報と共に送信されてもよく、又は、第1の情報の前に送信されてもよく、又は、第1の情報の後に送信されてもよい。
【０３１７】
S530。第2の時間領域リソースを決定して、第2の時間領域リソースで第2の情報を送信する。
【０３１８】
本発明のこの実施形態では、送信遅延が減少されると、基地局は第1のパラメータ値をUEに送信し、それにより、UEは、第1のパラメータ値に基づいて第2の時間領域リソースを決定する。これにより、第1の情報を受信する第1の時間領域リソースと第2の情報を送信する第2の時間領域リソースとの間の間隔を短くすることができ、それにより、データの送信する又は制御情報をフィードバックするための間隔がより短くなる。したがって、遅延減少の性能向上を得ることができ、送信効率及びネットワークスループットが向上されるとともに、通信システムの送信効率が向上される。
【０３１９】
随意的に、一実施形態において、第1のパラメータ値は、第2の時間領域リソースを含む複数の候補時間領域リソースであり、また、第2の時間領域リソースにおいて第2の時間領域リソースを決定することの具体的な実施は、複数の候補時間領域リソースのうちの1つを第2の時間領域リソースとして選択することである。
【０３２０】
随意的に、他の実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０３２１】
更に、この実施形態の想定し得る実施において、第1のパラメータ値に基づいて第2の時間領域リソースを決定することの具体的な実施は、第1の時間領域間隔及び第1の時間領域リソースに基づいて第2の時間領域リソースを決定することであってもよい。
【０３２２】
本発明のこの実施形態では、第1のパラメータ値が第1の時間領域リソースと第2の時間領域リソースとの間の第1の時間領域間隔である特定の実施形態については、以下の説明を参照することができる。図1に示す実施形態。
【０３２３】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０３２４】
更に、第2の時間領域リソースを決定するステップは、具体的には、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて前記第2の時間領域リソースを決定するステップである。
【０３２５】
更にまた、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０３２６】
本発明のこの実施形態では、第1のパラメータ値が所定の表に対応する具体的な実施において、図1に示される実施形態に関する説明が参照されてもよいことが理解されるべきである。したがって、本発明のこの実施形態では、詳細についてここで再び説明しない。
【０３２７】
随意的に、第1の時間領域間隔及び第1の時間領域リソースに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することであってもよい。
【０３２８】
或いは、随意的に、第1の時間領域間隔及び第1の時間領域リソースに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０３２９】
或いは、随意的に、第1の時間領域間隔と第1の時間領域リソースとに基づいて第2の時間領域リソースを決定することの具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０３３０】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０３３１】
随意的に、他の実施形態において、第2の時間領域リソースの持続時間は、第1の時間領域間隔の時間領域単位の持続時間よりも短い又は該持続時間に等しい。
【０３３２】
随意的に、この実施形態の実施では、第1の時間領域間隔の時間領域単位がサブフレームであり、また、第1の時間領域間隔と第1の時間領域リソースとに基づいて第2の時間領域リソースを決定する前に、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、
第1の時間領域間隔と第1の時間領域リソースとに基づいて第2の時間領域リソースを決定するステップは、第1の時間領域間隔と第1のサブフレームとに基づいて第2のサブフレームを決定するステップであって、第1のサブフレームは、第1の時間領域リソースが位置されるサブフレームである、ステップと、第2のパラメータ値に基づいて第2のサブフレーム内の第2の時間領域リソースの位置を決定するステップとを含む。
【０３３３】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０３３４】
本発明のこの実施形態では、第1の時間領域間隔と第1の時間領域リソースとに基づいて第2の時間領域リソースを決定することの具体的な実施において、図1に示される実施形態に関する説明が参照されてもよいことが理解されるべきである。したがって、本発明のこの実施形態では、詳細についてここで再び説明しない。
【０３３５】
基地局が第1のパラメータ値を複数の態様で送信してもよいことが理解されるべきである。
【０３３６】
随意的に、一実施形態において、第1のパラメータ値を送信することの具体的な実施は、指示情報を送信することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０３３７】
或いは、随意的に、第1のパラメータ値を送信することの具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０３３８】
本発明のこの実施形態では、基地局により送信される第1のパラメータ値の具体的な実施において、図1に示される実施形態においてUEにより取得される第1のパラメータ値の実施が参照されてもよいことが理解されるべきである。したがって、本発明のこの実施形態では、詳細についてここで再び説明しない。
【０３３９】
図6は、本発明の更なる他の実施形態に係る情報送信方法のフローチャートである。図6の方法はユーザ機器によって実行される。方法は以下のステップを含む。
【０３４０】
S610。第1の情報を受信し、この場合、第1の情報は第2の情報に関する確認情報であり、第2の情報はデータ情報である。
【０３４１】
S620。第1のパラメータ値を取得し、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間は1サブフレームよりも長くなく、第2の時間領域リソースと第1の時間領域リソースとの間の間隔は4サブフレームよりも短い。
【０３４２】
本発明において言及される第1の時間領域リソースは、第1の情報が位置される時間領域リソースであり、第1の情報を送信するために占有されるリソースは、全ての又は一部の周波数領域リソース、符号領域リソース、及び、空間領域リソースを第1の時間領域リソース上に含んでもよいことが理解されるべきである。同様に、本発明において言及される第2の時間領域リソースは、第2の情報が位置される時間領域リソースであり、第2の情報を送信するために占有されるリソースは、全ての又は一部の周波数領域リソース、符号領域リソース、及び、空間領域リソースを第2の時間領域リソース上に含んでもよい。第1のパラメータ値が時間領域リソースに関する情報を示すために使用されることが理解されるべきである。更に、UEは、時間領域リソースにおける特定の周波数領域リソース、符号領域リソース、空間領域リソースなどに関する情報を取得してもよい。これは、本発明のこの実施形態において限定されない。
【０３４３】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０３４４】
UEによって取得される第1のパラメータ値は、基地局などのネットワーク側デバイスによってUEに送信されてもよく、或いは、プロトコルによって指定されてもよいことが理解されるべきである。
【０３４５】
ステップS610とステップS620との間に厳密な時系列はないことが理解されるべきである。ステップS620は、ステップS610の前、ステップS610の後、又は、ステップS610と同時に実行されてもよい。本明細書中において、これは、本発明のこの実施形態で限定されない。特に、第1の情報及び指示情報は、同じメッセージを用いて送信されてもよい。具体的には、UEによって受信されて第1の情報を含むメッセージは、指示情報を更に含んでもよい。
【０３４６】
S630。第1のパラメータ値に基づいて第2の時間領域リソースを決定する。
【０３４７】
本発明のこの実施形態では、送信遅延が減少されると、UEは、第1のパラメータ値に基づいて第2の時間領域リソースを決定する。これにより、第2の情報を送信するための第2の時間領域リソースと第1の情報を受信するための第1の時間領域リソースとの間の間隔を短くすることができ、それにより、データを受信するための間隔がより短くなる。したがって、遅延減少の性能向上を得ることができ、送信効率及びネットワークスループットが向上されるとともに、通信システムの送信効率が向上される。
【０３４８】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０３４９】
更に、この実施形態の想定し得る実施において、第1のパラメータ値に基づいて第2の時間領域リソースを決定することの具体的な実施は、第1の時間領域間隔及び第1の時間領域リソースに基づいて第2の時間領域リソースを決定することであってもよい。
【０３５０】
本発明のこの実施形態では、第1のパラメータ値が第1の時間領域リソースと第2の時間領域リソースとの間の第1の時間領域間隔である特定の実施形態については、以下の説明を参照することができる。図1に示す実施形態。
【０３５１】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０３５２】
更に、第2の時間領域リソースを決定することの具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０３５３】
更にまた、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０３５４】
本発明のこの実施形態では、第1のパラメータ値が所定の表に対応する具体的な実施において、図1に示される実施形態に関する説明が参照されてもよいことが理解されるべきである。したがって、本発明のこの実施形態では、詳細についてここで再び説明しない。
【０３５５】
随意的に、第1の時間領域間隔と第1の時間領域リソースとに基づいて第2の時間領域リソースを決定することの具体的な実施は、第1の時間領域リソースの前であって第1の時間領域リソースから第1の時間領域間隔だけ隔てられる時間領域リソースを第2の時間領域リソースとして決定することであってもよい。
【０３５６】
例えば、第1の時間領域リソースがサブフレームnであり、第1の時間領域間隔がkである場合、UEは、サブフレームn−kを第2の時間領域リソースとして決定し、第1の情報（確認情報）に対応する第2の情報（データ情報）を更に取得する。
【０３５７】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０３５８】
随意的に、他の実施形態において、第2の時間領域リソースの持続時間は、第1の時間領域間隔の時間領域単位の持続時間よりも短い又は該持続時間に等しい。
【０３５９】
随意的に、この実施形態の実施では、第1の時間領域間隔の時間領域単位がサブフレームであり、また、第1の時間領域間隔と第1の時間領域リソースとに基づいて第2の時間領域リソースを決定する前に、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、
第1の時間領域間隔と第1の時間領域リソースとに基づいて第2の時間領域リソースを決定するステップは、第1の時間領域間隔と第1のサブフレームとに基づいて第2のサブフレームを決定するステップであって、第1のサブフレームは、第1の時間領域リソースが位置されるサブフレームである、ステップと、第2のパラメータ値に基づいて第2のサブフレーム内の第2の時間領域リソースの位置を決定するステップとを含む。
【０３６０】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０３６１】
UEが複数の態様で第1のパラメータ値を取得してもよいことが理解されるべきである。第1のパラメータ値は、予め規定されてもよく、又は、基地局によってUEに送信されてもよい。
【０３６２】
随意的に、一実施形態において、第1のパラメータ値を取得することの具体的な実施は、指示情報を取得することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０３６３】
或いは、随意的に、第1のパラメータ値を取得することの具体的な実施は、指示情報を取得するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０３６４】
本発明のこの実施形態では、UEによって取得される第1のパラメータ値の実施において、図1に示される実施形態についての説明が参照されてもよいことが理解されるべきである。したがって、本発明のこの実施形態では、詳細についてここで再び説明しない。
【０３６５】
図7は、本発明の更なる他の実施形態に係る情報送信方法のフローチャートである。図7の方法はユーザ機器によって実行される。方法は以下のステップを含む。
【０３６６】
S710  構成インデックスを受信し、この場合、構成インデックスは、制御情報の送信周期及び第1の時間領域リソースオフセットを示すために使用され、また、第1の時間領域リソースの持続時間は1サブフレームよりも短い。
【０３６７】
本発明のこの実施形態で言及される1サブフレームは、特定の送信持続時間を占める物理リソースの単位であり、サブフレームの持続時間が予め規定されることは理解されるべきである。1サブフレームは、2つ以上のタイムスロット（スロット）を含んでもよく、或いは、複数のシンボル、例えば10個のシンボル又は14個のシンボルを含んでもよい。1サブフレームの持続時間は、1ms、又は、0．5ms、又は、0．125ms等であってもよい。本発明では特定の値が限定されない。1サブフレームの持続時間が短縮されると、サブフレーム内のタイムスロット又はシンボルの持続時間もそれに対応して短縮される。例えば、1サブフレームは2つのタイムスロットを含み、また、0．5msサブフレーム内のタイムスロットの持続時間は、1msサブフレーム内のタイムスロットの持続時間の1／2である。
【０３６８】
本発明のこの実施形態において、制御情報は、チャネル状態情報（Channel State Information，CSI）、スケジューリング要求（Scheduling Request，SR）、ハイブリッド自動再送要求（Hybrid Automatic Repeat Request，HARQ）確認情報などを含んでもよいことが理解されるべきである。HARQ確認情報は、ACK（Acknowledgement）／NACK（Negative Acknowledgement）情報を含んでもよい。
【０３６９】
S720。システムフレーム番号と構成インデックスとに基づいて制御情報のための時間領域リソースを決定する。
【０３７０】
時間領域リソースは制御情報が位置される時間領域リソースであり、制御情報を送信するために占有されるリソースは、全ての又は一部の周波数領域リソース、符号領域リソース、及び、空間領域リソースを時間領域リソースに含んでもよい。
【０３７１】
S730。時間領域リソースに関する制御情報を送信する。
【０３７２】
本発明のこの実施形態では、送信方法における遅延を減らすために、制御情報の各送信によって占有される持続時間が短縮され、それに応じて制御情報を送信するためのリソースが決定される。したがって、制御情報の送信遅延が減少され、CSI，SR，HARQ確認情報などの制御情報の送信速度が増大されるとともに、システム全体の処理時間が短縮されて、システム性能が向上される。
【０３７３】
従来技術において、制御情報を周期的にフィードバックするための式は以下の通りである。
【数１】
2020162178.tif 000009
ここで、nfはシステムフレーム番号を示し、nsは第1の時間領域リソースの時間領域位置を示し、Noffsetは制御情報のタイプに対応する時間領域リソースオフセットを示し、Npdは制御情報の送信周期を示し、nfの単位はサブフレームであり、nsの単位はタイムスロットであり、Noffset及びNpdの両方の単位はサブフレームです。
【０３７４】
Noffsetは、制御情報のタイプに対応する時間領域リソースオフセットを示す。例えば、制御情報の3つのタイプ、すなわち、CSI，SR，HARQ確認情報は、3つの異なる時間領域リソースオフセットに対応してもよい。
【０３７５】
随意的に、一実施形態において、システムフレーム番号と構成インデックスとに基づいて制御情報のための時間領域リソースを決定するステップは、システムフレーム番号nfとMとの積M＊nfと構成インデックスとにしたがって時間領域リソースの位置を決定するステップを含み、ここで、Mはサブフレームの持続時間と時間領域リソースの持続時間とにしたがって決定され、Mは正の整数である。Mは、サブフレームの持続時間と時間領域リソースの持続時間とにしたがて決定され、Mは正の整数である。
【０３７６】
例えば、時間領域リソースは、式（M×nf＋ns−NOFFSET）mod（Npd）＝0にしたがって決定されてもよい。Mの値は、例えば、サブフレームの持続時間を時間領域リソースの持続時間で割ったものに等しくてもよい。サブフレームの持続時間を時間領域リソースの持続時間で割ったものが整数ではない場合、整数部分がMの値として使用される。具体的には、
【数２】
2020162178.tif 000010
となる。或いは、Mの値は、サブフレームの持続時間と第1の時間領域リソースの持続時間とにしたがって所定の態様で決定される。例えば、一例としてLTEシステムを使用して、通常のCPを考えると、1つのサブフレームは14個のシンボルを含み、また、第1の時間領域リソースの持続時間が2OSである場合、M＝6又は7であり、第1の時間領域リソースの持続時間が4OSである場合、M＝3又は4であり、或いは、第1の時間領域リソースの持続時間が7OSである場合、M＝2である。他の例において、拡張CPを考えると、1つのサブフレームは12個のシンボルを含み、また、第1の時間領域リソースの持続時間が2OSである場合、M＝5又は6であり、第1の時間領域リソースの持続時間が4OSである場合、M＝3又は4であり、或いは、第1の時間領域リソースの持続時間が6OSである場合、M＝2である。
【０３７７】
或いは、随意的に、他の実施形態において、システムフレーム番号と構成インデックスとに基づいて制御情報のための時間領域リソースを決定するステップは、システムフレーム番号nfとMとの積M＊10＊nfと構成インデックスとにしたがって時間領域リソースの位置を決定するステップを含み、ここで、Mはサブフレームの持続時間と時間領域リソースの持続時間とにしたがって決定され、Mは正の整数である。Mは、サブフレームの持続時間と時間領域リソースの持続時間とにしたがて決定され、Mは正の整数である。或いは、Mの値は、サブフレームの持続時間と第1の時間領域リソースの持続時間とにしたがって所定の態様で決定される。例えば、一例としてLTEシステムを使用して、通常のCPを考えると、1つのサブフレームは14個のシンボルを含み、また、第1の時間領域リソースの持続時間が2OSである場合、M＝6又は7であり、第1の時間領域リソースの持続時間が4OSである場合、M＝3又は4であり、或いは、第1の時間領域リソースの持続時間が7OSである場合、M＝2である。他の例において、拡張CPを考えると、1つのサブフレームは12個のシンボルを含み、また、第1の時間領域リソースの持続時間が2OSである場合、M＝5又は6であり、第1の時間領域リソースの持続時間が4OSである場合、M＝3又は4であり、或いは、第1の時間領域リソースの持続時間が6OSである場合、M＝2である。
【０３７８】
例えば、時間領域リソースは、式（M×10×nf＋ns−NOFFSET）mod（Npd）＝0にしたがって決定されてもよい。
【０３７９】
随意的に、一実施形態において、送信周期は、時間領域において5サブフレームの持続時間よりも短く且つ1サブフレームの持続時間よりも長い。例えば、送信周期の値は、2サブフレーム、3サブフレーム、又は、4サブフレームなどであってもよい。
【０３８０】
随意的に、他の実施形態において、構成インデックスによって示される送信周期及び時間領域リソースオフセットのうちの少なくとも一方の時間領域単位の持続時間は、時間領域における時間領域リソースの持続時間と同じである。
【０３８１】
例えば、送信周期及び時間領域リソースオフセットの両方の時間領域単位はタイムスロットであり、また、時間領域における時間領域リソースの持続時間もまたタイムスロットである。他の例において、送信周期の時間領域単位はタイムスロットであり、時間領域リソースオフセットの時間領域単位はタイムスロットであり、また、時間領域における時間領域リソースの持続時間もまたタイムスロットである。
【０３８２】
随意的に、他の実施形態において、システムフレーム番号と構成インデックスとに基づいて制御情報のための時間領域リソースを決定することの具体的な実施は、
構成インデックスにしたがって送信周期び第1の時間領域リソースオフセットを決定するステップ、並びに、
システムフレーム番号、送信周期、第1の時間領域リソースオフセット、及び、第2の時間領域リソースオフセットに基づいて時間領域リソースを決定するステップ、
であってもよく、
第1の時間領域オフセットは、制御情報のタイプと関連付けられるオフセットであり、第1の時間領域オフセットは、送信周期における制御情報のオフセットを示すために使用され、第2の時間領域オフセットの持続時間が時間領域リソースのうちの1つ以上の持続時間に等しく、又は、第2のオフセットの持続時間が1サブフレームの持続時間に等しい。
【０３８３】
更に、第2の時間領域リソースオフセットが予め規定され、或いは、第2の時間領域リソースオフセットは基地局によってUEに送信される。
【０３８４】
随意的に、一実施形態において、システムフレーム番号と構成インデックスとに基づいて制御情報の時間領域リソースを決定することの具体的な実施は、システムフレーム番号と構成インデックスとに基づいて候補時間領域リソースを決定するステップ、及び、候補時間領域リソースが利用可能なアップリンク時間領域リソースであれば、候補時間領域リソースを制御情報のための時間領域リソースとして決定するステップであってもよい。
【０３８５】
一例として表2を使用して、UEのTDDアップリンク−ダウンリンク構成が1であり、システムフレーム番号と構成インデックスとに基づいて決定される候補時間領域リソースがslot14であると仮定すると、UEのTDDアップリンク−ダウンリンク構成が1であるときにslot14が利用可能なアップリンク時間領域リソースであるため、slot14は、制御情報のための時間領域リソースとして決定されてもよく、すなわち、UEはがslot14において制御情報を送信してもよい。
【０３８６】
或いは、随意的に、他の実施形態において、システムフレーム番号と構成インデックスとに基づいて制御情報のための時間領域リソースを決定することの具体的な実施は、システムフレーム番号と構成インデックスとに基づいて候補時間領域リソースを決定するステップ、及び、候補時間領域リソースがダウンリンク時間領域リソース又は利用不可能な時間領域リソースであれば、時間領域リソースの後の第1の利用可能なアップリンク時間領域リソースを制御情報のための時間領域リソースとして決定するステップである。
【０３８７】
一例として表2を依然として使用して、UEのTDDアップリンク−ダウンリンク構成が1であり、システムフレーム番号と構成インデックスとに基づいて決定される候補時間領域リソースがslot13であると仮定すると、UEのTDDアップリンク−ダウンリンク構成が1であるときにslot13が利用可能なアップリンク時間領域リソースでないため、slot13の後の第1の利用可能な時間領域リソースは、御情報のための時間領域リソースとして決定され、すなわち、slot14が制御情報のための時間領域リソースとして決定され、その後、UEは、slot14において制御情報を送信してもよい。
【０３８８】
図8は、本発明の一実施形態に係るユーザ機器800の概略構造図である。図8に示されるように、ユーザ機器800は、送信モジュール830、受信モジュール810、及び、処理モジュール820を含んでもよく、
受信モジュール810は第1の情報を受信するように構成され、この場合、第1の情報は、第2の情報を送信するようにUEに指示するために使用され、
処理モジュール820は第1のパラメータ値を取得するように構成され、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短く、
処理モジュール820は、第1のパラメータ値に基づいて第2の時間領域リソースを決定するように更に構成され、
送信モジュール830は、第2の時間領域リソースに関する第2の情報を送信するように構成される。
【０３８９】
本発明のこの実施形態では、送信遅延が減少されると、ユーザ機器800は、第1のパラメータ値に基づいて第2の時間領域リソースを決定する。これにより、第1の情報を受信するための第1の時間領域リソースと第2の情報を送信するための第2の時間領域リソースとの間の時間間隔を短くすることができる。したがって、データを送信する又は制御情報をフィードバックするための間隔が短くなり、遅延減少の性能向上を得ることができるとともに、送信効率及びネットワークスループットが向上される。
【０３９０】
特定の用途では、送信モジュール830が送信機であってもよく、受信モジュール810が受信機であってもよく、また、処理モジュールがプロセッサであってもよいことが理解されるべきである。更に、送信機及び受信機がアンテナに結合されてもよい。
【０３９１】
随意的に、一実施形態では、第1の情報がスケジューリング情報であり、第2の情報がスケジューリング情報にしたがってスケジューリングされるアップリンクデータ情報である。本発明のこの実施形態において、UEは、アップリンクデータ送信効率及びネットワークスループットを向上させるために、スケジューリング情報とアップリンクデータとの間の間隔を短くしてもよい。
【０３９２】
或いは、随意的に、一実施形態では、第1の情報がスケジューリング情報であり、第2の情報がスケジューリング情報にしたがってスケジューリングされるアップリンク制御情報である。例えば、制御情報は非周期的CSIであり、スケジューリング情報がCSIトリガ情報である。
【０３９３】
或いは、随意的に、一実施形態では、第1の情報がダウンリンク制御情報であり、第2の情報がダウンリンク制御情報に関するフィードバック情報である。本発明のこの実施形態において、UEは、ダウンリンク制御情報フィードバック効率を向上させるために、ダウンリンク制御情報とフィードバック情報との間の送信間隔を短くしてもよい。
【０３９４】
或いは、随意的に、一実施形態では、第1の情報がダウンリンクデータ情報であり、第2の情報がダウンリンクデータ情報に関する確認情報である。ここで、確認情報は、肯定確認情報（Acknowledgement，ACK）又は否定確認応答（Negative Acknowledgement，NACK）情報を含んでもよいことが理解されるべきである。本発明のこの実施形態において、UEは、確認情報フィードバック効率を向上させるために、ダウンリンクデータ情報と確認情報との間の送信間隔を短くしてもよい。
【０３９５】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０３９６】
更に、この実施形態の想定し得る実施において、処理モジュール820は、第1の時間領域間隔と第1の時間領域リソースとに基づいて第2の時間領域リソースを決定するように特に構成される。
【０３９７】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０３９８】
更に、処理モジュール820は、第1のパラメータ値に対応するマッピング関係を決定する、マッピング関係にしたがって第1の時間領域リソースに対応する第1の時間領域間隔を決定する、及び、第1の時間領域間隔と第1の時間領域リソースとに基づいて第2の時間領域リソースを決定するように特に構成される。
【０３９９】
更にまた、第2の情報を送信するためにUEによって使用されるキャリアがTDDキャリアであるとき、マッピング関係にしたがって第1の時間領域リソースに対応する第1の時間領域間隔を処理モジュール820により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０４００】
随意的に、第1の時間領域間隔と第1の時間領域リソースとに基づいて第2の時間領域リソースを処理モジュール820により決定する具体的な実施は、第1の時間領域リソースの後であって第1の時間領域リソースから第1の時間領域間隔だけ隔てられる時間領域リソースを第2の時間領域リソースとして決定することであってもよい。
【０４０１】
或いは、随意的に、第1の時間領域間隔と第1の時間領域リソースとに基づいて第2の時間領域リソースを処理モジュール820により決定する具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０４０２】
或いは、随意的に、第1の時間領域間隔と第1の時間領域リソースとに基づいて第2の時間領域リソースを処理モジュール820により決定する具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０４０３】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０４０４】
随意的に、他の実施形態において、第2の時間領域リソースの持続時間は、第1の時間領域間隔の時間領域単位の持続時間よりも短い又は該持続時間に等しい。
【０４０５】
随意的に、この実施形態の実施では、第1の時間領域間隔の時間領域単位がサブフレームであり、処理モジュール820は、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、
第1の時間領域間隔と第1の時間領域リソースとに基づいて処理モジュール820により第2の時間領域リソースを決定する具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０４０６】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを処理モジュール820により決定する具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０４０７】
UEが複数の態様で第1のパラメータ値を取得してもよいことが理解されるべきである。第1のパラメータ値は、予め規定されてもよく、又は、基地局によってUEに送信されてもよい。
【０４０８】
随意的に、一実施形態において、第1のパラメータ値を処理モジュール820により取得する具体的な実施は、指示情報を取得することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０４０９】
或いは、随意的に、第1のパラメータ値を処理モジュール820により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０４１０】
更に、ユーザ機器800は、図1の方法を更に実行するとともに、図1に示される実施形態のユーザ機器の機能を果たしてもよい。したがって、本発明のこの実施形態では、詳細についてここで再び説明しない。
【０４１１】
図9は、本発明の一実施形態に係る基地局900の概略構造図である。図9に示されるように、ユーザ機器900は、送信モジュール930、受信モジュール910、及び、処理モジュール920を含んでもよく、
送信モジュール930は第1の情報を送信するように構成され、この場合、第1の情報は、UEに第2の情報を送信するように指示するために使用され、
送信モジュール930は第1のパラメータ値を送信するように更に構成され、この場合、第1のパラメータ値は、第1の時間領域リソースと第2の時間領域リソースとの間の位置関係を示すために使用され、第1の時間領域リソースは第1の情報が位置される時間領域リソースであり、第2の時間領域リソースは第2の情報が位置される時間領域リソースであり、第2の時間領域リソースの持続時間は1サブフレームよりも長くなく、第2の時間領域リソースと第1の時間領域リソースとの間の間隔は4サブフレームよりも短く、
処理モジュール920は、第2の時間領域リソースを決定するように構成され、
受信モジュール910は、第2の時間領域リソースに関する第2の情報を受信するように構成される。
【０４１２】
本発明のこの実施形態では、送信遅延が減少されると、基地局900は第1のパラメータ値をUEに送信し、それにより、UEは、第1のパラメータ値に基づいて第2の時間領域リソースを決定する。これにより、第1の情報を送信するための第1の時間領域リソースと第2の情報を受信するための第2の時間領域リソースとの間の間隔を短くすることができ、それにより、データを受信する又はフィードバックの制御情報を受信するための間隔がより短くなる。したがって、遅延減少の性能向上を得ることができ、送信効率及びネットワークスループットが向上されるとともに、通信システムの送信効率が向上される。
【０４１３】
随意的に、一実施形態では、第1の情報がスケジューリング情報であり、第2の情報がスケジューリング情報にしたがってスケジューリングされるアップリンクデータ情報である。本発明のこの実施形態では、基地局が第1の基準値をUEに送信し、それにより、UEは、第1の基準値にしたがってスケジューリング情報とアップリンクデータとの間の送信間隔を短縮して、アップリンクデータ送信効率及びネットワークスループットを向上させることができる。
【０４１４】
或いは、随意的に、一実施形態では、第1の情報がスケジューリング情報であり、第2の情報がスケジューリング情報にしたがってスケジューリングされるアップリンク制御情報である。例えば、制御情報は非周期的CSIであり、スケジューリング情報がCSIトリガ情報である。
【０４１５】
或いは、随意的に、一実施形態では、第1の情報がダウンリンク制御情報であり、第2の情報がダウンリンク制御情報に関するフィードバック情報である。本発明のこの実施形態では、基地局が第1の基準値をUEに送信し、それにより、UEは、第1の基準値にしたがってダウンリンク制御情報とフィードバック情報との間の送信間隔を短縮して、ダウンリンク制御情報フィードバック効率を向上させることができる。
【０４１６】
或いは、随意的に、一実施形態では、第1の情報がダウンリンクデータ情報であり、第2の情報がダウンリンクデータ情報に関する確認情報である。本明細書では、確認情報がACK情報又はNACK情報を含んでもよいことが理解されるべきである。本発明のこの実施形態では、基地局が第1の基準値をUEに送信するので、UEは、第1の基準値にしたがってダウンリンクデータ情報と確認情報との間の送信間隔を短縮して確認情報フィードバック効率を改善することができる。
【０４１７】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０４１８】
更に、この実施形態の想定し得る実施において、第1のパラメータ値に基づいて第2の時間領域リソースを処理モジュール920により決定する具体的な実施は、第1の時間領域間隔と第1の時間領域リソースとに基づいて第2の時間領域リソースを決定することであってもよい。
【０４１９】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０４２０】
更に、第2の時間領域リソースを処理モジュール920により決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて前記第2の時間領域リソースを決定するステップであってもよい。
【０４２１】
更にまた、第2の情報を送信するためにUEによって使用されるキャリアがTDDキャリアであるとき、マッピング関係にしたがって第1の時間領域リソースに対応する第1の時間領域間隔を処理モジュール920により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０４２２】
随意的に、第1の時間領域間隔と第1の時間領域リソースとに基づいて第2の時間領域リソースを処理モジュール920により決定する具体的な実施は、第1の時間領域リソースの後であって第1の時間領域リソースから第1の時間領域間隔だけ隔てられる時間領域リソースを第2の時間領域リソースとして決定することであってもよい。
【０４２３】
或いは、随意的に、第1の時間領域間隔と第1の時間領域リソースとに基づいて第2の時間領域リソースを処理モジュール920により決定する具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０４２４】
或いは、随意的に、第1の時間領域間隔と第1の時間領域リソースとに基づいて第2の時間領域リソースを処理モジュール920により決定する具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０４２５】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０４２６】
随意的に、他の実施形態において、第2の時間領域リソースの持続時間は、第1の時間領域間隔の時間領域単位の持続時間よりも短い又は該持続時間に等しい。
【０４２７】
随意的に、この実施形態の実施では、第1の時間領域間隔の時間領域単位がサブフレームであり、送信モジュール930は、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、
第1の時間領域間隔と第1の時間領域リソースとに基づいて処理モジュール920により第2の時間領域リソースを決定する具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０４２８】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを処理モジュール920により決定する具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０４２９】
基地局900が第1のパラメータ値を複数の態様で送信してもよいことが理解されるべきである。
【０４３０】
随意的に、一実施形態において、第1のパラメータ値を送信モジュール930により送信する具体的な実施は、指示情報を送信することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０４３１】
或いは、随意的に、第1のパラメータ値を送信モジュール930により送信する具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０４３２】
更に、基地局900は、図3の方法を更に実行するとともに、図3に示される実施形態の基地局の機能を果たしてもよい。したがって、本発明のこの実施形態では、詳細についてここで再び説明しない。
【０４３３】
図10は、本発明の一実施形態に係るユーザ機器1000の概略構造図である。図10に示されるように、ユーザ機器1000は、送信モジュール1030、受信モジュール1010、及び、処理モジュール1020を含んでもよく、
送信モジュール1030は第1の情報を送信するように構成され、この場合、第1の情報はデータ情報であり、
処理モジュール1020は第1のパラメータ値を取得するように構成され、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は、第1の情報に関する確認情報であり、第2の時間領域リソースの持続時間が1サブフレームよりも長くなく、第2の時間領域リソースと第1の時間領域リソースとの間の間隔が4サブフレームよりも短く、
処理モジュール1020は、第1のパラメータ値に基づいて第2の時間領域リソースを決定するように更に構成され、
受信モジュール1010は、第2の時間領域リソースに関する第2の情報を受信するように構成される。
【０４３４】
本発明のこの実施形態では、送信遅延が減少されると、ユーザ機器1000は、第1のパラメータ値に基づいて第2の時間領域リソースを決定する。これにより、第1の情報を送信するための第1の時間領域リソースと第2の情報を受信するための第2の時間領域リソースとの間の間隔を短くすることができ、それにより、データを受信するための間隔がより短くなる。したがって、遅延減少の性能向上を得ることができ、送信効率及びネットワークスループットが向上されるとともに、通信システムの送信効率が向上される。
【０４３５】
特定の用途では、送信モジュール1030が送信機であってもよく、受信モジュール1010が受信機であってもよく、また、処理モジュールがプロセッサであってもよいことが理解されるべきである。更に、送信機及び受信機がアンテナに結合されてもよい。
【０４３６】
随意的に、一実施形態において、第1のパラメータ値は、第2の時間領域リソースを含む複数の候補時間領域リソースであり、第1のパラメータ値に基づいて及び第2の時間領域リソースに基づいて第2の時間領域リソースを処理モジュール1020により決定する具体的な実施は、第2の時間領域リソースを決定するために複数の候補時間領域リソースに関してブラインド検出を実行することである。
【０４３７】
随意的に、他の実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０４３８】
更に、この実施形態の想定し得る実施において、処理モジュール1020は、第1の時間領域間隔と第1の時間領域リソースとに基づいて第2の時間領域リソースを決定するように特に構成される。
【０４３９】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０４４０】
更に、処理モジュール1020は、第1のパラメータ値に対応するマッピング関係を決定する、マッピング関係にしたがって第1の時間領域リソースに対応する第1の時間領域間隔を決定する、及び、第1の時間領域間隔と第1の時間領域リソースとに基づいて第2の時間領域リソースを決定するように特に構成される。
【０４４１】
更にまた、第2の情報を送信するためにUEによって使用されるキャリアがTDDキャリアであるとき、マッピング関係にしたがって第1の時間領域リソースに対応する第1の時間領域間隔を処理モジュール1020により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０４４２】
随意的に、第1の時間領域間隔と第1の時間領域リソースとに基づいて第2の時間領域リソースを処理モジュール1020により決定する具体的な実施は、第1の時間領域リソースの後であって第1の時間領域リソースから第1の時間領域間隔だけ隔てられる時間領域リソースを第2の時間領域リソースとして決定することであってもよい。
【０４４３】
或いは、随意的に、第1の時間領域間隔と第1の時間領域リソースとに基づいて第2の時間領域リソースを処理モジュール1020により決定する具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０４４４】
或いは、随意的に、第1の時間領域間隔と第1の時間領域リソースとに基づいて第2の時間領域リソースを処理モジュール1020により決定する具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０４４５】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０４４６】
随意的に、他の実施形態において、第2の時間領域リソースの持続時間は、第1の時間領域間隔の時間領域単位の持続時間よりも短い又は該持続時間に等しい。
【０４４７】
随意的に、この実施形態の実施では、第1の時間領域間隔の時間領域単位がサブフレームであり、処理モジュール1020は、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、
第1の時間領域間隔と第1の時間領域リソースとに基づいて処理モジュール1020により第2の時間領域リソースを決定する具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０４４８】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを処理モジュール1020により決定する具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０４４９】
UEが複数の態様で第1のパラメータ値を取得してもよいことが理解されるべきである。第1のパラメータ値は、予め規定されてもよく、又は、基地局によってUEに送信されてもよい。
【０４５０】
随意的に、一実施形態において、第1のパラメータ値を処理モジュール1020により取得する具体的な実施は、指示情報を取得することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０４５１】
或いは、随意的に、第1のパラメータ値を処理モジュール1020により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０４５２】
更に、ユーザ機器1000は、図4の方法を更に実行するとともに、図4に示される実施形態のユーザ機器の機能を果たしてもよい。したがって、本発明のこの実施形態では、詳細についてここで再び説明しない。
【０４５３】
図11は、本発明の一実施形態に係る基地局1100の概略構造図である。図11に示されるように、ユーザ機器1100は、送信モジュール1130、受信モジュール1110、及び、処理モジュール1120を含んでもよく、
受信モジュール1110は第1の情報を受信するように構成され、この場合、第1の情報はデータ情報であり、
送信モジュール1130は第1のパラメータ値を送信するように構成され、この場合、第1のパラメータ値は、第1の時間領域リソースと第2の時間領域リソースとの間の位置関係を示すために使用され、第1の時間領域リソースは第1の情報が位置される時間領域リソースであり、第2の時間領域リソースは第2の情報が位置される時間領域リソースであり、第2の情報は、第1の情報に関する確認情報であり、第2の時間領域リソースの持続時間は1サブフレームよりも長くなく、第2の時間領域リソースと第1の時間領域リソースとの間の間隔は4サブフレームよりも短く、
処理モジュール1120は、第2の時間領域リソースを決定するように構成され、
送信モジュール1130は、第2の時間領域リソースに関する第2の情報を送信するように構成される。
【０４５４】
本発明のこの実施形態では、送信遅延が減少されると、基地局1100は第1のパラメータ値をUEに送信し、それにより、UEは、第1のパラメータ値に基づいて第2の時間領域リソースを決定する。これにより、第1の情報を受信する第1の時間領域リソースと第2の情報を送信する第2の時間領域リソースとの間の間隔を短くすることができ、それにより、データの送信する又は制御情報をフィードバックするための間隔がより短くなる。したがって、遅延減少の性能向上を得ることができ、送信効率及びネットワークスループットが向上されるとともに、通信システムの送信効率が向上される。
【０４５５】
随意的に、一実施形態において、第1のパラメータ値は、第2の時間領域リソースを含む複数の候補時間領域リソースであり、また、第2の時間領域リソースにおいて第2の時間領域リソースをプロセッサ1120により決定する具体的な実施は、複数の候補時間領域リソースのうちの1つを第2の時間領域リソースとして選択することである。
【０４５６】
随意的に、他の実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０４５７】
更に、この実施形態の想定し得る実施において、第1のパラメータ値に基づいて第2の時間領域リソースを処理モジュール1120により決定する具体的な実施は、第1の時間領域間隔及び第1の時間領域リソースに基づいて第2の時間領域リソースを決定することであってもよい。
【０４５８】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０４５９】
更に、第2の時間領域リソースを処理モジュール1120により決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて前記第2の時間領域リソースを決定するステップであってもよい。
【０４６０】
更にまた、第2の情報を送信するためにUEによって使用されるキャリアがTDDキャリアであるとき、マッピング関係にしたがって第1の時間領域リソースに対応する第1の時間領域間隔を処理モジュール1120により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０４６１】
随意的に、第1の時間領域間隔と第1の時間領域リソースとに基づいて第2の時間領域リソースを処理モジュール1120により決定する具体的な実施は、第1の時間領域リソースの後であって第1の時間領域リソースから第1の時間領域間隔だけ隔てられる時間領域リソースを第2の時間領域リソースとして決定することであってもよい。
【０４６２】
或いは、随意的に、第1の時間領域間隔と第1の時間領域リソースとに基づいて第2の時間領域リソースを処理モジュール1120により決定する具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースがダウンリンク時間領域リソースであれば、第3の時間領域リソースを第2の時間領域リソースとして決定するステップであってもよい。
【０４６３】
或いは、随意的に、第1の時間領域間隔と第1の時間領域リソースとに基づいて第2の時間領域リソースを処理モジュール1120により決定する具体的な実施は、第3の時間領域リソースがダウンリンク時間領域リソース又は利用不可能なアップリンク時間領域リソースであれば、第3の時間領域リソースの後の第1の利用可能なアップリンク時間領域リソースを第2の時間領域リソースとして決定することであってもよい。
【０４６４】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０４６５】
随意的に、他の実施形態において、第2の時間領域リソースの持続時間は、第1の時間領域間隔の時間領域単位の持続時間よりも短い又は該持続時間に等しい。
【０４６６】
随意的に、この実施形態の実施では、第1の時間領域間隔の時間領域単位がサブフレームであり、送信モジュール1130は、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、
第1の時間領域間隔と第1の時間領域リソースとに基づいて処理モジュール1120により第2の時間領域リソースを決定する具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【０４６７】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを処理モジュール1120により決定する具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０４６８】
基地局1100が第1のパラメータ値を複数の態様で送信してもよいことが理解されるべきである。
【０４６９】
随意的に、一実施形態において、第1のパラメータ値を送信モジュール1130により送信する具体的な実施は、指示情報を送信することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０４７０】
或いは、随意的に、第1のパラメータ値を送信モジュール1130により送信する具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０４７１】
更に、ユーザ機器1100は、図5の方法を更に実行するとともに、図5に示される実施形態の基地局の機能を果たしてもよい。したがって、本発明のこの実施形態では、詳細についてここで再び説明しない。
【０４７２】
図12は、本発明の一実施形態に係るユーザ機器1200の概略構造図である。図12に示されるように、ユーザ機器1200は、送信モジュール1230、受信モジュール1210、及び、処理モジュール1220を含んでもよく、
受信モジュール1210は第1の情報を受信するように構成され、この場合、第1の情報は、第2の情報に関する確認情報であり、第2の情報はデータ情報であり、
処理モジュール1220は第1のパラメータ値を取得するように構成され、この場合、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短く、
処理モジュール1220は、第1のパラメータ値に基づいて第2の時間領域リソースを決定するように更に構成される。
【０４７３】
本発明のこの実施形態では、送信遅延が減少されると、ユーザ機器1200は、第1のパラメータ値に基づいて第2の時間領域リソースを決定する。これにより、第2の情報を送信するための第2の時間領域リソースと第1の情報を受信するための第1の時間領域リソースとの間の間隔を短くなり、それにより、データを受信するための間隔がより短くなる。したがって、遅延減少の性能向上を得ることができ、送信効率及びネットワークスループットが向上されるとともに、通信システムの送信効率が向上される。
【０４７４】
随意的に、一実施形態において、第1のパラメータ値が第1の時間領域リソースと第2の時間領域リソースとの間の位置関係を示すために使用されることは、第1のパラメータ値が第1の時間領域リソースと第2の時間領域リソースとの間の第1の時間領域間隔であることを含む。
【０４７５】
更に、この実施形態の想定し得る実施において、第1のパラメータ値に基づいて第2の時間領域リソースを処理モジュール1220により決定する具体的な実施は、第1の時間領域間隔及び第1の時間領域リソースに基づいて第2の時間領域リソースを決定することであってもよい。
【０４７６】
随意的に、他の実施形態において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。具体的には、第1のパラメータ値は、第1のパラメータ値に対応するマッピング関係のインデックスである。或いは、第1のパラメータ値は、第1のパラメータ値に対応する事前定義マッピング関係における最小時間領域間隔である。
【０４７７】
更に、第2の時間領域リソースを処理モジュール1220により決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【０４７８】
更にまた、第2の情報を送信するためにUEによって使用されるキャリアがTDDキャリアであるとき、マッピング関係にしたがって第1の時間領域リソースに対応する第1の時間領域間隔を処理モジュール1220により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【０４７９】
随意的に、第1の時間領域間隔と第1の時間領域リソースとに基づいて第2の時間領域リソースを処理モジュール1220により決定する具体的な実施は、第1の時間領域リソースの前であって第1の時間領域リソースから第1の時間領域間隔だけ隔てられる時間領域リソースを第2の時間領域リソースとして決定することであってもよい。
【０４８０】
例えば、第1の時間領域リソースがサブフレームnであり、第1の時間領域間隔がkである場合、UEは、サブフレームn−kを第2の時間領域リソースとして決定し、第1の情報（確認情報）に対応する第2の情報（データ情報）を更に取得する。
【０４８１】
随意的に、一実施形態において、第1の時間領域リソースの持続時間及び第2の時間領域リソースの持続時間は、第1の時間領域間隔の時間領域単位の持続時間に等しい。具体的には、第1の時間領域リソースの持続時間及び前記第2の時間領域リソースの持続時間は、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しい。
【０４８２】
随意的に、他の実施形態において、第2の時間領域リソースの持続時間は、第1の時間領域間隔の時間領域単位の持続時間よりも短い又は該持続時間に等しい。
【０４８３】
随意的に、この実施形態の実施では、第1の時間領域間隔の時間領域単位がサブフレームであり、処理モジュール1220は、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、
第1の時間領域間隔と第1の時間領域リソースとに基づいて処理モジュール1220により第2の時間領域リソースを決定するステップは、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップを含む。
【０４８４】
随意的に、この実施形態の他の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、
第1の時間領域間隔と第1の時間領域リソースとに基づいて第2の時間領域リソースを処理モジュール1220により決定する具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【０４８５】
処理モジュール1220が複数の態様で第1のパラメータ値を取得してもよいことが理解されるべきである。第1のパラメータ値は、予め規定されてもよく、又は、基地局によってUEに送信されてもよい。
【０４８６】
随意的に、一実施形態において、第1のパラメータ値を処理モジュール1220により取得する具体的な実施は、指示情報を取得することであってもよく、この場合、指示情報は第1のパラメータ値を伝える。指示情報は、第1の情報と共に送信されてもよく、又は、第1の情報の前に送信されてもよく、又は、第1の情報の後に送信されてもよい。本明細書中において、これは、本発明のこの実施形態で限定されない。
【０４８７】
或いは、随意的に、第1のパラメータ値を処理モジュール1220により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信遅延アドバンスTA値、UEの最大トランスポートブロックサイズTBS値、UEの送信モード情報、UEの能力情報、又は、第2の時間領域リソースの持続時間タイプ
のうちのいずれか1つである。
【０４８８】
ユーザ機器1200は、図6の方法を更に実行し、図6に示される実施形態のユーザ機器の機能を果たしてもよい。したがって、本発明のこの実施形態では、詳細についてここで再び説明しない。
【０４８９】
図13は、本発明の一実施形態に係るユーザ機器1300の概略構造図である。図13に示されるように、ユーザ機器1300は、送信モジュール1330、受信モジュール1310、及び、処理モジュール1320を含んでもよく、
受信モジュール1310は、構成インデックスを受信するように構成され、この場合、構成インデックスは、制御情報の送信周期及び第1の時間領域リソースオフセットを示すために使用され、第1の時間領域リソースの持続時間が1サブフレームよりも短く、
処理モジュール1320は、システムフレーム番号と構成インデックスとに基づいて制御情報のための時間領域リソースを決定するように構成され、
送信モジュール1300は、時間領域リソースに関する制御情報を送信するように構成される。
【０４９０】
本発明のこの実施形態では、送信方法における遅延を減らすために、基地局は、制御情報の各送信によって占有される持続時間を短縮し、それに応じて制御情報を送信するためのリソースを決定する。したがって、制御情報の送信遅延が減少され、CSI，SR，HARQ情報などの制御情報の送信速度が増大されるとともに、システム全体の処理時間が減少され、システム性能が向上される。
【０４９１】
本発明のこの実施形態では、制御情報がCSI，SR，HARQ確認情報などを含んでもよいことが理解されるべきである。
【０４９２】
随意的に、一実施形態において、システムフレーム番号と構成インデックスとに基づいて制御情報のための時間領域リソースを処理モジュール1300により決定する具体的な実施は、システムフレーム番号nfとMとの積M＊nfと構成インデックスとにしたがって時間領域リソースの位置を決定するステップであり、ここで、Mはサブフレームの持続時間と時間領域リソースの持続時間とにしたがって決定され、Mは正の整数である。Mは、サブフレームの持続時間と時間領域リソースの持続時間とにしたがて決定され、Mは正の整数である。
【０４９３】
例えば、時間領域リソースは、式（M×nf＋ns−NOFFSET）mod（Npd）＝0にしたがって決定されてもよい。Mの値は、例えば、サブフレームの持続時間を時間領域リソースの持続時間で割ったものに等しくてもよい。サブフレームの持続時間を時間領域リソースの持続時間で割ったものが整数ではない場合、整数部分がMの値として使用される。具体的には、
【数３】
2020162178.tif 000011
となる。
【０４９４】
或いは、随意的に、他の実施形態において、システムフレーム番号と構成インデックスとに基づいて制御情報のための時間領域リソースを処理モジュール1300により決定する具体的な実施は、システムフレーム番号nfとMとの積M＊10＊nfと構成インデックスとにしたがって時間領域リソースの位置を決定することであり、ここで、Mはサブフレームの持続時間と時間領域リソースの持続時間とにしたがって決定され、Mは正の整数である。
Mは、サブフレームの持続時間と時間領域リソースの持続時間とにしたがて決定され、Mは正の整数である。
【０４９５】
例えば、時間領域リソースは、式（M×10×nf＋ns−NOFFSET）mod（Npd）＝0にしたがって決定されてもよい。
【０４９６】
随意的に、一実施形態において、送信周期は、時間領域において5サブフレームの持続時間よりも短く且つ1サブフレームの持続時間よりも長い。例えば、送信周期の値は、2サブフレーム、3サブフレーム、又は、4サブフレームなどであってもよい。
【０４９７】
随意的に、他の実施形態において、構成インデックスによって示される送信周期及び時間領域リソースオフセットのうちの少なくとも一方の時間領域単位の持続時間は、時間領域における時間領域リソースの持続時間と同じである。
【０４９８】
例えば、送信周期及び時間領域リソースオフセットの両方の時間領域単位はタイムスロットであり、また、時間領域における時間領域リソースの持続時間もまたタイムスロットである。他の例において、送信周期の時間領域単位はタイムスロットであり、時間領域リソースオフセットの時間領域単位はタイムスロットであり、また、時間領域における時間領域リソースの持続時間もまたタイムスロットである。
【０４９９】
随意的に、他の実施形態において、システムフレーム番号と構成インデックスとに基づいて制御情報のための時間領域リソースを処理モジュール1300により決定する具体的な実施は、構成インデックスにしたがって送信周期及び第1の時間領域リソースオフセットを決定するステップ、並びに、システムフレーム番号、送信周期、第1の時間領域リソースオフセット、及び、第2の時間領域リソースオフセットに基づいて時間領域リソースを決定するステップであり、第1の時間領域オフセットは、制御情報のタイプと関連付けられるオフセットであり、第1の時間領域オフセットは、送信周期における制御情報のオフセットを示すために使用され、第2の時間領域オフセットの持続時間が時間領域リソースのうちの1つ以上の持続時間に等しく、又は、第2のオフセットの持続時間が1サブフレームの持続時間に等しい。
【０５００】
更に、第2の時間領域リソースオフセットが予め規定され、或いは、第2の時間領域リソースオフセットは基地局によってUEに送信される。
【０５０１】
随意的に、一実施形態において、システムフレーム番号と構成インデックスとに基づいて制御情報のための時間領域リソースを処理モジュール1300により決定する具体的な実施は、システムフレーム番号と構成インデックスとに基づいて候補時間領域リソースを決定するステップ、及び、候補時間領域リソースが利用可能なアップリンク時間領域リソースであれば、候補時間領域リソースを制御情報のための時間領域リソースとして決定するステップであってもよい。
【０５０２】
或いは、随意的に、他の実施形態において、システムフレーム番号と構成インデックスとに基づいて制御情報のための時間領域リソースを処理モジュール1300により決定するの具体的な実施は、システムフレーム番号と構成インデックスとに基づいて候補時間領域リソースを決定するステップ、及び、候補時間領域リソースがダウンリンク時間領域リソース又は利用不可能な時間領域リソースであれば、時間領域リソースの後の第1の利用可能なアップリンク時間領域リソースを制御情報のための時間領域リソースとして決定するステップである。
【０５０３】
ユーザ機器1300は、図7の方法を更に実行し、図7に示される実施形態のユーザ機器の機能を果たしてもよい。したがって、本発明のこの実施形態では、詳細についてここで再び説明しない。
【０５０４】
図14は、本発明の更なる他の実施形態に係るユーザ機器1400の概略構造図である。図14に示されるように、ユーザ機器1400のエンティティ装置の概略構造図は、プロセッサ1402、メモリ1403、送信機1401、及び、受信機1404を含んでもよい。特定の用途では、送信機1401及び受信機1404がアンテナ1405に結合されてもよい。
【０５０５】
メモリ1403は、プログラムを記憶するように構成される。具体的には、プログラムはプログラム符号を含んでもよく、この場合、プログラム符号はコンピュータ操作命令を含む。メモリ1403は、リード・オンリー・メモリ及びランダム・アクセス・メモリを含んでもよく、また、命令及びデータをプロセッサ1402に供給してもよい。メモリ1403は、高速RAMを含んでもよく、又は、例えば少なくとも1つのディスク記憶装置などの持続性メモリ（non−volatile memory）を更に含んでもよい。
【０５０６】
プロセッサ1402は、メモリ1403に記憶されるプログラムを実行する。
【０５０７】
具体的には、ユーザ機器1400において、プロセッサ1402は、受信機1404と送信機1401とを使用することにより、以下の方法、すなわち、
第1の情報を受信機1404によって受信するステップであって、第1の情報は、第2の情報を送信するようにUEに指示するために使用される、ステップと、
第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、
第1のパラメータ値に基づいて第2の時間領域リソースを決定し、送信機1401を使用することにより第2の時間領域リソースに関する第2の情報を送信するステップと、
を実行してもよい。
【０５０８】
ユーザ機器によって実行されて図1に示される本発明の実施形態によって開示される前述の方法は、プロセッサ1402に適用されてもよく又はプロセッサ1402によって実施されてもよい。プロセッサ1402は、集積回路チップであってもよく、また、信号処理能力を有する。実施プロセスにおいて、前述の方法の各ステップは、プロセッサ1402内のハードウェアの集積論理回路又はソフトウェア形態の命令を使用することによって完了されてもよい。プロセッサ1402は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1403内に位置され、また、プロセッサ1402は、メモリ1403内の情報を読み取って、プロセッサのハードウェアと組み合わせて前述の方法におけるステップを完了する。
【０５０９】
図15は、本発明の更なる他の実施形態に係る基地局1500の概略構造図である。図15に示されるように、基地局1500のエンティティ装置の概略構造図は、プロセッサ1502、メモリ1503、送信機1501、及び、受信機1504を含んでもよい。特定の用途では、送信機1501及び受信機1504がアンテナ1505に結合されてもよい。
【０５１０】
メモリ1503は、プログラムを記憶するように構成される。具体的には、プログラムはプログラム符号を含んでもよく、この場合、プログラム符号はコンピュータ操作命令を含む。メモリ1503は、リード・オンリー・メモリ及びランダム・アクセス・メモリを含んでもよく、また、命令及びデータをプロセッサ1502に供給してもよい。メモリ1503は、高速RAMを含んでもよく、又は、例えば少なくとも1つのディスク記憶装置などの持続性メモリ（non−volatile memory）を更に含んでもよい。
【０５１１】
プロセッサ1502は、メモリ1503に記憶されるプログラムを実行する。
【０５１２】
具体的には、基地局1500において、プロセッサ1502は、受信機1504と送信機1501とを使用することにより、以下の方法、すなわち、
第1の情報を送信機1501によって送信するステップであって、第1の情報は、第2の情報を送信するようにUEに指示するために使用される、ステップと、
送信機1501を使用することにより第1のパラメータ値を送信するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、
第2の時間領域リソースを決定し、受信機1504を使用することにより第2の時間領域リソースに関する第2の情報を受信するステップと、
を実行してもよい。
【０５１３】
基地局によって実行されて図3に示される本発明の実施形態によって開示される前述の方法は、プロセッサ1502に適用されてもよく又はプロセッサ1502によって実施されてもよい。プロセッサ1502は、集積回路チップであってもよく、また、信号処理能力を有する。実施プロセスにおいて、前述の方法の各ステップは、プロセッサ1502内のハードウェアの集積論理回路又はソフトウェア形態の命令を使用することによって完了されてもよい。プロセッサ1502は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1503内に位置され、また、プロセッサ1502は、メモリ1503内の情報を読み取って、プロセッサのハードウェアと組み合わせて前述の方法におけるステップを完了する。
【０５１４】
図16は、本発明の更なる他の実施形態に係るユーザ機器1600の概略構造図である。図16に示されるように、ユーザ機器1600のエンティティ装置の概略構造図は、プロセッサ1602、メモリ1603、送信機1601、及び、受信機1604を含んでもよい。特定の用途では、送信機1601及び受信機1604がアンテナ1605に結合されてもよい。
【０５１５】
メモリ1603は、プログラムを記憶するように構成される。具体的には、プログラムはプログラム符号を含んでもよく、この場合、プログラム符号はコンピュータ操作命令を含む。メモリ1603は、リード・オンリー・メモリ及びランダム・アクセス・メモリを含んでもよく、また、命令及びデータをプロセッサ1602に供給してもよい。メモリ1603は、高速RAMを含んでもよく、又は、例えば少なくとも1つのディスク記憶装置などの持続性メモリ（non−volatile memory）を更に含んでもよい。
【０５１６】
プロセッサ1602は、メモリ1603に記憶されるプログラムを実行する。
【０５１７】
具体的には、ユーザ機器1600において、プロセッサ1602は、受信機1604と送信機1601とを使用することにより、以下の方法、すなわち、
第1の情報を送信機1601によって送信するステップであって、第1の情報はデータ情報である、ステップと、
第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報は第1の情報に関する確認情報であり、第2の時間領域リソースの持続時間が1サブフレームよりも長くなく、第2の時間領域リソースと第1の時間領域リソースとの間の間隔が4サブフレームよりも短い、ステップと、
第1のパラメータ値に基づいて第2の時間領域リソースを決定し、受信機1604を使用することにより第2の時間領域リソースに関する第2の情報を受信するステップと、
を実行してもよい。
【０５１８】
ユーザ機器によって実行されて図4に示される本発明の実施形態によって開示される前述の方法は、プロセッサ1602に適用されてもよく又はプロセッサ1602によって実施されてもよい。プロセッサ1602は、集積回路チップであってもよく、また、信号処理能力を有する。実施プロセスにおいて、前述の方法の各ステップは、プロセッサ1602内のハードウェアの集積論理回路又はソフトウェア形態の命令を使用することによって完了されてもよい。プロセッサ1602は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1603内に位置され、また、プロセッサ1602は、メモリ1603内の情報を読み取って、プロセッサのハードウェアと組み合わせて前述の方法におけるステップを完了する。
【０５１９】
図17は、本発明の更なる他の実施形態に係る基地局1700の概略構造図である。図17に示されるように、基地局1700のエンティティ装置の概略構造図は、プロセッサ1702、メモリ1703、送信機1701、及び、受信機1704を含んでもよい。特定の用途では、送信機1701及び受信機1704がアンテナ1705に結合されてもよい。
【０５２０】
メモリ1703は、プログラムを記憶するように構成される。具体的には、プログラムはプログラム符号を含んでもよく、この場合、プログラム符号はコンピュータ操作命令を含む。メモリは、リード・オンリー・メモリ及びランダム・アクセス・メモリを含んでもよく、また、命令及びデータをプロセッサ1702に供給してもよい。メモリ1703は、高速RAMを含んでもよく、又は、例えば少なくとも1つのディスク記憶装置などの持続性メモリ（non−volatile memory）を更に含んでもよい。
【０５２１】
プロセッサ1702は、メモリ1703に記憶されるプログラムを実行する。
【０５２２】
具体的には、基地局1700において、プロセッサ1702は、受信機1704と送信機1701とを使用することにより、以下の方法、すなわち、
第1の情報を受信機1704によって受信するステップであって、第1の情報はデータ情報である、ステップと、
送信機1701を使用することにより第1のパラメータ値を送信するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の情報が第1の情報に関する確認情報であり、第2の時間領域リソースの持続時間が1サブフレームよりも長くなく、第2の時間領域リソースと第1の時間領域リソースとの間の間隔が4サブフレームよりも短い、ステップと、
第2の時間領域リソースを決定し、送信機1701を使用することにより第2の時間領域リソースに関する第2の情報を送信するステップと、
を実行してもよい。
【０５２３】
基地局によって実行されて図5に示される本発明の実施形態によって開示される前述の方法は、プロセッサ1702に適用されてもよく又はプロセッサ1702によって実施されてもよい。プロセッサ1702は、集積回路チップであってもよく、また、信号処理能力を有する。実施プロセスにおいて、前述の方法の各ステップは、プロセッサ1702内のハードウェアの集積論理回路又はソフトウェア形態の命令を使用することによって完了されてもよい。プロセッサ1702は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1703内に位置され、また、プロセッサ1702は、メモリ1703内の情報を読み取って、プロセッサのハードウェアと組み合わせて前述の方法におけるステップを完了する。
【０５２４】
図18は、本発明の更なる他の実施形態に係るユーザ機器1800の概略構造図である。図18に示されるように、ユーザ機器1800のエンティティ装置の概略構造図は、プロセッサ1802、メモリ1803、送信機1801、及び、受信機1804を含んでもよい。特定の用途では、送信機1801及び受信機1804がアンテナ1805に結合されてもよい。
【０５２５】
メモリ1803は、プログラムを記憶するように構成される。具体的には、プログラムはプログラム符号を含んでもよく、この場合、プログラム符号はコンピュータ操作命令を含む。メモリ1803は、リード・オンリー・メモリ及びランダム・アクセス・メモリを含んでもよく、また、命令及びデータをプロセッサ1802に供給してもよい。メモリ1803は、高速RAMを含んでもよく、又は、例えば少なくとも1つのディスク記憶装置などの持続性メモリ（non−volatile memory）を更に含んでもよい。
【０５２６】
プロセッサ1802は、メモリ1803に記憶されるプログラムを実行する。
【０５２７】
具体的には、ユーザ機器1800において、プロセッサ1802は、受信機1804と送信機1801とを使用することにより、以下の方法、すなわち、
第1の情報を受信機1804を使用することによって受信するステップであって、第1の情報は、第2の情報に関する確認情報であり、第2の情報がデータ情報である、ステップと、
第1のパラメータ値を取得するステップであって、第1のパラメータ値は、第1の時間領域リソースと第2の時間領域リソースとの間の位置関係を示すために使用され、第1の時間領域リソースは、第1の情報が位置される時間領域リソースであり、第2の時間領域リソースは、第2の情報が位置される時間領域リソースであり、第2の時間領域リソースの持続時間が1サブフレームよりも長くなく、第2の時間領域リソースと第1の時間領域リソースとの間の間隔が4サブフレームよりも短い、ステップと、
第1のパラメータ値に基づいて第2の時間領域リソースを決定するステップと、
を実行してもよい。
【０５２８】
ユーザ機器によって実行されて図6に示される本発明の実施形態によって開示される前述の方法は、プロセッサ1802に適用されてもよく又はプロセッサ1802によって実施されてもよい。プロセッサ1802は、集積回路チップであってもよく、また、信号処理能力を有する。実施プロセスにおいて、前述の方法の各ステップは、プロセッサ1802内のハードウェアの集積論理回路又はソフトウェア形態の命令を使用することによって完了されてもよい。プロセッサ1802は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1803内に位置され、また、プロセッサ1802は、メモリ1803内の情報を読み取って、プロセッサのハードウェアと組み合わせて前述の方法におけるステップを完了する。
【０５２９】
図19は、本発明の更なる他の実施形態に係るユーザ機器1900の概略構造図である。図19に示されるように、ユーザ機器1900のエンティティ装置の概略構造図は、プロセッサ1902、メモリ1903、送信機1901、及び、受信機1904を含んでもよい。特定の用途では、送信機1901及び受信機1904がアンテナ1905に結合されてもよい。
【０５３０】
メモリ1903は、プログラムを記憶するように構成される。具体的には、プログラムはプログラム符号を含んでもよく、この場合、プログラム符号はコンピュータ操作命令を含む。メモリ1903は、リード・オンリー・メモリ及びランダム・アクセス・メモリを含んでもよく、また、命令及びデータをプロセッサ1902に供給してもよい。メモリ1903は、高速RAMを含んでもよく、又は、例えば少なくとも1つのディスク記憶装置などの持続性メモリ（non−volatile memory）を更に含んでもよい。
【０５３１】
プロセッサ1902は、メモリ1903に記憶されるプログラムを実行する。
【０５３２】
具体的には、ユーザ機器1900において、プロセッサ1902は、受信機1904及び送信機1901を使用することによって以下の方法、すなわち、
受信機1904を使用することにより構成インデックスを受信するステップであって、構成情報インデックスは、制御情報の送信周期及び第1の時間領域リソースオフセットを示すために使用され、第1の時間領域リソースの持続時間は、1サブフレームより短い、ステップと、
システムフレーム番号と構成インデックスとに基づいて、制御情報のための時間領域リソースを決定するステップと、
送信機1901を使用することにより時間領域リソースに関する制御情報を送信するステップと、
を実行してもよい。
【０５３３】
ユーザ機器によって実行されて図7に示される本発明の実施形態によって開示される前述の方法は、プロセッサ1902に適用されてもよく又はプロセッサ1902によって実施されてもよい。プロセッサ1902は、集積回路チップであってもよく、また、信号処理能力を有する。実施プロセスにおいて、前述の方法の各ステップは、プロセッサ1902内のハードウェアの集積論理回路又はソフトウェア形態の命令を使用することによって完了されてもよい。プロセッサ1902は、中央処理装置（Central Processing Unit、略してCPU）、ネットワークプロセッサ（Network Processor、略してNP）などを含む汎用プロセッサであってもよく、或いは、デジタル信号プロセッサ（DSP）、特定用途向け集積回路（ASIC）、フィールドプログラマブルゲートアレイ（FPGA）、又は、他のプログラマブルロジックデバイス、ディスクリートゲート又はトランジスタロジックデバイス、或いは、ディスクリートハードウェアコンポーネントであってもよい。プロセッサは、本発明の実施形態に開示される方法、ステップ、及び、論理ブロック図を実施又は実行してもよい。汎用プロセッサがマイクロプロセッサであってもよく、或いは、プロセッサが任意の従来のプロセッサ等であってもよい。本発明の実施形態に開示される方法のステップは、ハードウェア・デコーディング・プロセッサによって直接に実行されて完了されてもよく、或いは、デコーディング・プロセッサにおけるハードウェアとソフトウェアモジュールとの組み合わせにより実行されて完了されてもよい。ソフトウェアモジュールは、ランダム・アクセス・メモリ、フラッシュメモリ、リード・オンリー・メモリ、プログラマブル・リード・オンリー・メモリ、電気的に消去可能なプログラマブルメモリ、又は、レジスタなどの当該技術分野における記憶媒体内に位置されてもよい。記憶媒体はメモリ1903内に位置され、また、プロセッサ1902は、メモリ1903内の情報を読み取って、プロセッサのハードウェアと組み合わせて前述の方法におけるステップを完了する。
【０５３４】
本発明の一実施形態は、コンピュータプログラムを記憶するように構成されるコンピュータ可読記憶媒体を更に提供し、コンピュータプログラムは、図1に示される実施形態においてユーザ機器によって実行される方法を実行するために使用される命令を含む。
【０５３５】
本発明の一実施形態は、コンピュータプログラムを記憶するように構成される他のコンピュータ可読記憶媒体を更に提供し、コンピュータプログラムは、図3に示される実施形態において基地局によって実行される方法を実行するために使用される命令を含む。
【０５３６】
本発明の一実施形態は、コンピュータプログラムを記憶するように構成される更なる他のコンピュータ可読記憶媒体を更に提供し、コンピュータプログラムは、図4に示される実施形態においてユーザ機器によって実行される方法を実行するために使用される命令を含む。
【０５３７】
本発明の一実施形態は、コンピュータプログラムを記憶するように構成される更なる他のコンピュータ可読記憶媒体を更に提供し、コンピュータプログラムは、図5に示される実施形態において基地局によって実行される方法を実行するために使用される命令を含む。
【０５３８】
本発明の一実施形態は、コンピュータプログラムを記憶するように構成される更なる他のコンピュータ可読記憶媒体を更に提供し、コンピュータプログラムは、図6に示される実施形態においてユーザ機器によって実行される方法を実行するために使用される命令を含む。
【０５３９】
本発明の一実施形態は、コンピュータプログラムを記憶するように構成される更なる他のコンピュータ可読記憶媒体を更に提供し、コンピュータプログラムは、図7に示される実施形態においてユーザ機器によって実行される方法を実行するために使用される命令を含む。
【０５４０】
前述のプロセスのシーケンス番号が本発明の様々な実施形態における実行順序を意味しないことが理解されるべきである。プロセスの実行順序は、プロセスの機能や内部ロジックに応じて決定されるべきであり、また、本発明の実施形態の実施プロセスの任意の制限として解釈されるべきではない。
【０５４１】
当業者であれば気付くように、ユニット及びアルゴリズムステップは、この明細書中に開示される実施形態において説明される例と組み合わせて、電子的なハードウェアによって或いはコンピュータソフトウェアと電子的なハードウェアとの組み合わせによって実施されてもよい。機能がハードウェアによって果たされるか或いはソフトウェアによって果たされるかどうかは、特定の用途と技術的解決策の設計制約条件とによって決まる。当業者は、それぞれの特定の用途に関して説明された機能を実施するために異なる方法を使用してもよいが、その実施が本発明の範囲を越えると見なされるべきでない。
【０５４２】
当業者により明確に理解できるように、便宜のため、及び、簡単な説明のため、前述のシステム、装置、及び、ユニットの詳細な作業プロセスに関しては、前述の方法実施形態における対応するプロセスを参照することができ、そのため、ここでは再び詳しく説明しない。
【０５４３】
この出願において与えられる幾つかの実施形態では、開示されたシステム、機器、及び、方法が他の態様で実施されてもよいことが理解されるべきである。例えば、記載された機器の実施形態は単なる一例にすぎない。例えば、ユニット分割は、単に論理的な機能分割にすぎず、実際の実施では他の分割であってもよい。例えば、複数のユニット又は構成要素が組み合わされ或いは他のシステムに組み込まれてもよく、或いは、幾つかの特徴が無視され又は実行されなくてもよい。また、示された或いは論じられた相互の結合又は直接的な結合又は通信接続は、幾つかのインタフェースを使用することにより実施されてもよい。機器間又はユニット間の間接的な結合又は通信接続は、電子的形態、機械的形態、又は、他の形態で実施されてもよい。
【０５４４】
別個の部品として説明されるユニットは、物理的に別個であってもよく又は物理的に別個でなくてもよく、また、ユニットとして示される部品は、物理的なユニットであってもなくてもよく、1つの位置に位置されてもよく、又は、複数のネットワークユニット上に分布されてもよい。ユニットの一部又は全部は、実施形態の解決策の目的を達成するように実際の要件に基づいて選択されてもよい。
【０５４５】
また、本発明の実施形態における機能ユニットが1つの処理ユニットに組み込まれてもよく、又は、ユニットのそれぞれが物理的に単独で存在してもよく、又は、2つ以上のユニットが1つのユニットに組み込まれてもよい。
【０５４６】
機能がソフトウェア機能ユニットの形態で実施されるとともに独立した製品として販売され或いは使用される場合には、機能がコンピュータ可読記憶媒体に記憶されてもよい。そのような理解に基づき、本質的に本発明の技術的な解決策、或いは、従来技術に寄与する部分、或いは、技術的な解決策の一部は、ソフトウェアプロダクトの形態で実施されてもよい。コンピュータソフトウェアプロダクトは、記憶媒体に記憶されるとともに、本発明の実施形態において記載された方法のステップの全部又は一部を実行するようにコンピュータデバイス（パーソナルコンピュータ、サーバ、ネットワークデバイス等であってもよい）に指示するための幾つかの命令を含む。前述の記憶媒体は、プログラムコードを記憶できる任意の媒体、例えば、USBフラッシュドライブ、除去可能なハードディスク、リード・オンリー・メモリ（Read−Only Memory，ROM）、ランダム・アクセス・メモリ（Random Access Memory，RAM）、磁気ディスク、又は、光ディスクを含む。
【０５４７】
以上の説明は、本発明の単なる特定の実施にすぎず、本発明の保護範囲を限定しようとするものではない。本発明で開示される技術的範囲内で当業者により容易に考え出されるいかなる変形も置換も、本発明の保護範囲内に入るものとする。したがって、本発明の保護範囲は、特許請求項の保護範囲に制約されるものとする。
【符号の説明】
【０５４８】
800  ユーザ機器
810  受信モジュール
820  処理モジュール
830  送信モジュール
900  基地局
910  受信モジュール
920  処理モジュール
930  送信モジュール
1000  ユーザ機器
1010  受信モジュール
1020  処理モジュール
1030  送信モジュール
1100  ユーザ機器
1110  受信モジュール
1120  処理モジュール
1130  送信モジュール
1200  ユーザ機器
1210  受信モジュール
1220  処理モジュール
1230  送信モジュール
1300  ユーザ機器
1310  受信モジュール
1320  処理モジュール
1330  送信モジュール
1400  ユーザ機器
1401  送信機
1402  プロセッサ
1403  メモリ
1404  受信機
1405  アンテナ
1500  基地局
1501  送信機
1502  プロセッサ
1503  メモリ
1504  受信機
1505  アンテナ
1600  ユーザ機器
1601  送信機
1602  プロセッサ
1603  メモリ
1604  受信機
1605  アンテナ
1700  基地局
1701  送信機
1702  プロセッサ
1703  メモリ
1704  受信機
1705  アンテナ
1800  ユーザ機器
1801  送信機
1802  プロセッサ
1803  メモリ
1804  受信機
1805  アンテナ
1900  ユーザ機器
1901  送信機
1902  プロセッサ
1903  メモリ
1904  受信機
1905  アンテナ
【図１】
2020162178.tif 000012
【図２】
2020162178.tif 000013
【図３】
2020162178.tif 000014
【図４】
2020162178.tif 000015
【図５】
2020162178.tif 000016
【図６】
2020162178.tif 000017
【図７】
2020162178.tif 000018
【図８】
2020162178.tif 000019
【図９】
2020162178.tif 000020
【図１０】
2020162178.tif 000021
【図１１】
2020162178.tif 000022
【図１２】
2020162178.tif 000023
【図１３】
2020162178.tif 000024
【図１４】
2020162178.tif 000025
【図１５】
2020162178.tif 000026
【図１６】
2020162178.tif 000027
【図１７】
2020162178.tif 000028
【図１８】
2020162178.tif 000029
【図１９】
2020162178.tif 000030
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
制御情報送信方法であって、
構成インデックスを受信するステップと、
前記構成インデックスに従って送信周期と時間領域リソースの第1のオフセットを決定するステップであって、前記時間領域リソースの持続時間が1サブフレームよりも短い、ステップと、
システムフレーム番号、前記送信周期、前記第１の時間領域リソースオフセット、および、第２の時間領域リソースオフセットに基づいて前記時間領域リソースを決定するステップと、
前記時間領域リソースに関する制御情報を送信するステップと、
を含む方法。
【請求項２】
前記第２の時間領域リソースオフセットが基地局から受信される、請求項１に記載の方法。
【請求項３】
前記第1の時間領域リソースオフセットは前記制御情報のタイプと関連付けられるオフセットであり、前記第1の時間領域オフセットは、前記送信周期における前記制御情報のオフセットを示し、前記第2の時間領域オフセットの持続時間が前記時間領域リソースのうちの1つ以上の持続時間に等しい、請求項１または２に記載の方法。
【請求項４】
前記制御情報は、チャネル状態情報（CSI）、スケジューリング要求（SR）、又は、ハイブリッド自動再送要求（HARQ）確認情報を含む、請求項1から3のいずれか一項に記載の方法。
【請求項５】
前記構成インデックスによって示される前記送信周期及び前記第１の時間領域リソースオフセットのうちの少なくとも一方の時間領域単位の持続時間は、時間領域における前記時間領域リソースの持続時間と同じである、請求項1から4のいずれか一項に記載の方法。
【請求項６】
システムフレーム番号と前記構成インデックスとに基づいて前記時間領域リソースを決定する前記ステップは、
前記構成インデックス及びM＊10＊nfにしたがって前記時間領域リソースの位置を決定するステップであって、nfがシステムフレーム番号であり、Mは、前記サブフレームの持続時間と前記時間領域リソースの持続時間とにしたがって決定され、Mが正の整数である、ステップを含む、
請求項1から5のいずれか一項に記載の方法。
【請求項７】
前記時間領域リソースの位置が、（M×10×nf＋ns−NOFFSET）mod（Npd）＝0を満たし、nsが前記時間領域リソースの時間領域位置を示し、Noffsetが前記第１の時間領域リソースオフセットであり、Npdが前記制御情報の前記送信周期である、
請求項6に記載の方法。
【請求項８】
システムフレーム番号と前記構成インデックスとに基づいて前記制御情報のための時間領域リソースを決定する前記ステップは、
前記システムフレーム番号と前記構成インデックスとに基づいて候補時間領域リソースを決定するステップと、
前記候補時間領域リソースが利用可能なアップリンク時間領域リソースであれば、前記候補時間領域リソースを前記制御情報のための前記時間領域リソースとして決定するステップ、又は、
前記候補時間領域リソースがダウンリンク時間領域リソース又は利用不可能な時間領域リソースであれば、前記時間領域リソースの後の第1の利用可能なアップリンク時間領域リソースを前記制御情報のための前記時間領域リソースとして決定するステップと、
を含む、
請求項1から7のいずれか一項に記載の方法。
【請求項９】
前記制御情報のための前記時間領域リソースの前記持続時間が、時間領域における1つのタイムスロットの持続時間、時間領域における2つのシンボルの持続時間、または時間領域における4つのシンボルの持続時間のうちのいずれか1つに等しい、請求項1から7のいずれか一項に記載の方法。
【請求項１０】
送信モジュール、受信モジュール、及び、処理モジュールを備える装置であって、
前記受信モジュールは、構成インデックスを受信するように構成され、
前記処理モジュールは、前記構成インデックスに従って前記送信周期と時間領域リソースの第1のオフセットを決定するように構成され、前記時間領域リソースの持続時間が1サブフレームよりも短く、
前記送信モジュールは、前記時間領域リソースに関する制御情報を送信するように構成された、
装置。
【請求項１１】
前記第２の時間領域リソースオフセットが基地局から受信される、請求項10に記載の装置。
【請求項１２】
前記第1の時間領域リソースオフセットは前記制御情報のタイプと関連付けられるオフセットであり、前記第1の時間領域オフセットは、前記送信周期における前記制御情報のオフセットを示し、前記第2の時間領域オフセットの持続時間が前記時間領域リソースのうちの1つ以上の持続時間に等しい、請求項10または11に記載の装置。
【請求項１３】
前記制御情報は、チャネル状態情報（CSI）、スケジューリング要求（SR）、又は、ハイブリッド自動再送要求（HARQ）確認情報を含む、請求項10から12のいずれか一項に記載の装置。
【請求項１４】
前記構成インデックスによって示される前記送信周期及び前記第１の時間領域リソースオフセットのうちの少なくとも一方の時間領域単位の持続時間は、時間領域における前記時間領域リソースの持続時間と同じである、請求項10から13のいずれか一項に記載の装置。
【請求項１５】
前記処理モジュールが、前記構成インデックス及びM＊10＊nfにしたがって前記時間領域リソースの位置を決定するよう構成され、nfがシステムフレーム番号であり、Mは、前記サブフレームの持続時間と前記時間領域リソースの持続時間とにしたがって決定され、Mが正の整数である、請求項10から13のいずれか一項に記載の装置。
【請求項１６】
前記時間領域リソースの位置が、（M×10×nf＋ns−NOFFSET）mod（Npd）＝0を満たし、nsが前記時間領域リソースの時間領域位置を示し、Noffsetが前記第１の時間領域リソースオフセットであり、Npdが前記制御情報の前記送信周期である、
請求項15に記載の装置。
【請求項１７】
前記制御情報のための前記時間領域リソースの前記持続時間が、時間領域における1つのタイムスロットの持続時間、時間領域における2つのシンボルの持続時間、または時間領域における4つのシンボルの持続時間のうちのいずれか1つに等しい、請求項10から16のいずれか一項に記載の装置。
【請求項１８】
前記装置がユーザ機器である、請求項10から17のいずれか一項に記載の装置。
【請求項１９】
請求項1から9のいずれか一項に記載の方法をコンピュータに実装させる、プログラム。
【手続補正２】
【補正対象書類名】明細書
【補正対象項目名】０００５
【補正方法】変更
【補正の内容】
【０００５】
本発明の実施形態は、送信遅延を減らしつつ通信システムの送信効率を向上させるための情報送信方法、情報受信方法、基地局、及び、ユーザ機器を提供する。
【手続補正３】
【補正対象書類名】明細書
【補正対象項目名】０００８
【補正方法】変更
【補正の内容】
【０００８】
第1の態様または前述の実施と関連して、第1の態様の第2の想定し得る実施において、第1のパラメータ値に基づいて第2の時間領域リソースを決定することの具体的な実施は、第1の時間領域間隔と第1の時間領域リソースとに基づいて第2の時間領域リソースを決定することである。
【手続補正４】
【補正対象書類名】明細書
【補正対象項目名】０００９
【補正方法】変更
【補正の内容】
【０００９】
第1の態様または前述の実施と関連して、第1の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正５】
【補正対象書類名】明細書
【補正対象項目名】００１０
【補正方法】変更
【補正の内容】
【００１０】
第1の態様または前述の実施と関連して、第1の態様の第4の想定し得る実施において、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【手続補正６】
【補正対象書類名】明細書
【補正対象項目名】００１１
【補正方法】変更
【補正の内容】
【００１１】
第1の態様または前述の実施と関連して、第1の態様の第5の想定し得る実施において、第1のパラメータ値に基づいて第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正７】
【補正対象書類名】明細書
【補正対象項目名】００１２
【補正方法】変更
【補正の内容】
【００１２】
第1の態様または前述の実施と関連して、第1の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正８】
【補正対象書類名】明細書
【補正対象項目名】００１３
【補正方法】変更
【補正の内容】
【００１３】
第1の態様または前述の実施と関連して、第1の態様の第7の想定し得る実施において、第1の時間領域リソースの持続時間及び第2の時間領域リソースの持続時間が第1の時間領域間隔の時間領域単位の持続時間に等しいことである。
【手続補正９】
【補正対象書類名】明細書
【補正対象項目名】００１４
【補正方法】変更
【補正の内容】
【００１４】
第1の態様または前述の実施と関連して、第1の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正１０】
【補正対象書類名】明細書
【補正対象項目名】００１５
【補正方法】変更
【補正の内容】
【００１５】
第1の態様または前述の実施と関連して、第1の態様の第9の想定し得る実施において、第2の時間領域リソースの持続時間が第1の時間領域間隔の時間領域単位の持続時間よりも短い又は該持続時間に等しいことである。
【手続補正１１】
【補正対象書類名】明細書
【補正対象項目名】００１６
【補正方法】変更
【補正の内容】
【００１６】
第1の態様または前述の実施と関連して、第1の態様の第10の想定し得る実施では、第1の時間領域間隔の時間領域単位がサブフレームであり、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正１２】
【補正対象書類名】明細書
【補正対象項目名】００１７
【補正方法】変更
【補正の内容】
【００１７】
第1の態様または前述の実施と関連して、第1の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正１３】
【補正対象書類名】明細書
【補正対象項目名】００１８
【補正方法】変更
【補正の内容】
【００１８】
第1の態様または前述の実施と関連して、第1の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【手続補正１４】
【補正対象書類名】明細書
【補正対象項目名】００１９
【補正方法】変更
【補正の内容】
【００１９】
第1の態様または前述の実施と関連して、第1の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正１５】
【補正対象書類名】明細書
【補正対象項目名】００２０
【補正方法】変更
【補正の内容】
【００２０】
第1の態様または前述の実施と関連して、第1の態様の第14の想定し得る実施において、第1のパラメータ値を取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正１６】
【補正対象書類名】明細書
【補正対象項目名】００２１
【補正方法】変更
【補正の内容】
【００２１】
第1の態様または前述の実施と関連して、第1の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【手続補正１７】
【補正対象書類名】明細書
【補正対象項目名】００２４
【補正方法】変更
【補正の内容】
【００２４】
第2の態様または前述の実施と関連して、第2の態様の第2の想定し得る実施において、第1のパラメータ値に基づいて第2の時間領域リソースを処理モジュールにより決定することの具体的な実施は、第1の時間領域間隔と第1の時間領域リソースとに基づいて第2の時間領域リソースを決定することである。
【手続補正１８】
【補正対象書類名】明細書
【補正対象項目名】００２５
【補正方法】変更
【補正の内容】
【００２５】
第2の態様または前述の実施と関連して、第2の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正１９】
【補正対象書類名】明細書
【補正対象項目名】００２６
【補正方法】変更
【補正の内容】
【００２６】
第2の態様または前述の実施と関連して、第2の態様の第4の想定し得る実施において、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【手続補正２０】
【補正対象書類名】明細書
【補正対象項目名】００２７
【補正方法】変更
【補正の内容】
【００２７】
第2の態様または前述の実施と関連して、第2の態様の第5の想定し得る実施において、第1のパラメータ値に基づいて第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正２１】
【補正対象書類名】明細書
【補正対象項目名】００２８
【補正方法】変更
【補正の内容】
【００２８】
第2の態様または前述の実施と関連して、第2の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正２２】
【補正対象書類名】明細書
【補正対象項目名】００２９
【補正方法】変更
【補正の内容】
【００２９】
第2の態様または前述の実施と関連して、第2の態様の第7の想定し得る実施において、第1の時間領域リソースの持続時間及び第2の時間領域リソースの持続時間が第1の時間領域間隔の時間領域単位の持続時間に等しいことである。
【手続補正２３】
【補正対象書類名】明細書
【補正対象項目名】００３０
【補正方法】変更
【補正の内容】
【００３０】
第2の態様または前述の実施と関連して、第2の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正２４】
【補正対象書類名】明細書
【補正対象項目名】００３１
【補正方法】変更
【補正の内容】
【００３１】
第2の態様または前述の実施と関連して、第2の態様の第9の想定し得る実施において、第2の時間領域リソースの持続時間が第1の時間領域間隔の時間領域単位の持続時間よりも短い又は該持続時間に等しいことである。
【手続補正２５】
【補正対象書類名】明細書
【補正対象項目名】００３２
【補正方法】変更
【補正の内容】
【００３２】
第2の態様または前述の実施と関連して、第2の態様の第10の想定し得る実施では、第1の時間領域間隔の時間領域単位がサブフレームであり、処理モジュールは、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて処理モジュールにより第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正２６】
【補正対象書類名】明細書
【補正対象項目名】００３３
【補正方法】変更
【補正の内容】
【００３３】
第2の態様または前述の実施と関連して、第2の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正２７】
【補正対象書類名】明細書
【補正対象項目名】００３４
【補正方法】変更
【補正の内容】
【００３４】
第2の態様または前述の実施と関連して、第2の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【手続補正２８】
【補正対象書類名】明細書
【補正対象項目名】００３５
【補正方法】変更
【補正の内容】
【００３５】
第2の態様または前述の実施と関連して、第2の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正２９】
【補正対象書類名】明細書
【補正対象項目名】００３６
【補正方法】変更
【補正の内容】
【００３６】
第2の態様または前述の実施と関連して、第2の態様の第14の想定し得る実施において、第1のパラメータ値を処理モジュールにより取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正３０】
【補正対象書類名】明細書
【補正対象項目名】００３７
【補正方法】変更
【補正の内容】
【００３７】
第2の態様または前述の実施と関連して、第2の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【手続補正３１】
【補正対象書類名】明細書
【補正対象項目名】００４２
【補正方法】変更
【補正の内容】
【００４２】
第5の態様または前述の実施と関連して、第5の態様の第2の想定し得る実施において、第2の時間領域リソースを決定することの具体的な実施は、第1の時間領域間隔と第1の時間領域リソースとに基づいて第2の時間領域リソースを決定することである。
【手続補正３２】
【補正対象書類名】明細書
【補正対象項目名】００４３
【補正方法】変更
【補正の内容】
【００４３】
第5の態様または前述の実施と関連して、第5の態様の第3の想定し得る実施において、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正３３】
【補正対象書類名】明細書
【補正対象項目名】００４４
【補正方法】変更
【補正の内容】
【００４４】
第5の態様または前述の実施と関連して、第5の態様の第4の想定し得る実施において、第1のパラメータ値が第1のパラメータ値に対応するマッピング関係のインデックスであり、又は、第1のパラメータ値が第1のパラメータ値に対応する所定のマッピング関係における最小時間領域間隔である。
【手続補正３４】
【補正対象書類名】明細書
【補正対象項目名】００４５
【補正方法】変更
【補正の内容】
【００４５】
第5の態様または前述の実施と関連して、第5の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正３５】
【補正対象書類名】明細書
【補正対象項目名】００４６
【補正方法】変更
【補正の内容】
【００４６】
第5の態様または前述の実施と関連して、第5の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正３６】
【補正対象書類名】明細書
【補正対象項目名】００４７
【補正方法】変更
【補正の内容】
【００４７】
第5の態様または前述の実施と関連して、第5の態様の第7の想定し得る実施において、第1の時間領域リソースの持続時間及び第2の時間領域リソースの持続時間が第1の時間領域間隔の時間領域単位の持続時間に等しいことである。
【手続補正３７】
【補正対象書類名】明細書
【補正対象項目名】００４８
【補正方法】変更
【補正の内容】
【００４８】
第5の態様または前述の実施と関連して、第5の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正３８】
【補正対象書類名】明細書
【補正対象項目名】００４９
【補正方法】変更
【補正の内容】
【００４９】
第5の態様または前述の実施と関連して、第5の態様の第9の想定し得る実施において、第2の時間領域リソースの持続時間が第1の時間領域間隔の時間領域単位の持続時間よりも短い又は該持続時間に等しいことである。
【手続補正３９】
【補正対象書類名】明細書
【補正対象項目名】００５０
【補正方法】変更
【補正の内容】
【００５０】
第5の態様または前述の実施と関連して、第5の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正４０】
【補正対象書類名】明細書
【補正対象項目名】００５１
【補正方法】変更
【補正の内容】
【００５１】
第5の態様または前述の実施と関連して、第5の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正４１】
【補正対象書類名】明細書
【補正対象項目名】００５２
【補正方法】変更
【補正の内容】
【００５２】
第5の態様または前述の実施と関連して、第5の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【手続補正４２】
【補正対象書類名】明細書
【補正対象項目名】００５３
【補正方法】変更
【補正の内容】
【００５３】
第5の態様または前述の実施と関連して、第5の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正４３】
【補正対象書類名】明細書
【補正対象項目名】００５４
【補正方法】変更
【補正の内容】
【００５４】
第5の態様または前述の実施と関連して、第5の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正４４】
【補正対象書類名】明細書
【補正対象項目名】００５５
【補正方法】変更
【補正の内容】
【００５５】
第5の態様または前述の実施と関連して、第5の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【手続補正４５】
【補正対象書類名】明細書
【補正対象項目名】００５８
【補正方法】変更
【補正の内容】
【００５８】
第6の態様または前述の実施と関連して、第6の態様の第2の想定し得る実施において、第2の時間領域リソースを処理モジュールにより決定することの具体的な実施は、第1の時間領域間隔と第1の時間領域リソースとに基づいて第2の時間領域リソースを決定することである。
【手続補正４６】
【補正対象書類名】明細書
【補正対象項目名】００５９
【補正方法】変更
【補正の内容】
【００５９】
第6の態様または前述の実施と関連して、第6の態様の第3の想定し得る実施において、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正４７】
【補正対象書類名】明細書
【補正対象項目名】００６０
【補正方法】変更
【補正の内容】
【００６０】
第6の態様または前述の実施と関連して、第6の態様の第4の想定し得る実施において、第1のパラメータ値が第1のパラメータ値に対応するマッピング関係のインデックスであり、又は、第1のパラメータ値が第1のパラメータ値に対応する所定のマッピング関係における最小時間領域間隔である。
【手続補正４８】
【補正対象書類名】明細書
【補正対象項目名】００６１
【補正方法】変更
【補正の内容】
【００６１】
第6の態様または前述の実施と関連して、第6の態様の第5の想定し得る実施において、第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正４９】
【補正対象書類名】明細書
【補正対象項目名】００６２
【補正方法】変更
【補正の内容】
【００６２】
第6の態様または前述の実施と関連して、第6の態様の第6の想定し得る実施において、第2の情報を送信するためにUEによって使用されるキャリアがTDDキャリアであるとき、マッピング関係にしたがって第1の時間領域リソースに対応する第1の時間領域間隔を処理モジュールにより決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正５０】
【補正対象書類名】明細書
【補正対象項目名】００６３
【補正方法】変更
【補正の内容】
【００６３】
第6の態様または前述の実施と関連して、第6の態様の第7の想定し得る実施において、第1の時間領域リソースの持続時間及び第2の時間領域リソースの持続時間が第1の時間領域間隔の時間領域単位の持続時間に等しいことである。
【手続補正５１】
【補正対象書類名】明細書
【補正対象項目名】００６４
【補正方法】変更
【補正の内容】
【００６４】
第6の態様または前述の実施と関連して、第6の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正５２】
【補正対象書類名】明細書
【補正対象項目名】００６５
【補正方法】変更
【補正の内容】
【００６５】
第6の態様または前述の実施と関連して、第6の態様の第9の想定し得る実施において、第2の時間領域リソースの持続時間が第1の時間領域間隔の時間領域単位の持続時間よりも短い又は該持続時間に等しいことである。
【手続補正５３】
【補正対象書類名】明細書
【補正対象項目名】００６６
【補正方法】変更
【補正の内容】
【００６６】
第6の態様または前述の実施と関連して、第6の態様の第10の想定し得る実施では、第1の時間領域間隔の時間領域単位がサブフレームであり、送信モジュールは、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正５４】
【補正対象書類名】明細書
【補正対象項目名】００６７
【補正方法】変更
【補正の内容】
【００６７】
第6の態様または前述の実施と関連して、第6の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正５５】
【補正対象書類名】明細書
【補正対象項目名】００６８
【補正方法】変更
【補正の内容】
【００６８】
第6の態様または前述の実施と関連して、第6の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【手続補正５６】
【補正対象書類名】明細書
【補正対象項目名】００６９
【補正方法】変更
【補正の内容】
【００６９】
第6の態様または前述の実施と関連して、第6の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正５７】
【補正対象書類名】明細書
【補正対象項目名】００７０
【補正方法】変更
【補正の内容】
【００７０】
第6の態様または前述の実施と関連して、第6の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正５８】
【補正対象書類名】明細書
【補正対象項目名】００７１
【補正方法】変更
【補正の内容】
【００７１】
第6の態様または前述の実施と関連して、第6の態様の第15の想定し得る実施では、第1の情報がスケジューリング情報であり、第2の情報はスケジューリング情報にしたがってスケジューリングされるアップリンクデータ情報であり、又は、第1の情報がスケジューリング情報であり、第2の情報はスケジューリング情報にしたがってスケジューリングされるアップリンク制御情報であり、又は、第1の情報がダウンリンク制御情報であり、第2の情報がダウンリンク制御情報に関するフィードバック情報であり、又は、第1の情報がダウンリンクデータ情報であり、第2の情報がダウンリンクデータ情報に関する確認情報である。
【手続補正５９】
【補正対象書類名】明細書
【補正対象項目名】００７６
【補正方法】変更
【補正の内容】
【００７６】
第9の態様または前述の実施と関連して、第9の態様の第2の想定し得る実施において、第1のパラメータ値に基づいて第2の時間領域リソースを決定することの具体的な実施は、第1の時間領域間隔と第1の時間領域リソースとに基づいて第2の時間領域リソースを決定することである。
【手続補正６０】
【補正対象書類名】明細書
【補正対象項目名】００７７
【補正方法】変更
【補正の内容】
【００７７】
第9の態様または前述の実施と関連して、第9の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正６１】
【補正対象書類名】明細書
【補正対象項目名】００７８
【補正方法】変更
【補正の内容】
【００７８】
第9の態様または前述の実施と関連して、第9の態様の第4の想定し得る実施において、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【手続補正６２】
【補正対象書類名】明細書
【補正対象項目名】００７９
【補正方法】変更
【補正の内容】
【００７９】
第9の態様または前述の実施と関連して、第9の態様の第5の想定し得る実施において、第1のパラメータ値に基づいて第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正６３】
【補正対象書類名】明細書
【補正対象項目名】００８０
【補正方法】変更
【補正の内容】
【００８０】
第9の態様または前述の実施と関連して、第9の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正６４】
【補正対象書類名】明細書
【補正対象項目名】００８１
【補正方法】変更
【補正の内容】
【００８１】
第9の態様または前述の実施と関連して、第9の態様の第7の想定し得る実施において、第1の時間領域リソースの持続時間及び第2の時間領域リソースの持続時間が第1の時間領域間隔の時間領域単位の持続時間に等しいことである。
【手続補正６５】
【補正対象書類名】明細書
【補正対象項目名】００８２
【補正方法】変更
【補正の内容】
【００８２】
第9の態様または前述の実施と関連して、第9の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正６６】
【補正対象書類名】明細書
【補正対象項目名】００８３
【補正方法】変更
【補正の内容】
【００８３】
第9の態様または前述の実施と関連して、第9の態様の第9の想定し得る実施において、第2の時間領域リソースの持続時間が第1の時間領域間隔の時間領域単位の持続時間よりも短い又は該持続時間に等しいことである。
【手続補正６７】
【補正対象書類名】明細書
【補正対象項目名】００８４
【補正方法】変更
【補正の内容】
【００８４】
第9の態様または前述の実施と関連して、第9の態様の第10の想定し得る実施では、第1の時間領域間隔の時間領域単位がサブフレームであり、方法は、第2のパラメータ値を取得するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正６８】
【補正対象書類名】明細書
【補正対象項目名】００８５
【補正方法】変更
【補正の内容】
【００８５】
第9の態様または前述の実施と関連して、第9の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正６９】
【補正対象書類名】明細書
【補正対象項目名】００８６
【補正方法】変更
【補正の内容】
【００８６】
第9の態様または前述の実施と関連して、第9の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【手続補正７０】
【補正対象書類名】明細書
【補正対象項目名】００８７
【補正方法】変更
【補正の内容】
【００８７】
第9の態様または前述の実施と関連して、第9の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正７１】
【補正対象書類名】明細書
【補正対象項目名】００８８
【補正方法】変更
【補正の内容】
【００８８】
第9の態様または前述の実施と関連して、第9の態様の第14の想定し得る実施において、第1のパラメータ値を取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正７２】
【補正対象書類名】明細書
【補正対象項目名】００９１
【補正方法】変更
【補正の内容】
【００９１】
第10の態様または前述の実施と関連して、第10の態様の第2の想定し得る実施において、第1のパラメータ値に基づいて第2の時間領域リソースを処理モジュールにより決定することの具体的な実施は、第1の時間領域間隔と第1の時間領域リソースとに基づいて第2の時間領域リソースを決定することである。
【手続補正７３】
【補正対象書類名】明細書
【補正対象項目名】００９２
【補正方法】変更
【補正の内容】
【００９２】
第10の態様または前述の実施と関連して、第10の態様の第3の想定し得る実施において、第1のパラメータ値が第1の時間領域リソースと第2の時間領域リソースとの間の位置関係を示すために使用されることは、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正７４】
【補正対象書類名】明細書
【補正対象項目名】００９３
【補正方法】変更
【補正の内容】
【００９３】
第10の態様または前述の実施と関連して、第10の態様の第4の想定し得る実施において、第1のパラメータ値が、第1のパラメータ値に対応するマッピング関係のインデックスであり、又は、第1のパラメータ値が、第1のパラメータ値に対応する所定のマッピング関係における最小時間領域間隔であり、マッピング関係は、第1の時間領域リソースの位置と第1の時間領域間隔との間の対応関係を含み、第1の時間領域間隔は、第1の時間領域リソースと第2の時間領域リソースとの間の時間領域間隔である。
【手続補正７５】
【補正対象書類名】明細書
【補正対象項目名】００９４
【補正方法】変更
【補正の内容】
【００９４】
第10の態様または前述の実施と関連して、第10の態様の第5の想定し得る実施において、第1のパラメータ値に基づいて第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正７６】
【補正対象書類名】明細書
【補正対象項目名】００９５
【補正方法】変更
【補正の内容】
【００９５】
第10の態様または前述の実施と関連して、第10の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正７７】
【補正対象書類名】明細書
【補正対象項目名】００９６
【補正方法】変更
【補正の内容】
【００９６】
第10の態様または前述の実施と関連して、第10の態様の第7の想定し得る実施において、第1の時間領域リソースの持続時間及び第2の時間領域リソースの持続時間が第1の時間領域間隔の時間領域単位の持続時間に等しいことである。
【手続補正７８】
【補正対象書類名】明細書
【補正対象項目名】００９７
【補正方法】変更
【補正の内容】
【００９７】
第10の態様または前述の実施と関連して、第10の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正７９】
【補正対象書類名】明細書
【補正対象項目名】００９８
【補正方法】変更
【補正の内容】
【００９８】
第10の態様または前述の実施と関連して、第10の態様の第9の想定し得る実施において、第2の時間領域リソースの持続時間が第1の時間領域間隔の時間領域単位の持続時間よりも短い又は該持続時間に等しいことである。
【手続補正８０】
【補正対象書類名】明細書
【補正対象項目名】００９９
【補正方法】変更
【補正の内容】
【００９９】
第10の態様または前述の実施と関連して、第10の態様の第10の想定し得る実施では、第1の時間領域間隔の時間領域単位がサブフレームであり、処理モジュールは、第2のパラメータ値を取得するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて処理モジュールにより第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正８１】
【補正対象書類名】明細書
【補正対象項目名】０１００
【補正方法】変更
【補正の内容】
【０１００】
第10の態様または前述の実施と関連して、第10の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正８２】
【補正対象書類名】明細書
【補正対象項目名】０１０１
【補正方法】変更
【補正の内容】
【０１０１】
第10の態様または前述の実施と関連して、第10の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【手続補正８３】
【補正対象書類名】明細書
【補正対象項目名】０１０２
【補正方法】変更
【補正の内容】
【０１０２】
第10の態様または前述の実施と関連して、第10の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正８４】
【補正対象書類名】明細書
【補正対象項目名】０１０３
【補正方法】変更
【補正の内容】
【０１０３】
第10の態様または前述の実施と関連して、第10の態様の第14の想定し得る実施において、第1のパラメータ値を処理モジュールにより取得する具体的な実施は、指示情報を取得するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正８５】
【補正対象書類名】明細書
【補正対象項目名】０１０８
【補正方法】変更
【補正の内容】
【０１０８】
第13の態様または前述の実施と関連して、第13の態様の第2の想定し得る実施において、第2の時間領域リソースを決定することの具体的な実施は、第1の時間領域間隔と第1の時間領域リソースとに基づいて第2の時間領域リソースを決定することである。
【手続補正８６】
【補正対象書類名】明細書
【補正対象項目名】０１０９
【補正方法】変更
【補正の内容】
【０１０９】
第13の態様または前述の実施と関連して、第13の態様の第3の想定し得る実施において、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正８７】
【補正対象書類名】明細書
【補正対象項目名】０１１０
【補正方法】変更
【補正の内容】
【０１１０】
第13の態様または前述の実施と関連して、第13の態様の第4の想定し得る実施において、第1のパラメータ値が第1のパラメータ値に対応するマッピング関係のインデックスであり、又は、第1のパラメータ値が第1のパラメータ値に対応する所定のマッピング関係における最小時間領域間隔である。
【手続補正８８】
【補正対象書類名】明細書
【補正対象項目名】０１１１
【補正方法】変更
【補正の内容】
【０１１１】
第13の態様または前述の実施と関連して、第13の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正８９】
【補正対象書類名】明細書
【補正対象項目名】０１１２
【補正方法】変更
【補正の内容】
【０１１２】
第13の態様または前述の実施と関連して、第13の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正９０】
【補正対象書類名】明細書
【補正対象項目名】０１１３
【補正方法】変更
【補正の内容】
【０１１３】
第13の態様または前述の実施と関連して、第13の態様の第7の想定し得る実施において、第1の時間領域リソースの持続時間及び第2の時間領域リソースの持続時間が第1の時間領域間隔の時間領域単位の持続時間に等しいことである。
【手続補正９１】
【補正対象書類名】明細書
【補正対象項目名】０１１４
【補正方法】変更
【補正の内容】
【０１１４】
第13の態様または前述の実施と関連して、第13の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正９２】
【補正対象書類名】明細書
【補正対象項目名】０１１５
【補正方法】変更
【補正の内容】
【０１１５】
第13の態様または前述の実施と関連して、第13の態様の第9の想定し得る実施において、第2の時間領域リソースの持続時間が第1の時間領域間隔の時間領域単位の持続時間よりも短い又は該持続時間に等しいことである。
【手続補正９３】
【補正対象書類名】明細書
【補正対象項目名】０１１６
【補正方法】変更
【補正の内容】
【０１１６】
第13の態様または前述の実施と関連して、第13の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正９４】
【補正対象書類名】明細書
【補正対象項目名】０１１７
【補正方法】変更
【補正の内容】
【０１１７】
第13の態様または前述の実施と関連して、第13の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正９５】
【補正対象書類名】明細書
【補正対象項目名】０１１８
【補正方法】変更
【補正の内容】
【０１１８】
第13の態様または前述の実施と関連して、第13の態様の第12の想定し得る実施において、第1の時間領域間隔と第1の時間領域リソースとに基づいて第2の時間領域リソースを決定することの具体的な実施は、第1の時間領域リソースの後であって第1の時間領域リソースから第1の時間領域間隔だけ隔てられる時間領域リソースを第2の時間領域リソースとして決定することである。
【手続補正９６】
【補正対象書類名】明細書
【補正対象項目名】０１１９
【補正方法】変更
【補正の内容】
【０１１９】
第13の態様または前述の実施と関連して、第13の態様の第13の想定し得る実施において、第1の時間領域間隔と第1の時間領域リソースとに基づいて第2の時間領域リソースを決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正９７】
【補正対象書類名】明細書
【補正対象項目名】０１２０
【補正方法】変更
【補正の内容】
【０１２０】
第13の態様または前述の実施と関連して、第13の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正９８】
【補正対象書類名】明細書
【補正対象項目名】０１２３
【補正方法】変更
【補正の内容】
【０１２３】
第14の態様または前述の実施と関連して、第14の態様の第2の想定し得る実施において、第2の時間領域リソースを処理モジュールにより決定することの具体的な実施は、第1の時間領域間隔と第1の時間領域リソースとに基づいて第2の時間領域リソースを決定することである。
【手続補正９９】
【補正対象書類名】明細書
【補正対象項目名】０１２４
【補正方法】変更
【補正の内容】
【０１２４】
第14の態様または前述の実施と関連して、第14の態様の第3の想定し得る実施において、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正１００】
【補正対象書類名】明細書
【補正対象項目名】０１２５
【補正方法】変更
【補正の内容】
【０１２５】
第14の態様または前述の実施と関連して、第14の態様の第4の想定し得る実施において、第1のパラメータ値が第1のパラメータ値に対応するマッピング関係のインデックスであり、又は、第1のパラメータ値が第1のパラメータ値に対応する所定のマッピング関係における最小時間領域間隔である。
【手続補正１０１】
【補正対象書類名】明細書
【補正対象項目名】０１２６
【補正方法】変更
【補正の内容】
【０１２６】
第14の態様または前述の実施と関連して、第14の態様の第5の想定し得る実施において、第2の時間領域リソースを処理モジュールにより決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正１０２】
【補正対象書類名】明細書
【補正対象項目名】０１２７
【補正方法】変更
【補正の内容】
【０１２７】
第14の態様または前述の実施と関連して、第14の態様の第6の想定し得る実施において、第2の情報を送信するためにUEによって使用されるキャリアがTDDキャリアであるとき、マッピング関係にしたがって第1の時間領域リソースに対応する第1の時間領域間隔を処理モジュールにより決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正１０３】
【補正対象書類名】明細書
【補正対象項目名】０１２８
【補正方法】変更
【補正の内容】
【０１２８】
第14の態様または前述の実施と関連して、第14の態様の第7の想定し得る実施において、第1の時間領域リソースの持続時間及び第2の時間領域リソースの持続時間が第1の時間領域間隔の時間領域単位の持続時間に等しいことである。
【手続補正１０４】
【補正対象書類名】明細書
【補正対象項目名】０１２９
【補正方法】変更
【補正の内容】
【０１２９】
第14の態様または前述の実施と関連して、第14の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正１０５】
【補正対象書類名】明細書
【補正対象項目名】０１３０
【補正方法】変更
【補正の内容】
【０１３０】
第14の態様または前述の実施と関連して、第14の態様の第9の想定し得る実施において、第2の時間領域リソースの持続時間が第1の時間領域間隔の時間領域単位の持続時間よりも短い又は該持続時間に等しいことである。
【手続補正１０６】
【補正対象書類名】明細書
【補正対象項目名】０１３１
【補正方法】変更
【補正の内容】
【０１３１】
第14の態様または前述の実施と関連して、第14の態様の第10の想定し得る実施では、第1の時間領域間隔の時間領域単位がサブフレームであり、送信モジュールは、第2のパラメータ値を送信するように更に構成され、第2のパラメータ値は、第2のサブフレーム内の第2の時間領域リソースの位置を示すために使用され、第2のサブフレームは、第2の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正１０７】
【補正対象書類名】明細書
【補正対象項目名】０１３２
【補正方法】変更
【補正の内容】
【０１３２】
第14の態様または前述の実施と関連して、第14の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを処理モジュールにより決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正１０８】
【補正対象書類名】明細書
【補正対象項目名】０１３３
【補正方法】変更
【補正の内容】
【０１３３】
第14の態様または前述の実施と関連して、第14の態様の第12の想定し得る実施において、第1の時間領域間隔と第1の時間領域リソースとに基づいて第2の時間領域リソースを処理モジュールにより決定することの具体的な実施は、第1の時間領域リソースの後であって第1の時間領域リソースから第1の時間領域間隔だけ隔てられる時間領域リソースを第2の時間領域リソースとして決定することである。
【手続補正１０９】
【補正対象書類名】明細書
【補正対象項目名】０１３４
【補正方法】変更
【補正の内容】
【０１３４】
第14の態様または前述の実施と関連して、第14の態様の第13の想定し得る実施において、第1の時間領域間隔と第1の時間領域リソースとに基づいて第2の時間領域リソースを処理モジュールにより決定することの具体的な実施は、第3の時間領域リソースを決定するステップであって、第3の時間領域リソースは、第1の時間領域リソースの後であって第1の時間領域リソースから第1の時間領域間隔だけ隔てられる時間領域リソースである、ステップ、及び、第3の時間領域リソースが利用可能なアップリンク時間領域リソースであれば、第3の時間領域リソースを第2の時間領域リソースとして決定する、或いは、第3の時間領域リソースがダウンリンク時間領域リソース又は利用不可能な時間領域リソースであれば、第3の時間領域リソースの後の第1の利用可能なアップリンク時間領域リソースを第2の時間領域リソースとして決定するステップである。
【手続補正１１０】
【補正対象書類名】明細書
【補正対象項目名】０１３５
【補正方法】変更
【補正の内容】
【０１３５】
第14の態様または前述の実施と関連して、第14の態様の第14の想定し得る実施において、第1のパラメータ値を送信する具体的な実施は、指示情報を送信するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正１１１】
【補正対象書類名】明細書
【補正対象項目名】０１３９
【補正方法】変更
【補正の内容】
【０１３９】
第17の態様と関連して、第1の想定し得る実施において、制御情報がCSI、SR、又は、HARQ確認情報を含むことである。
【手続補正１１２】
【補正対象書類名】明細書
【補正対象項目名】０１４０
【補正方法】変更
【補正の内容】
【０１４０】
第17の態様又は第17の態様の第1の想定し得る実施と関連して、第2の想定し得る実施において、構成インデックスにより示される送信周期及び第1の時間領域リソースオフセットのうちの少なくとも一方の時間領域単位の持続時間が時間領域における時間領域リソースの持続時間と同じであることである。
【手続補正１１３】
【補正対象書類名】明細書
【補正対象項目名】０１４１
【補正方法】変更
【補正の内容】
【０１４１】
第17の態様又は第17の態様の第1の想定し得る実施或いは第17の態様の第2の想定し得る実施と関連して、第3の想定し得る実施において、システムフレーム番号と構成インデックスとに基づいて制御情報のための時間領域リソースを決定することの具体的な実施は、構成インデックスにしたがって送信周期び第1の時間領域リソースオフセットを決定するステップ、並びに、システムフレーム番号、送信周期、第1の時間領域リソースオフセット、及び、第2の時間領域リソースオフセットに基づいて時間領域リソースを決定するステップであり、第1の時間領域リソースオフセットは、制御情報のタイプと関連付けられるオフセットであり、第1の時間領域リソースオフセットは、送信周期における制御情報のオフセットを示すために使用され、第2の時間領域リソースオフセットの持続時間が時間領域リソースのうちの1つ以上の持続時間に等しく、又は、第2の時間領域リソースオフセットの持続時間が1サブフレームの持続時間に等しい。
【手続補正１１４】
【補正対象書類名】明細書
【補正対象項目名】０１４２
【補正方法】変更
【補正の内容】
【０１４２】
第17の態様又は第17の態様の第1の想定し得る実施から第17の態様の第3の想定し得る実施までのいずれか1つと関連して、第4の想定し得る実施において、第2の時間領域リソースオフセットが予め規定され、又は、第2の時間領域リソースオフセットが基地局によってUEに送信されることである。
【手続補正１１５】
【補正対象書類名】明細書
【補正対象項目名】０１４３
【補正方法】変更
【補正の内容】
【０１４３】
第17の態様又は第17の態様の第1の想定し得る実施から第17の態様の第4の想定し得る実施までのいずれか1つと関連して、第5の想定し得る実施において、システムフレーム番号と構成インデックスとに基づいて制御情報のための時間領域リソースを決定することの具体的な実施は、システムフレーム番号nfとMとの積M＊nf及び構成インデックスにしたがって時間領域リソースの位置を決定するステップ、又は、システムフレーム番号nfとMとの積M＊10＊nf及び構成インデックスにしたがって時間領域リソースの位置を決定するステップであり、ここで、Mは、サブフレームの持続時間と時間領域リソースの持続時間とにしたがって決定され、Mが正の整数である。
【手続補正１１６】
【補正対象書類名】明細書
【補正対象項目名】０１４６
【補正方法】変更
【補正の内容】
【０１４６】
具体的には、ユーザ機器は、第17の態様又は第17の態様の想定し得る実施のうちのいずれか1つにおいて方法を実行するように構成されるユニットを含んでもよい。
【手続補正１１７】
【補正対象書類名】明細書
【補正対象項目名】０１５１
【補正方法】変更
【補正の内容】
【０１５１】
第21の態様または前述の実施と関連して、第21の態様の第2の想定し得る実施において、第2の時間領域リソースを決定することの具体的な実施は、第1の時間領域間隔と第1の時間領域リソースとに基づいて第2の時間領域リソースを決定することである。
【手続補正１１８】
【補正対象書類名】明細書
【補正対象項目名】０１５２
【補正方法】変更
【補正の内容】
【０１５２】
第21の態様または前述の実施と関連して、第21の態様の第3の想定し得る実施において、第1のパラメータ値が第1の時間領域リソースと第2の時間領域リソースとの間の位置関係を示すために使用されることが、第1のパラメータ値が所定のマッピング関係に対応することを含み、この場合、マッピング関係は、第1の時間領域リソースの位置と第1の時間領域間隔との間の対応関係を含み、また、第1の時間領域間隔は、第1の時間領域リソースと第2の時間領域リソースとの間の時間領域間隔である。
【手続補正１１９】
【補正対象書類名】明細書
【補正対象項目名】０１５３
【補正方法】変更
【補正の内容】
【０１５３】
第21の態様または前述の実施と関連して、第21の態様の第4の想定し得る実施において、第1のパラメータ値が第1のパラメータ値に対応するマッピング関係のインデックスであり、又は、第1のパラメータ値が第1のパラメータ値に対応する所定のマッピング関係における最小時間領域間隔である。
【手続補正１２０】
【補正対象書類名】明細書
【補正対象項目名】０１５４
【補正方法】変更
【補正の内容】
【０１５４】
第21の態様または前述の実施と関連して、第21の態様の第5の想定し得る実施において、第2の時間領域リソースを決定する具体的な実施は、第1のパラメータ値に対応するマッピング関係を決定するステップ、マッピング関係にしたがって、第1の時間領域リソースに対応する第1の時間領域間隔を決定するステップ、及び、第1の時間領域間隔と第1の時間領域リソースとに基づいて第2の時間領域リソースを決定するステップである。
【手続補正１２１】
【補正対象書類名】明細書
【補正対象項目名】０１５５
【補正方法】変更
【補正の内容】
【０１５５】
第21の態様または前述の実施と関連して、第21の態様の第6の想定し得る実施において、第2の情報を送信するためにUEによって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、所定のマッピング関係は、複数のTDDアップリンク−ダウンリンク構成における各TDDアップリンク−ダウンリンク構成内の第1の時間領域リソースに対応する第1の時間領域間隔を含む。
【手続補正１２２】
【補正対象書類名】明細書
【補正対象項目名】０１５６
【補正方法】変更
【補正の内容】
【０１５６】
第21の態様または前述の実施と関連して、第21の態様の第7の想定し得る実施において、第1の時間領域リソースの持続時間及び第2の時間領域リソースの持続時間が第1の時間領域間隔の時間領域単位の持続時間に等しいことである。
【手続補正１２３】
【補正対象書類名】明細書
【補正対象項目名】０１５７
【補正方法】変更
【補正の内容】
【０１５７】
第21の態様または前述の実施と関連して、第21の態様の第8の想定し得る実施において、第1の時間領域リソースの持続時間及び第2の時間領域リソースの持続時間が、時間領域における1つのサブフレームの持続時間、又は、時間領域における1つのタイムスロットの持続時間、又は、時間領域における2つのシンボルの持続時間、又は、時間領域における4つのシンボルの持続時間のうちのいずれか1つに等しいことである。
【手続補正１２４】
【補正対象書類名】明細書
【補正対象項目名】０１５８
【補正方法】変更
【補正の内容】
【０１５８】
第21の態様または前述の実施と関連して、第21の態様の第9の想定し得る実施において、第2の時間領域リソースの持続時間が第1の時間領域間隔の時間領域単位の持続時間よりも短い又は該持続時間に等しいことである。
【手続補正１２５】
【補正対象書類名】明細書
【補正対象項目名】０１５９
【補正方法】変更
【補正の内容】
【０１５９】
第21の態様または前述の実施と関連して、第21の態様の第10の想定し得る実施では、第1の時間領域間隔の時間領域単位がサブフレームであり、方法は、第2のパラメータ値を送信するステップであって、第2のパラメータ値は、第2のサブフレーム内の第2の時間領域リソースの位置を示すために使用され、第2のサブフレームは、第2の時間領域リソースが位置されるサブフレームである、ステップを更に含み、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップであって、第1のサブフレームは、第1の時間領域リソースが位置されるサブフレームである、ステップ、及び、第2のパラメータ値に基づいて第2のサブフレーム内の第2の時間領域リソースの位置を決定するステップである。
【手続補正１２６】
【補正対象書類名】明細書
【補正対象項目名】０１６０
【補正方法】変更
【補正の内容】
【０１６０】
第21の態様または前述の実施と関連して、第21の態様の第11の想定し得る実施では、第1の時間領域間隔の時間領域単位がサブフレームであり、第1のサブフレーム内の第1の時間領域リソースの位置と第2のサブフレーム内の第2の時間領域リソースの位置との間の関係が予め規定され、第2のサブフレームは、第2の時間領域リソースが位置されるサブフレームであり、第1のサブフレームは、第1の時間領域リソースが位置されるサブフレームであり、第1の時間領域間隔と第1の時間領域リソースとに基づいて第2の時間領域リソースを決定することの具体的な実施は、第1の時間領域間隔と第1のサブフレームとに基づいて第2のサブフレームを決定するステップ、及び、第1のサブフレーム内の第1の時間領域リソースの位置と第2のサブフレーム内の第2の時間領域リソースの位置との間の関係にしたがって第2のサブフレーム内の第2の時間領域リソースの位置を決定するステップである。
【手続補正１２７】
【補正対象書類名】明細書
【補正対象項目名】０１６１
【補正方法】変更
【補正の内容】
【０１６１】
第21の態様または前述の実施と関連して、第21の態様の第12の想定し得る実施において、第1の時間領域間隔と第1の時間領域リソースとに基づいて第2の時間領域リソースを決定することの具体的な実施は、第1の時間領域リソースの前であって第1の時間領域リソースから第1の時間領域間隔だけ隔てられる時間領域リソースを第2の時間領域リソースとして決定することである。
【手続補正１２８】
【補正対象書類名】明細書
【補正対象項目名】０１６２
【補正方法】変更
【補正の内容】
【０１６２】
第21の態様または前述の実施と関連して、第21の態様の第13の想定し得る実施において、第1のパラメータ値を取得する具体的な実施は、指示情報を送信するステップであって、指示情報が第1のパラメータ値に対応する、ステップ、及び、指示情報にしたがって第1のパラメータ値を決定するステップであり、指示情報は、UEの最大送信タイミングアドバンスTA値、UEの最大トランスポートブロックサイズTBS値、UEの送信モード情報、UEの能力情報、又は、第2の時間領域リソースの持続時間タイプのうちのいずれか1つである。
【手続補正１２９】
【補正対象書類名】明細書
【補正対象項目名】０１６４
【補正方法】変更
【補正の内容】
【０１６４】
具体的には、ユーザ機器は、第21の態様又は第21の態様の想定し得る実施のうちのいずれか1つにおいて方法を実行するように構成されるユニットを含んでもよい。
【手続補正１３０】
【補正対象書類名】明細書
【補正対象項目名】０１７１
【補正方法】変更
【補正の内容】
【０１７１】
本発明の技術的解決策は、GSM（登録商標、Global System of Mobile communication、モバイル通信用グローバルシステム）、CDMA（Code Division Multiple Access、符号分割多重アクセス）システム、WCDMA（登録商標、Wideband Code Division Multiple Access、広帯域符号分割多重アクセス）システム、GPRS（General Packet Radio Service、汎用パケット無線サービス）システム、及び、LTE（Long Term Evolution、ロング・ターム・エボリューション）システムなどの様々な通信システムに適用されてもよい。
【手続補正１３１】
【補正対象書類名】明細書
【補正対象項目名】０１７３
【補正方法】変更
【補正の内容】
【０１７３】
ネットワークデバイスは、モバイル機器と通信するために使用されるデバイスであってもよく、ネットワークデバイスは、GSM（登録商標、Global System for Mobile communication、グローバル・システム・フォー・モバイル・コミュニケーションズ）又はCDMA（Code Division Multiple Access、符号分割多重アクセス）におけるBTS（Base Transceiver Station、ベース・トランシーバ・ステーション）であってもよく、或いは、WCDMA（登録商標、Wideband Code Division Multiple Access、広帯域符号分割多重アクセス）におけるNB（NodeB、基地局）であってもよく、或いは、LTE（Long Term Evolution、ロング・ターム・エボリューション）におけるeNB又はeNodeB（Evolutional Node B，発展型NodeB）、アクセスポイント、車載デバイス、装着型デバイス、次世代5Gネットワークにおけるネットワークデバイス、次世代発展型PLMN（Public Land Mobile Network、パブリック・ランド・モバイル・ネットワーク）におけるネットワークデバイスなどであってもよい。
【手続補正１３２】
【補正対象書類名】明細書
【補正対象項目名】０１８０
【補正方法】変更
【補正の内容】
【０１８０】
UEによって取得される第1のパラメータ値は、基地局などのネットワークデバイスによってUEに送信されてもよく、或いは、プロトコルによって指定されてもよいことが理解されるべきである。
【手続補正１３３】
【補正対象書類名】明細書
【補正対象項目名】０１８７
【補正方法】変更
【補正の内容】
【０１８７】
或いは、随意的に、一実施形態では、第1の情報がダウンリンク制御情報であり、第2の情報がダウンリンク制御情報に関するフィードバック情報である。本発明のこの実施形態において、UEは、アップリンク制御情報フィードバック効率を向上させるために、ダウンリンク制御情報とフィードバック情報との間の送信間隔を短くしてもよい。
【手続補正１３４】
【補正対象書類名】明細書
【補正対象項目名】０２２４
【補正方法】変更
【補正の内容】
【０２２４】
随意的に、この実施形態の想定し得る実施において、第1のパラメータ値は、第1のパラメータ値に対応するマッピング関係のインデックスであってもよい。一例として先の表3〜表5に示されるマッピング関係表を使用して、第1の情報で運ばれる第1のパラメータ値が1であるときに、表3〜表5に示されるマッピング関係表のインデックスがそれぞれ1、2、3であると仮定すると、それは表3に示されるマッピング関係表が選択されたことを示す。
【手続補正１３５】
【補正対象書類名】明細書
【補正対象項目名】０２３０
【補正方法】変更
【補正の内容】
【０２３０】
この実施形態では、第2の時間領域リソースの持続時間が第1の時間領域間隔の時間領域単位の持続時間よりも短いため、第2の時間領域リソースを第1の時間領域間隔と第1の時間領域リソースとに完全に基づいて決定できず、また、第2の時間領域リソースの時間領域単位内の第2の時間領域リソースの位置も示される必要があり、この場合、時間領域単位は第1の時間領域間隔の時間領域単位である。
【手続補正１３６】
【補正対象書類名】明細書
【補正対象項目名】０２３４
【補正方法】変更
【補正の内容】
【０２３４】
図2は、本発明の一実施形態に係る第1の時間領域リソースと第2の時間領域リソースとの間のタイムスロット関係の概略図である。例えば、第1の時間領域リソースが第1のサブフレームの奇数タイムスロットを使用するときに第2の時間領域リソースが第2のサブフレームの奇数タイムスロットを使用することが事前に合意されていると仮定する。図2に示されるシナリオにおいて、UEは、UL grantを使用することによりサブフレームnの奇数タイムスロットでスケジューリング情報を取得し、また、サブフレーム間隔はkサブフレームである。具体的には、UEの第1の時間領域リソースはサブフレームnの奇数タイムスロットであり、第1の時間領域間隔はkである。この場合、UEは、第1の時間領域リソースと第1の時間領域間隔とに基づいてサブフレームn＋kを決定するとともに、第1のサブフレーム内の第1の時間領域リソースの位置と第2のサブフレーム内の第2時間領域リソースの位置との間の関係にしたがってサブフレームn＋k内の第2の時間領域リソースのタイムスロット位置を決定、すなわち、サブフレームn＋kの奇数タイムスロットを第2時間領域リソースとして決定してもよい。
【手続補正１３７】
【補正対象書類名】明細書
【補正対象項目名】０２３５
【補正方法】変更
【補正の内容】
【０２３５】
随意的に、サブフレーム内の第2の時間領域リソース及び第1の時間領域リソースによって使用されるシンボルの位置等も指定され得る。例えば、第2の時間領域リソース及び第1の時間領域リソースがサブフレーム内のシンボル0及びシンボル1を使用することが定められてもよい。例えば、具体的には、第1の時間領域間隔の時間領域単位がサブフレームであり、第1の時間領域リソースの持続時間及び第2の時間領域リソースの持続時間が2シンボルである場合、第1の時間領域単位における第1の時間領域リソースの位置インデックス及び第2の時間領域単位における第2の時間領域リソースの位置インデックスは、サブフレーム内で同じ又は異なり得る。
【手続補正１３８】
【補正対象書類名】明細書
【補正対象項目名】０２４２
【補正方法】変更
【補正の内容】
【０２４２】
基地局が他の情報を使用することによって暗黙的に第1のパラメータ値を示すとき、随意的に、第1のパラメータ値を取得する具体的な実施は、
指示情報を取得するステップであって、指示情報が第1のパラメータ値に対応する、ステップ、及び、
指示情報にしたがって第1のパラメータ値を決定するステップであってもよく、この場合、
指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１３９】
【補正対象書類名】明細書
【補正対象項目名】０２４６
【補正方法】変更
【補正の内容】
【０２４６】
他の例において、送信モードは、モード0、モード1、モード2、又は、モード3であってもよく、また、異なる送信モードは異なる第1のパラメータ値に対応する。ここで、送信モードは、異なるマルチアンテナ送信モード（例えば、シングルアンテナ又はマルチアンテナ、送信ダイバーシティ又は空間多重化、シングルユーザMIMO（Multiple Input Multiple Output）又はマルチユーザMIMO、及び、シングルストリーム又はマルチストリーム）；協調送信モード（協調マルチポイント送信モード又は非協調送信モード）が使用されるかどうか；及び、異なる送信持続時間に対応する送信モード（例えば、1ms持続時間に対応する送信モード、1タイムスロットに対応する送信モード、2シンボルに対応する送信モード、又は、4シンボルに対応する送信モード）のうちのいずれか1つであってもよい。UEは、基地局によって送信される送信モード情報を使用することによって第1のパラメータ値を決定する。TA値と同様に、送信モードの1つは、ただ1つの第1のパラメータ値に対応し、或いは、送信モードの1つは、1つ以上の第1のパラメータ値に対応する。例えば、異なる送信持続時間の送信モードの場合、1msの持続時間の送信モードにおける第1のパラメータ値は3又は4であってもく、また、2シンボル持続時間の送信モードにおける第1のパラメータ値は4〜8であってもよい。送信モードが一意的でない複数の第1のパラメータ値に対応する場合、第1のパラメータ値は、他の情報を使用することによって更に決定されてもよい。情報は、各送信中に対応する第1のパラメータの特定の値を示すために使用される。情報は、基地局によって予め規定され又は示されてもよい。
【手続補正１４０】
【補正対象書類名】明細書
【補正対象項目名】０２５０
【補正方法】変更
【補正の内容】
【０２５０】
図3は、本発明の他の実施形態に係る情報送信方法の概略図である。図3の方法は、ネットワークデバイス、例えば基地局によって実行される、又は、D2Dデバイスによって実行される。方法は以下のステップを含む。
【手続補正１４１】
【補正対象書類名】明細書
【補正対象項目名】０２５８
【補正方法】変更
【補正の内容】
【０２５８】
随意的に、一実施形態では、第1の情報がスケジューリング情報であり、第2の情報がスケジューリング情報にしたがってスケジューリングされるアップリンクデータ情報である。本発明のこの実施形態では、基地局が第1のパラメータ値をUEに送信し、それにより、UEは、第1の基準値にしたがってスケジューリング情報とアップリンクデータとの間の送信間隔を短縮して、アップリンクデータ送信効率及びネットワークスループットを向上させることができる。
【手続補正１４２】
【補正対象書類名】明細書
【補正対象項目名】０２６０
【補正方法】変更
【補正の内容】
【０２６０】
或いは、随意的に、一実施形態では、第1の情報がダウンリンク制御情報であり、第2の情報がダウンリンク制御情報に関するフィードバック情報である。本発明のこの実施形態では、基地局が第1の基準値をUEに送信し、それにより、UEは、第1の基準値にしたがってダウンリンク制御情報とフィードバック情報との間の送信間隔を短縮して、アップリンク制御情報フィードバック効率を向上させることができる。
【手続補正１４３】
【補正対象書類名】明細書
【補正対象項目名】０２６８
【補正方法】変更
【補正の内容】
【０２６８】
本発明のこの実施形態では、第1のパラメータ値が所定のマッピング関係に対応する具体的な実施において、図1に示される実施形態に関する説明が参照されてもよいことが理解されるべきである。したがって、本発明のこの実施形態では、詳細についてここで再び説明しない。
【手続補正１４４】
【補正対象書類名】明細書
【補正対象項目名】０２７９
【補正方法】変更
【補正の内容】
【０２７９】
或いは、随意的に、第1のパラメータ値を送信することの具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１４５】
【補正対象書類名】明細書
【補正対象項目名】０２８６
【補正方法】変更
【補正の内容】
【０２８６】
UEによって取得される第1のパラメータ値は、基地局などのネットワークデバイスによってUEに送信されてもよく、或いは、プロトコルによって指定されてもよいことが理解されるべきである。
【手続補正１４６】
【補正対象書類名】明細書
【補正対象項目名】０２９０
【補正方法】変更
【補正の内容】
【０２９０】
随意的に、一実施形態において、第1のパラメータ値は、第2の時間領域リソースを含む複数の候補時間領域リソースであり、第1のパラメータ値に基づいて第2の時間領域リソースを決定することの具体的な実施は、第2の時間領域リソースを決定するために複数の候補時間領域リソースに関してブラインド検出を実行することである。
【手続補正１４７】
【補正対象書類名】明細書
【補正対象項目名】０２９７
【補正方法】変更
【補正の内容】
【０２９７】
更にまた、第2の情報を受信するために基地局によって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【手続補正１４８】
【補正対象書類名】明細書
【補正対象項目名】０２９８
【補正方法】変更
【補正の内容】
【０２９８】
本発明のこの実施形態では、第1のパラメータ値が所定のマッピング関係に対応する具体的な実施において、図1に示される実施形態に関する説明が参照されてもよいことが理解されるべきである。したがって、本発明のこの実施形態では、詳細についてここで再び説明しない。
【手続補正１４９】
【補正対象書類名】明細書
【補正対象項目名】０３０９
【補正方法】変更
【補正の内容】
【０３０９】
或いは、随意的に、第1のパラメータ値を取得することの具体的な実施は、指示情報を取得するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１５０】
【補正対象書類名】明細書
【補正対象項目名】０３１９
【補正方法】変更
【補正の内容】
【０３１９】
随意的に、一実施形態において、第1のパラメータ値は、第2の時間領域リソースを含む複数の候補時間領域リソースであり、また、第2の時間領域リソースを決定することの具体的な実施は、複数の候補時間領域リソースのうちの1つを第2の時間領域リソースとして選択することである。
【手続補正１５１】
【補正対象書類名】明細書
【補正対象項目名】０３２５
【補正方法】変更
【補正の内容】
【０３２５】
更にまた、第2の情報を受信するために基地局によって使用されるキャリアがTDDキャリアであるとき、マッピング関係にしたがって第1の時間領域リソースに対応する第1の時間領域間隔を決定する具体的な実施は、マッピング関係にしたがって、第1の時間領域リソースと、UEのTDDアップリンク−ダウンリンク構成に対応する第1の時間領域間隔とを決定するステップであり、この場合、所定のマッピング関係は、複数のTDDアップリンク−ダウンリンク構成における各TDDアップリンク−ダウンリンク構成内の第1の時間領域リソースに対応する第1の時間領域間隔を含む。
【手続補正１５２】
【補正対象書類名】明細書
【補正対象項目名】０３２６
【補正方法】変更
【補正の内容】
【０３２６】
本発明のこの実施形態では、第1のパラメータ値が所定のマッピング関係に対応する具体的な実施において、図1に示される実施形態に関する説明が参照されてもよいことが理解されるべきである。したがって、本発明のこの実施形態では、詳細についてここで再び説明しない。
【手続補正１５３】
【補正対象書類名】明細書
【補正対象項目名】０３３７
【補正方法】変更
【補正の内容】
【０３３７】
或いは、随意的に、第1のパラメータ値を送信することの具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１５４】
【補正対象書類名】明細書
【補正対象項目名】０３４４
【補正方法】変更
【補正の内容】
【０３４４】
UEによって取得される第1のパラメータ値は、基地局などのネットワークデバイスによってUEに送信されてもよく、或いは、プロトコルによって指定されてもよいことが理解されるべきである。
【手続補正１５５】
【補正対象書類名】明細書
【補正対象項目名】０３５４
【補正方法】変更
【補正の内容】
【０３５４】
本発明のこの実施形態では、第1のパラメータ値が所定のマッピング関係に対応する具体的な実施において、図1に示される実施形態に関する説明が参照されてもよいことが理解されるべきである。したがって、本発明のこの実施形態では、詳細についてここで再び説明しない。
【手続補正１５６】
【補正対象書類名】明細書
【補正対象項目名】０３６３
【補正方法】変更
【補正の内容】
【０３６３】
或いは、随意的に、第1のパラメータ値を取得することの具体的な実施は、指示情報を取得するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１５７】
【補正対象書類名】明細書
【補正対象項目名】０３７５
【補正方法】変更
【補正の内容】
【０３７５】
随意的に、一実施形態において、システムフレーム番号と構成インデックスとに基づいて制御情報のための時間領域リソースを決定するステップは、システムフレーム番号 nfとMとの積M＊nfと構成インデックスとにしたがって時間領域リソースの位置を決定するステップを含み、ここで、Mはサブフレームの持続時間と時間領域リソースの持続時間とにしたがって決定され、Mは正の整数である。
【手続補正１５８】
【補正対象書類名】明細書
【補正対象項目名】０３７６
【補正方法】変更
【補正の内容】
【０３７６】
例えば、時間領域リソースは、式（M×nf＋ns−NOFFSET）mod（Npd）＝0にしたがって決定されてもよい。Mの値は、例えば、サブフレームの持続時間を時間領域リソースの持続時間で割ったものに等しくてもよい。サブフレームの持続時間を時間領域リソースの持続時間で割ったものが整数ではない場合、整数部分がMの値として使用される。具体的には、
【数２】
2020162178.tif 000031
となる。或いは、Mの値は、サブフレームの持続時間と第1の時間領域リソースの持続時間とにしたがって所定の態様で決定される。例えば、一例としてLTEシステムを使用して、通常のCPを考えると、1つのサブフレームは14個のシンボルを含み、また、第1の時間領域リソースの持続時間が2OFDMシンボル（OFDM Symbol、OS）である場合、M＝6又は7であり、第1の時間領域リソースの持続時間が4OSである場合、M＝3又は4であり、或いは、第1の時間領域リソースの持続時間が7OSである場合、M＝2である。他の例において、拡張CPを考えると、1つのサブフレームは12個のシンボルを含み、また、第1の時間領域リソースの持続時間が2OSである場合、M＝5又は6であり、第1の時間領域リソースの持続時間が4OSである場合、M＝3又は4であり、或いは、第1の時間領域リソースの持続時間が6OSである場合、M＝2である。
【手続補正１５９】
【補正対象書類名】明細書
【補正対象項目名】０３７７
【補正方法】変更
【補正の内容】
【０３７７】
或いは、随意的に、他の実施形態において、システムフレーム番号と構成インデックスとに基づいて制御情報のための時間領域リソースを決定するステップは、システムフレーム番号 nfとMとの積M＊10＊nfと構成インデックスとにしたがって時間領域リソースの位置を決定するステップを含み、ここで、Mはサブフレームの持続時間と時間領域リソースの持続時間とにしたがって決定され、Mは正の整数である。或いは、Mの値は、サブフレームの持続時間と第1の時間領域リソースの持続時間とにしたがって所定の態様で決定される。例えば、一例としてLTEシステムを使用して、通常のCPを考えると、1つのサブフレームは14個のシンボルを含み、また、第1の時間領域リソースの持続時間が2OSである場合、M＝6又は7であり、第1の時間領域リソースの持続時間が4OSである場合、M＝3又は4であり、或いは、第1の時間領域リソースの持続時間が7OSである場合、M＝2である。他の例において、拡張CPを考えると、1つのサブフレームは12個のシンボルを含み、また、第1の時間領域リソースの持続時間が2OSである場合、M＝5又は6であり、第1の時間領域リソースの持続時間が4OSである場合、M＝3又は4であり、或いは、第1の時間領域リソースの持続時間が6OSである場合、M＝2である。
【手続補正１６０】
【補正対象書類名】明細書
【補正対象項目名】０３８０
【補正方法】変更
【補正の内容】
【０３８０】
随意的に、他の実施形態において、構成インデックスによって示される送信周期及び第1の時間領域リソースオフセットのうちの少なくとも一方の時間領域単位の持続時間は、時間領域における時間領域リソースの持続時間と同じである。
【手続補正１６１】
【補正対象書類名】明細書
【補正対象項目名】０３８２
【補正方法】変更
【補正の内容】
【０３８２】
随意的に、他の実施形態において、システムフレーム番号と構成インデックスとに基づいて制御情報のための時間領域リソースを決定することの具体的な実施は、
構成インデックスにしたがって送信周期び第1の時間領域リソースオフセットを決定するステップ、並びに、
システムフレーム番号、送信周期、第1の時間領域リソースオフセット、及び、第2の時間領域リソースオフセットに基づいて時間領域リソースを決定するステップ、
であってもよく、
第1の時間領域リソースオフセットは、制御情報のタイプと関連付けられるオフセットであり、第1の時間領域リソースオフセットは、送信周期における制御情報のオフセットを示すために使用され、第2の時間領域リソースオフセットの持続時間が時間領域リソースのうちの1つ以上の持続時間に等しく、又は、第2の時間領域リソースオフセットの持続時間が1サブフレームの持続時間に等しい。
【手続補正１６２】
【補正対象書類名】明細書
【補正対象項目名】０３９３
【補正方法】変更
【補正の内容】
【０３９３】
或いは、随意的に、一実施形態では、第1の情報がダウンリンク制御情報であり、第2の情報がダウンリンク制御情報に関するフィードバック情報である。本発明のこの実施形態において、UEは、アップリンク制御情報フィードバック効率を向上させるために、ダウンリンク制御情報とフィードバック情報との間の送信間隔を短くしてもよい。
【手続補正１６３】
【補正対象書類名】明細書
【補正対象項目名】０４０９
【補正方法】変更
【補正の内容】
【０４０９】
或いは、随意的に、第1のパラメータ値を処理モジュール820により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１６４】
【補正対象書類名】明細書
【補正対象項目名】０４１１
【補正方法】変更
【補正の内容】
【０４１１】
図9は、本発明の一実施形態に係る基地局900の概略構造図である。図9に示されるように、基地局900は、送信モジュール930、受信モジュール910、及び、処理モジュール920を含んでもよく、
送信モジュール930は第1の情報を送信するように構成され、この場合、第1の情報は、UEに第2の情報を送信するように指示するために使用され、
送信モジュール930は第1のパラメータ値を送信するように更に構成され、この場合、第1のパラメータ値は、第1の時間領域リソースと第2の時間領域リソースとの間の位置関係を示すために使用され、第1の時間領域リソースは第1の情報が位置される時間領域リソースであり、第2の時間領域リソースは第2の情報が位置される時間領域リソースであり、第2の時間領域リソースの持続時間は1サブフレームよりも長くなく、第2の時間領域リソースと第1の時間領域リソースとの間の間隔は4サブフレームよりも短く、
処理モジュール920は、第2の時間領域リソースを決定するように構成され、
受信モジュール910は、第2の時間領域リソースに関する第2の情報を受信するように構成される。
【手続補正１６５】
【補正対象書類名】明細書
【補正対象項目名】０４１３
【補正方法】変更
【補正の内容】
【０４１３】
随意的に、一実施形態では、第1の情報がスケジューリング情報であり、第2の情報がスケジューリング情報にしたがってスケジューリングされるアップリンクデータ情報である。本発明のこの実施形態では、基地局が第1のパラメタ値をUEに送信し、それにより、UEは、第1の基準値にしたがってスケジューリング情報とアップリンクデータとの間の送信間隔を短縮して、アップリンクデータ送信効率及びネットワークスループットを向上させることができる。
【手続補正１６６】
【補正対象書類名】明細書
【補正対象項目名】０４１５
【補正方法】変更
【補正の内容】
【０４１５】
或いは、随意的に、一実施形態では、第1の情報がダウンリンク制御情報であり、第2の情報がダウンリンク制御情報に関するフィードバック情報である。本発明のこの実施形態では、基地局が第1の基準値をUEに送信し、それにより、UEは、第1の基準値にしたがってダウンリンク制御情報とフィードバック情報との間の送信間隔を短縮して、アップリンク制御情報フィードバック効率を向上させることができる。
【手続補正１６７】
【補正対象書類名】明細書
【補正対象項目名】０４３１
【補正方法】変更
【補正の内容】
【０４３１】
或いは、随意的に、第1のパラメータ値を送信モジュール930により送信する具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１６８】
【補正対象書類名】明細書
【補正対象項目名】０４３６
【補正方法】変更
【補正の内容】
【０４３６】
随意的に、一実施形態において、第1のパラメータ値は、第2の時間領域リソースを含む複数の候補時間領域リソースであり、第1のパラメータ値に基づいて第2の時間領域リソースを処理モジュール1020により決定する具体的な実施は、第2の時間領域リソースを決定するために複数の候補時間領域リソースに関してブラインド検出を実行することである。
【手続補正１６９】
【補正対象書類名】明細書
【補正対象項目名】０４５１
【補正方法】変更
【補正の内容】
【０４５１】
或いは、随意的に、第1のパラメータ値を処理モジュール1020により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１７０】
【補正対象書類名】明細書
【補正対象項目名】０４５３
【補正方法】変更
【補正の内容】
【０４５３】
図11は、本発明の一実施形態に係る基地局1100の概略構造図である。図11に示されるように、基地局1100は、送信モジュール1130、受信モジュール1110、及び、処理モジュール1120を含んでもよく、
受信モジュール1110は第1の情報を受信するように構成され、この場合、第1の情報はデータ情報であり、
送信モジュール1130は第1のパラメータ値を送信するように構成され、この場合、第1のパラメータ値は、第1の時間領域リソースと第2の時間領域リソースとの間の位置関係を示すために使用され、第1の時間領域リソースは第1の情報が位置される時間領域リソースであり、第2の時間領域リソースは第2の情報が位置される時間領域リソースであり、第2の情報は、第1の情報に関する確認情報であり、第2の時間領域リソースの持続時間は1サブフレームよりも長くなく、第2の時間領域リソースと第1の時間領域リソースとの間の間隔は4サブフレームよりも短く、
処理モジュール1120は、第2の時間領域リソースを決定するように構成され、
送信モジュール1130は、第2の時間領域リソースに関する第2の情報を送信するように構成される。
【手続補正１７１】
【補正対象書類名】明細書
【補正対象項目名】０４５５
【補正方法】変更
【補正の内容】
【０４５５】
随意的に、一実施形態において、第1のパラメータ値は、第2の時間領域リソースを含む複数の候補時間領域リソースであり、また、第2の時間領域リソースを処理モジュール1120により決定する具体的な実施は、複数の候補時間領域リソースのうちの1つを第2の時間領域リソースとして選択することである。
【手続補正１７２】
【補正対象書類名】明細書
【補正対象項目名】０４６０
【補正方法】変更
【補正の内容】
【０４６０】
更にまた、第2の情報を受信するために基地局によって使用されるキャリアがTDDキャリアであるとき、マッピング関係にしたがって第1の時間領域リソースに対応する第1の時間領域間隔を処理モジュール1120により決定する具体的な実施は、マッピング関係にしたがって、第1の時間領域リソースと、UEのTDDアップリンク−ダウンリンク構成に対応する第1の時間領域間隔とを決定することであってもよく、この場合、所定のマッピング関係は、複数のTDDアップリンク−ダウンリンク構成における各TDDアップリンク−ダウンリンク構成内の第1の時間領域リソースに対応する第1の時間領域間隔を含む。
【手続補正１７３】
【補正対象書類名】明細書
【補正対象項目名】０４７０
【補正方法】変更
【補正の内容】
【０４７０】
或いは、随意的に、第1のパラメータ値を送信モジュール1130により送信する具体的な実施は、指示情報を送信するステップであって、指示情報が第1のパラメータ値に対応する、ステップ、及び、指示情報にしたがって第1のパラメータ値を決定するステップであってもよく、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１７４】
【補正対象書類名】明細書
【補正対象項目名】０４８７
【補正方法】変更
【補正の内容】
【０４８７】
或いは、随意的に、第1のパラメータ値を処理モジュール1220により取得する具体的な実施は、指示情報を取得するステップであって、指示情報が第1のパラメータ値に対応する、ステップ、及び、指示情報にしたがって第1のパラメータ値を決定するステップであり、この場合、指示情報は、
UEの最大送信タイミングアドバンスTA値、UEの最大トランスポートブロックサイズTBS値、UEの送信モード情報、UEの能力情報、又は、第2の時間領域リソースの持続時間タイプ
のうちのいずれか1つである。
【手続補正１７５】
【補正対象書類名】明細書
【補正対象項目名】０４８９
【補正方法】変更
【補正の内容】
【０４８９】
図13は、本発明の一実施形態に係るユーザ機器1300の概略構造図である。図13に示されるように、ユーザ機器1300は、送信モジュール1330、受信モジュール1310、及び、処理モジュール1320を含んでもよく、
受信モジュール1310は、構成インデックスを受信するように構成され、この場合、構成インデックスは、制御情報の送信周期及び第1の時間領域リソースオフセットを示すために使用され、第1の時間領域リソースの持続時間が1サブフレームよりも短く、
処理モジュール1320は、システムフレーム番号と構成インデックスとに基づいて制御情報のための時間領域リソースを決定するように構成され、
送信モジュール1330は、時間領域リソースに関する制御情報を送信するように構成される。
【手続補正１７６】
【補正対象書類名】明細書
【補正対象項目名】０４９０
【補正方法】変更
【補正の内容】
【０４９０】
本発明のこの実施形態では、送信方法における遅延を減らすために、UEは、制御情報の各送信によって占有される持続時間を短縮し、それに応じて制御情報を送信するためのリソースを決定する。したがって、制御情報の送信遅延が減少され、CSI，SR，HARQ情報などの制御情報の送信速度が増大されるとともに、システム全体の処理時間が減少され、システム性能が向上される。
【手続補正１７７】
【補正対象書類名】明細書
【補正対象項目名】０４９２
【補正方法】変更
【補正の内容】
【０４９２】
随意的に、一実施形態において、システムフレーム番号と構成インデックスとに基づいて制御情報のための時間領域リソースを処理モジュール1320により決定する具体的な実施は、システムフレーム番号nfとMとの積M＊nfと構成インデックスとにしたがって時間領域リソースの位置を決定するステップであり、ここで、Mはサブフレームの持続時間と時間領域リソースの持続時間とにしたがって決定され、Mは正の整数である。
【手続補正１７８】
【補正対象書類名】明細書
【補正対象項目名】０４９４
【補正方法】変更
【補正の内容】
【０４９４】
或いは、随意的に、他の実施形態において、システムフレーム番号と構成インデックスとに基づいて制御情報のための時間領域リソースを処理モジュール1320により決定する具体的な実施は、システムフレーム番号nfとMとの積M＊10＊nfと構成インデックスとにしたがって時間領域リソースの位置を決定することであり、ここで、Mはサブフレームの持続時間と時間領域リソースの持続時間とにしたがって決定され、Mは正の整数である。
【手続補正１７９】
【補正対象書類名】明細書
【補正対象項目名】０４９７
【補正方法】変更
【補正の内容】
【０４９７】
随意的に、他の実施形態において、構成インデックスによって示される送信周期及び第1の時間領域リソースオフセットのうちの少なくとも一方の時間領域単位の持続時間は、時間領域における時間領域リソースの持続時間と同じである。
【手続補正１８０】
【補正対象書類名】明細書
【補正対象項目名】０４９９
【補正方法】変更
【補正の内容】
【０４９９】
随意的に、他の実施形態において、システムフレーム番号と構成インデックスとに基づいて制御情報のための時間領域リソースを処理モジュール1320により決定する具体的な実施は、構成インデックスにしたがって送信周期及び第1の時間領域リソースオフセットを決定するステップ、並びに、システムフレーム番号、送信周期、第1の時間領域リソースオフセット、及び、第2の時間領域リソースオフセットに基づいて時間領域リソースを決定するステップであり、第1の時間領域リソースオフセットは、制御情報のタイプと関連付けられるオフセットであり、第1の時間領域リソースオフセットは、送信周期における制御情報のオフセットを示すために使用され、第2の時間領域リソースオフセットの持続時間が時間領域リソースのうちの1つ以上の持続時間に等しく、又は、第2の時間領域リソースオフセットの持続時間が1サブフレームの持続時間に等しい。
【手続補正１８１】
【補正対象書類名】明細書
【補正対象項目名】０５０１
【補正方法】変更
【補正の内容】
【０５０１】
随意的に、一実施形態において、システムフレーム番号と構成インデックスとに基づいて制御情報のための時間領域リソースを処理モジュール1320により決定する具体的な実施は、システムフレーム番号と構成インデックスとに基づいて候補時間領域リソースを決定するステップ、及び、候補時間領域リソースが利用可能なアップリンク時間領域リソースであれば、候補時間領域リソースを制御情報のための時間領域リソースとして決定するステップであってもよい。
【手続補正１８２】
【補正対象書類名】明細書
【補正対象項目名】０５０２
【補正方法】変更
【補正の内容】
【０５０２】
或いは、随意的に、他の実施形態において、システムフレーム番号と構成インデックスとに基づいて制御情報のための時間領域リソースを処理モジュール1320により決定するの具体的な実施は、システムフレーム番号と構成インデックスとに基づいて候補時間領域リソースを決定するステップ、及び、候補時間領域リソースがダウンリンク時間領域リソース又は利用不可能な時間領域リソースであれば、時間領域リソースの後の第1の利用可能なアップリンク時間領域リソースを制御情報のための時間領域リソースとして決定するステップである。
【手続補正１８３】
【補正対象書類名】明細書
【補正対象項目名】０５０５
【補正方法】変更
【補正の内容】
【０５０５】
メモリ1403は、プログラムを記憶するように構成される。具体的には、プログラムはプログラム符号を含んでもよく、この場合、プログラム符号はコンピュータ操作命令を含む。メモリ1403は、リード・オンリー・メモリ及びランダム・アクセス・メモリを含んでもよく、また、命令及びデータをプロセッサ1402に供給してもよい。メモリ1403は、高速RAMを含んでもよく、又は、例えば少なくとも1つのディスク記憶装置などの持続性メモリ（non-transitory memory）を更に含んでもよい。
【手続補正１８４】
【補正対象書類名】明細書
【補正対象項目名】０５１０
【補正方法】変更
【補正の内容】
【０５１０】
メモリ1503は、プログラムを記憶するように構成される。具体的には、プログラムはプログラム符号を含んでもよく、この場合、プログラム符号はコンピュータ操作命令を含む。メモリ1503は、リード・オンリー・メモリ及びランダム・アクセス・メモリを含んでもよく、また、命令及びデータをプロセッサ1502に供給してもよい。メモリ1503は、高速RAMを含んでもよく、又は、例えば少なくとも1つのディスク記憶装置などの持続性メモリ（non-transitory memory）を更に含んでもよい。
【手続補正１８５】
【補正対象書類名】明細書
【補正対象項目名】０５１５
【補正方法】変更
【補正の内容】
【０５１５】
メモリ1603は、プログラムを記憶するように構成される。具体的には、プログラムはプログラム符号を含んでもよく、この場合、プログラム符号はコンピュータ操作命令を含む。メモリ1603は、リード・オンリー・メモリ及びランダム・アクセス・メモリを含んでもよく、また、命令及びデータをプロセッサ1602に供給してもよい。メモリ1603は、高速RAMを含んでもよく、又は、例えば少なくとも1つのディスク記憶装置などの持続性メモリ（non-transitory memory）を更に含んでもよい。
【手続補正１８６】
【補正対象書類名】明細書
【補正対象項目名】０５２０
【補正方法】変更
【補正の内容】
【０５２０】
メモリ1703は、プログラムを記憶するように構成される。具体的には、プログラムはプログラム符号を含んでもよく、この場合、プログラム符号はコンピュータ操作命令を含む。メモリは、リード・オンリー・メモリ及びランダム・アクセス・メモリを含んでもよく、また、命令及びデータをプロセッサ1702に供給してもよい。メモリ1703は、高速RAMを含んでもよく、又は、例えば少なくとも1つのディスク記憶装置などの持続性メモリ（non-transitory memory）を更に含んでもよい。
【手続補正１８７】
【補正対象書類名】明細書
【補正対象項目名】０５２５
【補正方法】変更
【補正の内容】
【０５２５】
メモリ1803は、プログラムを記憶するように構成される。具体的には、プログラムはプログラム符号を含んでもよく、この場合、プログラム符号はコンピュータ操作命令を含む。メモリ1803は、リード・オンリー・メモリ及びランダム・アクセス・メモリを含んでもよく、また、命令及びデータをプロセッサ1802に供給してもよい。メモリ1803は、高速RAMを含んでもよく、又は、例えば少なくとも1つのディスク記憶装置などの持続性メモリ（non-transitory memory）を更に含んでもよい。
【手続補正１８８】
【補正対象書類名】明細書
【補正対象項目名】０５３０
【補正方法】変更
【補正の内容】
【０５３０】
メモリ1903は、プログラムを記憶するように構成される。具体的には、プログラムはプログラム符号を含んでもよく、この場合、プログラム符号はコンピュータ操作命令を含む。メモリ1903は、リード・オンリー・メモリ及びランダム・アクセス・メモリを含んでもよく、また、命令及びデータをプロセッサ1902に供給してもよい。メモリ1903は、高速RAMを含んでもよく、又は、例えば少なくとも1つのディスク記憶装置などの持続性メモリ（non-transitory memory）を更に含んでもよい。
【手続補正１８９】
【補正対象書類名】明細書
【補正対象項目名】０２０２
【補正方法】変更
【補正の内容】
【０２０２】
【表１】
2020162178.tif 000032
【手続補正１９０】
【補正対象書類名】明細書
【補正対象項目名】０２０９
【補正方法】変更
【補正の内容】
【０２０９】
【表２】
2020162178.tif 000033
【手続補正１９１】
【補正対象書類名】明細書
【補正対象項目名】０２１８
【補正方法】変更
【補正の内容】
【０２１８】
【表３】
2020162178.tif 000034
【手続補正１９２】
【補正対象書類名】明細書
【補正対象項目名】０２１９
【補正方法】変更
【補正の内容】
【０２１９】
【表４】
2020162178.tif 000035
【手続補正１９３】
【補正対象書類名】明細書
【補正対象項目名】０２２０
【補正方法】変更
【補正の内容】
【０２２０】
【表５】
2020162178.tif 000036
【外国語明細書】
2020162178000001.pdf